(57)【要約】  物体の表面下に関する伸縮可能エレクトロニクスのあてがいのためのアプリケータデバイス。いくつかの実施形態において、物体の表面に伸縮性電子デバイスをあてがうための配置アプリケータは、伸縮性電子デバイスのためのホルダと、放射される信号を物体の表面へ向けるように配置される信号エミッタと、前記物体の表面からの戻り信号を検出するように配置されるレシーバと、前記信号エミッタおよび前記レシーバへ動作可能に接続される回路であって、物体の表面および表面下の特徴を識別するために前記放射される信号と前記戻り信号とを比較するように構成される回路と、前記識別される特徴と、メモリに格納される前記物体の表面および表面化の特徴のマップとを比較するように構成される回路と、ポジショナであって、前記物体の表面上の位置へ前記伸縮性電子デバイスをあてがうように組み立てられる当該ポジショナと、を含む。
2019518537.tif 000002
【特許請求の範囲】
【請求項１】
物体の表面に伸縮性電子デバイスをあてがうための配置アプリケータデバイスであって、
伸縮性電子デバイスのためのホルダと、
放射される信号を物体の表面へ向けるように配置される信号エミッタと、
前記物体の表面からの戻り信号を検出するように配置されるレシーバと、
前記信号エミッタおよび前記レシーバへ動作可能に接続される回路であって、物体の表面および表面下の特徴を識別するために前記放射される信号と前記戻り信号とを比較するように構成される回路と、
前記表面および表面下の識別される特徴と、メモリに格納される前記物体の表面および表面化の特徴のマップとを比較するように構成される回路と、
前記ホルダに動作可能に固定されるポジショナであって、前記比較に基づいて前記物体の表面上の位置へ前記伸縮性電子デバイスをあてがうように配置され組立てられるポジショナと、を備える配置アプリケータデバイス。
【請求項２】
物体の表面に伸縮性電子デバイスをあてがうための配置アプリケータデバイスであって、
伸縮性電子デバイスのためのホルダと、
放射される信号を物体の表面へ向けるように配置される信号エミッタと、
前記物体の表面からの戻り信号であって、前記信号エミッタから向けられる前記放射される信号を用いて生じている前記戻り信号を検出するように配置される信号レシーバと、
前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される回路、を含む制御装置と、
前記制御装置に動作可能に取り付けられるユーザインタフェースと、
前記ホルダに動作可能に固定されるポジショナであって、前記制御装置に応じて、前記物体の特徴の表現および前記伸縮性電子デバイスの特徴の表現に対して前記伸縮性電子デバイスを前記物体の表面上の位置へあてがうように、配置され構築されているポジショナと、
前記物体の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【請求項３】
前記ホルダは、少なくとも１つの伸縮性電子デバイスを維持する形状および寸法であるリールと、前記リールへ動作可能に取り付けられるモータと、を備える請求項２に記載の配置アプリケータデバイス。
【請求項４】
前記ホルダは、前記伸縮性電子デバイスの寸法を変更するように配置されるマニピュレータを備える請求項２に記載の配置アプリケータデバイス。
【請求項５】
前記ホルダは、前記伸縮性電子デバイスの張力を制御するための、寸法、形状、および配置についての適合可能なテンショナを備える請求項２に記載の配置アプリケータデバイス。
【請求項６】
前記制御装置は、前記物体の特徴に関する情報を含む電子メモリを備える請求項２に記載の配置アプリケータデバイス。
【請求項７】
前記制御装置は、前記伸縮性電子デバイスの特徴に関する情報を含む電子メモリを備える請求項２に記載の配置アプリケータデバイス。
【請求項８】
前記ポジショナは、前記ホルダに固定される少なくとも１つの締結具と、前記締結具へ取り付けられるモータであって、前記制御装置へ動作可能に取り付けられる前記モータと、を備える請求項２に記載の配置アプリケータデバイス。
【請求項９】
前記アプリケータは、あてがい(application)の間、前記伸縮性電子デバイスの張力を制御するように、位置、形状、および寸法について適合可能なテンショナを備える請求項２に記載の配置アプリケータデバイス。
【請求項１０】
前記物体の表面へ材料をあてがうように配置される噴霧器と、前記噴霧器へ動作可能に取り付けられるリザーバと、をさらに備える請求項２に記載の配置アプリケータデバイス。
【請求項１１】
前記物体の表面へ気体を向けるように配置されるガスブロワと、前記ガスブロワへ固定されたスイッチであって、前記制御装置へ応答するスイッチと、をさらに備える請求項２に記載の配置アプリケータデバイス。
【請求項１２】
前記物体の表面の一部を除去するための形状および寸法のアブレーダ(abrader)と、
前記アブレーダへ固定されるホルダと、
前記アブレーダへ固定されるポジショナであって、前記物体の表面に対して前記アブレーダを配置するように配向されているポジショナと、をさらに備える請求項２に記載の配置アプリケータデバイス。
【請求項１３】
前記物体の表面へ接するように配置および配向された１つ以上の突起物と、前記１つ以上の突起物へ固定され、前記表面の張力に応答して適合可能な１つ以上のテンショナと、をさらに備える請求項２に記載の配置アプリケータデバイス。
【請求項１４】
前記物体の表面へ可視パターンの光を向けるように配置される光源をさらに備える請求項２に記載の配置アプリケータデバイス。
【請求項１５】
物体の表面に伸縮性電子デバイスをあてがうための配置アプリケータデバイスであって、
伸縮性電子デバイスのためのホルダと、
放射される信号を物体の表面へ向けるように配置される信号エミッタと、
前記物体の表面からの戻り信号であって、前記信号エミッタから向けられる前記放射される信号を用いて生じている戻り信号を検出するように配置される信号レシーバと、
前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される回路、を含む制御装置と、
前記制御装置に動作可能に取り付けられるユーザインタフェースと、
前記ホルダに動作可能に固定されるポジショナであって、前記制御装置に応じて、前記物体の特徴の表現および前記伸縮性電子デバイスの特徴の表現にから得られる情報に基づいて前記伸縮性電子デバイスを前記物体の表面上の位置へあてがうように、配置され構築されているポジショナと、
前記ポジショナに対して前記物体の表面を安定化させる形状および寸法であるスタビライザと、
前記物体の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【請求項１６】
前記ホルダは、少なくとも１つの伸縮性電子デバイスを維持する形状および寸法であるリールと、前記リールへ動作可能に取り付けられるモータと、を備える請求項１５に記載の配置アプリケータデバイス。
【請求項１７】
前記ホルダは、前記伸縮性電子デバイスの寸法を変更するように配置されるマニピュレータを備える請求項１５に記載の配置アプリケータデバイス。
【請求項１８】
前記ホルダは、前記伸縮性電子デバイスの張力を制御するように、寸法、形状、および配置について適合可能なテンショナを備える請求項１５に記載の配置アプリケータデバイス。
【請求項１９】
前記制御装置は、前記物体の特徴に関する情報を含む電子メモリを備える請求項１５に記載の配置アプリケータデバイス。
【請求項２０】
前記制御装置は、前記伸縮性電子デバイスの特徴に関する情報を含む電子メモリを備える請求項２に記載の配置アプリケータデバイス。
【請求項２１】
前記ポジショナは、前記ホルダに固定される少なくとも１つの締結具と、前記締結具へ取り付けられるモータであって、前記制御装置へ動作可能に取り付けられる前記モータと、を備える請求項２に記載の配置アプリケータデバイス。
【請求項２２】
前記スタビライザは、前記物体の表面とリバーシブルに係合する形状および寸法である表面を含む構造を備える請求項１５に記載の配置アプリケータデバイス。
【請求項２３】
前記スタビライザは、前記配置アプリケータデバイスへ前記物体を固定するための形状および寸法である締結具を備える請求項１５に記載の配置アプリケータデバイス。
【請求項２４】
前記アプリケータは、あてがい(application)の間、前記伸縮性電子デバイスの張力を制御するための、位置、形状、および寸法について適合可能なテンショナを備える請求項２に記載の配置アプリケータデバイス。
【請求項２５】
前記アプリケータは、前記ホルダへ動作可能に取り付けられている請求項１５に記載の配置アプリケータデバイス。
【請求項２６】
前記物体の表面へ材料をあてがうように配置される噴霧器と、前記噴霧器へ動作可能に取り付けられるリザーバと、をさらに備える請求項１５に記載の配置アプリケータデバイス。
【請求項２７】
前記物体の表面をこすり取るまたはこするための形状および寸法のアブレーダと、
前記アブレーダへ固定されるホルダと、
前記アブレーダへ固定されるポジショナであって、前記物体の表面に対して前記アブレーダを配置するように配向されるポジショナと、をさらに備える請求項１５に記載の配置アプリケータデバイス。
【請求項２８】
物体の表面に伸縮性電子デバイスをあてがうための配置アプリケータデバイスであって、
伸縮性電子デバイスのためのホルダと、
物体の表面からの戻り信号を検出するように配置されるレシーバと、
前記レシーバへ動作可能に接続される回路であって、前記戻り信号に基づく前記物体の表面および表面下の特徴を識別するように構成される回路と、
前記ホルダへ動作可能に固定されるポジショナであって、前記比較に対して前記物体の表面上の位置へ前記伸縮性電子デバイスをあてがうように配置され組み立てられるポジショナと、を備える配置アプリケータデバイス。
【発明の詳細な説明】
【発明の詳細な説明】
【０００１】
いくつかの実施形態において、物体の表面へ伸縮性電子デバイスをあてがうための配置アプリケータデバイスは、伸縮性電子デバイスのためのホルダと、放射される信号を物体の表面へ向けるように配置される信号エミッタと、前記物体の表面からの戻り信号を検出するように配置されるレシーバと、前記信号エミッタおよび前記レシーバへ動作可能に接続される回路であって、物体の表面および表面下の特徴を識別するために前記放射される信号と前記戻り信号とを比較するように構成される回路と、前記表面および表面下の識別される特徴と、メモリに格納される前記物体の表面および表面化の特徴のマップとを比較するように構成される回路と、前記ホルダに動作可能に固定されるポジショナであって、前記比較に基づいて、または前記比較からの情報に基づいて前記物体の表面上の位置へ前記伸縮性電子デバイスをあてがうように配置され組立てられるポジショナと、を備える。
【０００２】
いくつかの実施形態において、物体の表面に伸縮性電子デバイスをあてがうための配置アプリケータデバイスは、伸縮性電子デバイスのためのホルダと、放射される信号を物体の表面へ向けるように配置される信号エミッタと、前記物体の表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される回路、を含む制御装置と、前記制御装置に動作可能に取り付けられるユーザインタフェースと、前記ホルダに動作可能に固定されるポジショナであって、前記制御装置に応じて、前記物体の特徴の表現および前記伸縮性電子デバイスの特徴の表現に対して前記伸縮性電子デバイスを前記物体の表面上の位置へあてがうように、配置され構築されているポジショナと、前記物体の表面と接して前記伸縮性電子デバイスへ設置するための形状および寸法であるアプリケータであって、前記制御装置へ動作可能に取り付けられるスイッチを含むアプリケータと、を備える。
【０００３】
いくつかの実施形態において、身体領域の表面に伸縮性電子デバイスをあてがうための配置アプリケータデバイスは、伸縮性電子デバイスのためのホルダと、放射される信号を身体領域の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記身体領域の特徴の表現を形成するために前記放射される信号と前記戻り信号とを比較するように構成される回路、および前記身体領域の特徴の表現と前記伸縮性電子デバイスの特徴の表現とを比較するように構成される回路、を含む制御装置と、前記制御装置に動作可能に取り付けられるユーザインタフェースと、前記ホルダに動作可能に固定されるポジショナであって、前記制御装置に応じて、前記身体領域の特徴の表現および前記伸縮性電子デバイスの特徴の表現からの情報に基づいて、または情報を使用して、前記伸縮性電子デバイスを前記身体領域の表面上の位置へあてがうように、配置され構築されているポジショナと、前記身体領域の表面と接して前記伸縮性電子デバイスへ設置するための形状および寸法であるアプリケータであって、前記制御装置へ動作可能に取り付けられるスイッチを含むアプリケータと、を備える。
【０００４】
いくつかの実施形態において、無生物(inanimate object)の表面に伸縮性電子デバイスをあてがうための配置アプリケータデバイスは、伸縮性電子デバイスのためのホルダと、放射される信号を無生物の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記無生物の特徴の表現を形成するために前記放射される信号と前記戻り信号とを比較するように構成される回路、および前記無生物の特徴の表現と前記伸縮性電子デバイスの特徴の表現とを比較するように構成される回路、を含む制御装置と、前記制御装置に動作可能に取り付けられるユーザインタフェースと、前記ホルダに動作可能に固定されるポジショナであって、前記制御装置に応じて、前記無生物の特徴の表現からの情報、および前記伸縮性電子デバイスの特徴の表現に基づいて、または使用して、前記伸縮性電子デバイスを前記無生物の表面上の位置へあてがうように、配置され構築されているポジショナと、前記無生物の表面と接して前記伸縮性電子デバイスへ設置するための形状および寸法であるアプリケータであって、前記制御装置へ動作可能に取り付けられるスイッチを含むアプリケータと、を備える。
【０００５】
いくつかの実施形態において、物体の表面に伸縮性電子デバイスをあてがうための配置アプリケータデバイスは、伸縮性電子デバイスのためのホルダと、放射される信号を物体の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される回路、を含む制御装置と、前記ホルダに動作可能に固定されるポジショナであって、前記制御装置に応じて、前記物体の特徴の表現および前記伸縮性電子デバイスの特徴の表現からの情報に基づいて、または情報を使用して、前記伸縮性電子デバイスを前記物体の表面上の位置へあてがうように、配置され構築されているポジショナと、前記ポジショナに対して前記物体の表面を安定化させる形状および寸法であるスタビライザと、前記物体の表面と接して前記伸縮性電子デバイスへ設置するための形状および寸法であるアプリケータであって、前記制御装置へ動作可能に取り付けられるスイッチを含むアプリケータと、を備える。
【０００６】
いくつかの実施形態において、身体領域の表面に伸縮性電子デバイスをあてがうための配置アプリケータデバイスは、伸縮性電子デバイスのためのホルダと、放射される信号を身体領域の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記身体領域の特徴の表現を形成するために前記放射される信号と前記戻り信号とを比較するように構成される回路、および前記身体領域の特徴の表現と前記伸縮性電子デバイスの特徴の表現とを比較するように構成される回路、を含む制御装置と、前記ホルダに動作可能に固定されるポジショナであって、前記制御装置に応じて、前記身体領域の特徴の表現および前記伸縮性電子デバイスの特徴の表現からの情報に基づいて、または情報を使用して、前記伸縮性電子デバイスを前記身体領域の表面上の位置へあてがうように、配置され構築されているポジショナと、前記ポジショナに対して前記身体領域の表面を安定化させる形状および寸法であるスタビライザと、前記身体領域の表面と接して前記伸縮性電子デバイスへ設置するための形状および寸法であるアプリケータであって、前記制御装置へ動作可能に取り付けられるスイッチを含むアプリケータと、を備える。
【０００７】
いくつかの実施形態において、物体の表面へ伸縮性電子デバイスをあてがう工程の一方法は、信号エミッタからの放射される信号を初期化する工程であって、前記放射される信号は物体の表面へ向けられる工程と、前記放射される信号からの戻り信号をレシーバを用いて検出する工程と、前記放射される信号および前記受信される戻り信号を回路を用いて比較する工程と、前記比較に基づいて前記物体の特徴の表現を形成する工程と、前記表現マップから得られる情報に基づいて前記物体の表面に対して伸縮性電子デバイスを配置する工程と、を含む。
【０００８】
いくつかの実施形態において、物体の表面へ伸縮性電子デバイスをあてがう工程の一方法は、配置アプリケータデバイスのホルダを用いて伸縮性電子デバイスを保持する工程と、前記配置アプリケータデバイスの信号エミッタから放射される信号を初期化する工程であって、前記放射される信号は物体の表面へ向けられている工程と、前記配置アプリケータデバイスの信号レシーバを用いて、前記放射される信号からの戻り信号を検出する工程と、前記配置アプリケータデバイスの回路を用いて前記放射される信号と前記受信される戻り信号とを比較する工程と、前記配置アプリケータデバイスの回路において、前記比較に基づいて前記物体の特徴の表現を形成する工程と、前記配置アプリケータデバイスにおいて、前記比較に基づいて形成される前記物体の特徴の表現を前記伸縮性電子デバイスの特徴の表現と比較する工程と、前記配置アプリケータのユーザインタフェースを用いて、前記物体の表面に対して前記伸縮性電子デバイスのための位置を示す(indicating)工程と、前記物体の表面へ前記伸縮性電子デバイスをあてがう工程と、を含む。
【０００９】
いくつかの実施形態において、身体領域の表面へ伸縮性電子デバイスをあてがう工程の一方法は、配置アプリケータデバイスのホルダを用いて伸縮性電子デバイスを保持する工程と、前記配置アプリケータデバイスの信号エミッタから放射される信号を初期化する工程であって、前記放射される信号は身体領域の表面へ向けられている工程と、前記配置アプリケータデバイスの信号レシーバを用いて、前記放射される信号からの戻り信号を検出する工程と、前記配置アプリケータデバイスの回路を用いて前記放射される信号と前記受信される戻り信号とを比較する工程と、前記配置アプリケータデバイスの回路において、前記比較に基づいて前記身体領域の特徴の表現を形成する工程と、前記配置アプリケータのユーザインタフェースを用いて、前記身体領域の表面に対して前記伸縮性電子デバイスのための位置を示す工程と、前記身体領域の表面へ前記伸縮性電子デバイスをあてがう工程と、を含む。
【００１０】
無生物の表面へ伸縮性電子デバイスをあてがう工程の一方法は、配置アプリケータデバイスのホルダを用いて伸縮性電子デバイスを保持する工程と、前記配置アプリケータデバイスの信号エミッタから放射される信号を初期化する工程であって、前記放射される信号は無生物の表面へ向けられている工程と、前記配置アプリケータデバイスの信号レシーバを用いて、前記放射される信号からの戻り信号を検出する工程と、前記配置アプリケータデバイスの回路を用いて前記放射される信号と前記受信される戻り信号とを比較する工程と、前記配置アプリケータデバイスの回路において、前記比較に基づいて前記無生物の特徴の表現を形成する工程と、前記配置アプリケータのユーザインタフェースを用いて、前記無生物の表面に対して前記伸縮性電子デバイスのための位置を示す工程と、前記無生物の表面へ前記伸縮性電子デバイスをあてがう工程と、を含む。
【００１１】
先述の説明は例示のみであり、どのような方法においても限定を意図されたものではない。上記記載された前記例示的な各態様、実施形態、および特徴に加えて、さらなる各態様、実施形態、および特徴は、図面および引き続く詳細な説明を参照して、明らかになるであろう。
〔図面の簡単な説明〕
〔図１〕図１は、固定される伸縮性電子デバイスを付けた身体部分の概要を示す図である。
【００１２】
〔図２〕図２は、固定される伸縮性電子デバイスを付けた身体部分の概要を示す図である。
【００１３】
〔図３〕図３は、固定される伸縮性電子デバイスを付けた身体部分の概要を示す図である。
【００１４】
〔図４〕図４は、関心領域(region of interest)の表面へ固定される伸縮性電子デバイスを付けた無生物の概要を示す図である。
【００１５】
〔図５〕図５は、伸縮性電子デバイスのための配置アプリケータデバイス、および身体部分の概要を示す図である。
【００１６】
〔図６〕図６は、伸縮性電子デバイスのための配置アプリケータデバイスの概要を示す図である。
【００１７】
〔図７〕図７は、物体の表面に対して所定の位置にある(in position)伸縮性電子デバイスのための、配置アプリケータデバイスの概要を示す図である。
【００１８】
〔図８〕図８は、伸縮性電子デバイスのための配置アプリケータデバイスの概要を示す図である。
【００１９】
〔図９〕図９は、本発明に係る方法のフローチャートである。
【００２０】
〔図１０〕図１０は、本発明に係る方法のフローチャートである。
【００２１】
〔図１１〕図１１は、図１０に記載の方法の各態様を示すフローチャートである。
【００２２】
〔図１２〕図１２は、図１０に記載の方法の各態様を示すフローチャートである。
【００２３】
〔図１３〕図１３は、図１０に記載の方法の各態様を示すフローチャートである。
【００２４】
〔図１４〕図１４は、図１０に記載の方法の各態様を示すフローチャートである。
【００２５】
〔図１５〕図１５は、図１０に記載の方法の各態様を示すフローチャートである。
【００２６】
〔図１６〕図１６は、図１０に記載の方法の各態様を示すフローチャートである。
【００２７】
〔図１７〕図１７は、図１０に記載の方法の各態様を示すフローチャートである。
【００２８】
〔図１８〕図１８は、図１０に記載の方法の各態様を示すフローチャートである。
【００２９】
〔図１９〕図１９は、図１０に記載の方法の各態様を示すフローチャートである。
【００３０】
〔図２０〕図２０は、図１０に記載の方法の各態様を示すフローチャートである。
【００３１】
〔図２１〕図２１は、図１０に記載の方法の各態様を示すフローチャートである。
【００３２】
〔図２２〕図２２は、図１０に記載の方法の各態様を示すフローチャートである。
【００３３】
〔図２３〕図２３は、図１０に記載の方法の各態様を示すフローチャートである。
【００３４】
〔図２４〕図２４は、本発明に係る方法のフローチャート図である。
【００３５】
〔図２５〕図２５は、本発明に係る方法のフローチャート図である。
〔発明の概要〕
下記の詳細な説明において、本明細書の一部を形成する当該添付図面への参照がなされる。当該図面において、類似のシンボルは、文脈が要求しない限り典型的に類似のコンポーネントを識別(identify)する。前記発明の詳細、図面、および特許請求の範囲における当該例示的な実施形態は、限定を意図されたものではない。他の実施形態が活用可能であり、また、ここに提示された発明特定事項の範囲または精神から発することなく、他の変更がなされ得る。
【００３６】
いくつかの状況において、当該身体上に装着される伸縮性電子デバイスの動作および／または実行は、前記身体部の表面下にある１つ以上の特徴に対して前記身体パートの表面上の前記伸縮性電子デバイスの位置および特定の配向に、部分的に依存する。例えば、いくつかの実施形態において、伸縮性電子デバイスは、筋肉活動、神経活動、パルス、血圧、および／または内部構造の動きのような身体の内部状態をモニター(monitor)するため、身体部分に設置される。前記伸縮性電子デバイスの精確な配向および位置取りは、このモニタリングを実行するデバイスの性能を、改善し得る。例えば、Ｊｅｏｎｇらの“Materials and Optimized Designs for Human-Machine Interfaces Via Epidermal Electronics” Advanced Materials 25: 6839-6846 (2013)を参照せよ。前記文献は参照により編入される。例えば、伸縮性電子デバイスは、前記電子デバイス上の特定の場所での電気的活動のセンサを含むことができ、また、表面下の神経へ隣接するそのセンサの位置は、その特定の神経における電気的活動の検出を改善し得る。例えば、伸縮性電子デバイスは、アンテナを含むことが出来、身体内に移植された医療装置からの信号を受信するように、および前記身体に遠位(distal)の外部のデバイスへの前記インプラントからの受信信号を中継するように、構成され得る。前記伸縮性電子デバイスの配向および位置ならびにそのアンテナは、幾つかの状況において、前記アンテナの機能ならびに前記身体に遠位の外部のデバイスへの前記インプラントからの受信信号の中継に、影響を与え得る。同様に、伸縮性電子デバイスは、誘導コイルを含むことができ、身体において表面下の位置に置かれたインプラントへ電力を供給するように配向され、配置され得る。例えば、伸縮性電子デバイスは、加熱器および熱電対を含むことができ、前記伸縮性電子デバイスは、前記物体の温度を検出して前記物体へ熱を送達するように構成され得る。例えば、伸縮性電子デバイスは、ＲＦＩＤタグであって、前記物体に対してある配向または位置で設置されるように意図されるタグを含み得る。本明細書中に記載される装置および方法は、表面下の特徴に対して身体の表面をあてがう間、１つ以上の伸縮性電子デバイスの配向および位置取りを補助するように使用され得る。
【００３７】
いくつかの状況において、無生物の表面へ固定される電子デバイスの動作および／または性能は、前記無生物の表面下にある１つ以上の特徴に対する前記無生物の表面上の前記伸縮性電子デバイスの特定の位置及び配向に、部分的に依存する。例えば、いくつかの実施形態において、伸縮性電子デバイスは、電気的活動、磁気的活動、音、内部動作、および／または物体の構造的完全性のような、無生物の内部条件をモニターするために、当該無生物上に設置される。前記伸縮性電子デバイスの精確な配向および位置取りは、このモニタリングを実行する当該デバイスの性能を改善し得る。例えば、伸縮性電子デバイスは、モーションセンサを含むことができ、また、前記無生物内でのモータに隣接する前記モーションセンサの位置取りは、前記モータの動作の検出を改善し得る。例えば、伸縮性電子デバイスは、電気的センサを含む事ができ、また、前記無生物内での電気的導管へ隣接する前記電気的センサの位置取りは、前記導管からの電気的信号の検出を改善し得る。例えば、伸縮性電子デバイスは、ラジエータまたは熱電対を含むことができ、また、前記伸縮性電子デバイスは、熱を検出して前記物体の表面に沿って当該熱を放散し、または外部の空気へ移送するように構成されてもよい。前記ラジエータまたは熱電対の配向および位置は、いくつかの状況において、前記伸縮性電子デバイスが前記物体の表面に沿って熱を検出し放散する性能を変化させ得る。本明細書中に記載される装置及び方法は、表面下の特徴に対して無生物の表面へあてがいを行う間、１つ以上の伸縮性電子デバイスの配向および位置取りを補助するように使用され得る。
【００３８】
今、図１を参照に示されるのは、人間の手首へ固定される伸縮性電子デバイスであって、本明細書中に記載される１つ以上の各プロセスデバイスを導入するための文脈として働き得るデバイスの例である。
異なる図における同一のシンボルの使用は、文脈が他に要求しない限り、同一の(identical)または同様の品目を指す。前記各図の各態様は、例示の目的のために表現され、従って寸法のために描かれたものではないかもしれない。図１は、伸縮性電子デバイスが、その特定の表面の下の当該表面下の特徴に対して、表面上の特定の配向へ、および表面上の特定の場所へ、あてがわれる実施形態を示す。
図１は、人間の手首に対して、特に当該手首の表皮の下の血管に対して固定される伸縮性電子デバイスを示す。なお血管の特定の構成は図１に例示されているが、特定の人間の手首における血管の精確な位置は、各自の間で変化する。血管の位置のような表面下の人体の特徴は、各人物により、および特定の時のそれらの位置に依存して、部分的に可視または不可視であり得る。加えて、前記表皮層の下の人体の他の特徴は、各自の間で、身体部分の寸法、曲率、および前記身体部分の表面のように、ならびに、当該成分および前記身体部分の表面下の特徴の精確な位置のように変動するであろう。従って、伸縮性電子デバイスの正確な配向および位置取りは、各自の間で異なるであろう。
【００３９】
前記デバイスおよび方法のいくつかの実施形態は、無生物の表面へ伸縮性電子デバイスであって、前記表面の下の特徴に対して配向されおよび配置されるデバイスをあてがうための使用に好適である。例えば、いくつかの実施形態において伸縮性電子デバイスは、無生物内のモータ、表面下の電気的接続、応力集中予期部、表面、または他の無生物内の特徴の下の、き裂、空隙、またはギャップのような特徴に対して、別のデバイスの表面へあてがわれ得る。従って、表面下の特徴に対する伸縮性電子デバイスの正確な配向および位置取りは、特定の無生物であって異なるように類似している無生物の間で、変動し得る。
【００４０】
前記デバイスおよび方法のいくつかの実施形態は、植物の表面へ伸縮性電子デバイスであって、前記表面下の特徴に対して配向されおよび配置されるデバイスをあてがうような使用に対して好適である。例えば、いくつかの実施形態において、伸縮性電子デバイスは、植物の表面へ、枝分かれ部位、蕾、内部空洞、内部小管、管孔、または前記植物内の他の特徴のような特徴に対してあてがわれ得る。従って、表面下の特徴に対する伸縮性電子デバイスの正確な配向および位置取りは、特定の植物であって異なるように類似している植物の間で、変動し得る。
【００４１】
図１に、身体の領域である人の手１２０および手首１３０を示す。手首１３０は、関心領域１４０であって、前記皮膚の下の複数の血管１４５を含み、前記皮膚層へ隣接する領域を含む。欠陥１４５は図１に例示されるが、同様に置かれる血管は、各自の色素沈着および皮膚厚のような要素に依存して、所与の各自において可視または不可視であり得る。伸縮性電子デバイスは、１００は、関心領域１４０において手首１３０へ固定される。いくつかの実施形態において、前記伸縮性電子デバイスは、前記隣接する表面の下の特徴の異なる各態様をモニターするような型であり、モニターするように配置され得る。例えば、伸縮性電子デバイスが身体部分の表面へ固定される実施形態において、前記伸縮性電子デバイスは、血管、神経、骨、脂肪沈着物、筋肉群、皮膚層厚および成分のような表面下の特徴、ならびに先行して外科的に移植されたインプラント、に対して配向され、配置され得る。前記表面下の特徴は、ユーザに可視ではないかもしれない。例えば、Ｓｗｉｓｈｅｒらの“Impedance Sensing Device Enables Early Detection of Pressure Ulcers in Vivo”, Nature Communications, 6: 6575, doi: 10/1038. ncomms7575を参照せよ。前記文献は参照により本願に編入される。加えて、伸縮性電子デバイスは、はん痕組織、皺、入れ墨、色素沈着領域、新生物性領域、および摩耗領域のような表面レベルで含まれる特徴に対して配向されおよび配置され得る。表面レベルで含まれる各特徴は、ユーザにとって容易に視認できないかもしれない。伸縮性電子デバイスは、当該着用者の所望の美容または快適さに対して身体領域上で配向されおよび配置されることも可能である。
【００４２】
本明細書中で使用される「伸縮性電子デバイス」は、フレキシブルおよび伸縮可能である基板ならびに取り付けられる電気回路を含むデバイスであって、数日または数週間のような期間の間、物体の表面に一致するような形状および寸法である極薄構造として製造されるデバイスである。いくつかの実施形態において、伸縮性電子デバイスは、μｍのスケールにおける厚さを有し、kPaスケールの低いヤング率を有する（例えば、Ｋｉｍらの“Epidermal Electronics,” Science 333: 838-843, (2011)を参照せよ。当該文献は参照により本願に編入される。）。例えば、いくつかの実施形態において伸縮性電子デバイスは、１００μｍよりも薄い厚さを平均して、および１００ｋＰａよりも小さなヤング率を平均して有する。例えば、いくつかの実施形態において伸縮性電子デバイスは、５０μｍよりも薄い厚さを平均して、および８０ｋＰａよりも小さなヤング率を平均して有する。例えば、いくつかの実施形態において伸縮性電子デバイスは、５００ミクロンよりも薄い厚さを平均して、および５００ｋＰａよりも小さなヤング率を平均して有する（例えば、ＲｏｄｇｅｒｓおよびＫｉｍの米国特許出願Ｎｏ．２０１３／００４１２３５“Flexible and Stretchable Electronic Systems for Epidermal Electronicsを参照せよ。当該文献は参照により本願に編入される）。いくつかの実施形態において、伸縮性電子デバイスは、表皮電子デバイスであり得る（例えば、Ｋｉｍらの“Epidermal Electronics,” Science333: 838-843, (2011)およびＭａの“An Electronic Second Skin,” Science333: 830-831, (2011)を参照せよ。当該文献は参照により各々本願に編入される。）。いくつかの実施形態において、伸縮性電子デバイスは、コンフォーマル電子デバイスであり得る。いくつかの実施形態において、伸縮性電子デバイスは、シルクフィブロインから製造された支持体を含む（例えば、Ｋｉｍらの“Dissolvable Films of Silk Fibroin for Ultrathin, Conformal Bio-Integrated Electronics,” Nature Materials 9(6): 511-517 (2010)を参照せよ。当該文献は参照により本明細書に編入される。）。いくつかの実施形態は、支持体であって、前記表面への伸縮性電子デバイスのあてがいの後に剥がして外され、または溶解される支持体から伸縮性電子デバイスを含む（例えば、Ｙｅｏらの“Multifunctional Epidermal Electronics Printed Directly Onto the Skin,” Advanced Materials (2013), DOI: 10.1002/adma.201204426、Ｒｏｇｅｒｓらの米国特許出願Ｎｏ．２０１２／０１５７８０４, “High-speed, High-resolution Electrophysiology In-vivo Using Conformal Electronics”、Ｓａｌｖａｔｏｒｅらの“Wafer-scale Design of Lightweight and Transparent Electronics that Wraps Around Hairs,” Nature Communications(2014) DOI: 10.//1038/ncomms3982、ならびにＲｏｄｇｅｒｓおよびＫｉｍらの米国特許出願Ｎｏ．２０１３／００４１２３５, “Flexible and Stretchable Electronic Systems for Epidermal Electronics"を参照せよ。当該文献は参照により本願に各々編入される。）。いくつかの実施形態は、バリア層を含んでいる伸縮性電子デバイスを含む。伸縮性電子デバイスの前記バリア層は、前記伸縮性電子デバイスへ固定される表面と前記伸縮性電子デバイスの１つ以上の特徴との間の接触を変調するパターンを含み得る（例えば、Ｒｏｄｇｅｒｓらの米国特許出願Ｎｏ．２０１２／０１５７８０４“High-speed, High-resolution Electrophysiology In-vivo Using Conformal Electronics”を参照せよ。当該文献は参照により本願に編入される。）。
【００４３】
伸縮性電子デバイスは、支持体へ各々固定され、伸縮性電子デバイスへ一体化される、デバイス孤立部(device islands)として時折言及される、非フレキシブルの(inflexible)複数のブロックを含み得る（例えば、Ｒｏｄｇｅｒｓらの米国特許出願Ｎｏ．２０１３／００４１２３５”Flexible and Stretchable Electronic Systems for Epidermal Electronics”、ｄｅ  Ｇｒａｆｆらの米国特許Ｎｏ．８，５３６，６６７“Systems, Methods and Devices Having Stretchable Integrated Circuitry for Sensing and Delivering Therapy,”、ｄｅ  Ｇｒａｆｆらの米国特許Ｎｏ．８，０９７，９２６“Systems, Methods and Devices Having Stretchable Integrated Circuitry for Sensing and Delivering Therapy,”、ならびにＫｉｍらの“Materials for Stretchable Electronics in Bioinspired and Biointegrated Devices,” MRS Bulletin 37: 226-235 (2012)を参照せよ。当該文献は参照により各々本願に編入される。）。いくつかの実施形態において、前記非フレキシブルブロックの各々は、機能的ユニットを含む。例えば、機能的ユニットは、温度センサ、圧力センサ、加速度計、アンテナ、レシーバ、トランスミッタ、電気的センサ、磁気的センサ、張力センサ、プロセッサ、エネルギー収穫(harvesting)デバイス、前記機能ユニットのいずれかに対する回路、または他の機能的コンポーネントを含み得る。機能ユニットを含む前記各非フレキシブルブロックは、前記伸縮性電子デバイスを通じて電気的回路網システムを作り出すように、ワイヤコネクタによって互いに接続され得る。機能ユニットを含む前記各非フレキシブルブロックは、前記伸縮性電子デバイスを通じて電気的回路網システムを作り出すように、無線コネクタによって互いに接続され得る。例えば、ＬｉｔｔおよびＶｉｖｅｎｔｉの米国特許出願Ｎｏ．２０１１／００５４５８３“Flexible and Scalable Sensor Arrays for Recording and Modulating Physiologic Activity,”を参照せよ。当該文献は参照により本願に編入される。いくつかの実施形態において、伸縮性電子デバイスは、スタンプの使用によって製造され得る（例えば、Ｈｓｕらの米国特許出願Ｎｏ．２００７／０１４２６１９“Forming Electrical Contacts to a Molecular Layer,”、ならびにｄｅ  Ｇｒａｆｆらの米国特許”Methods and Applications of Non-planar Imaging Arrays,”を参照せよ。当該文献は参照により本願に編入される。）。
【００４４】
いくつかの実施形態において、伸縮性電子デバイスは、シリコンウェーファ基板を用いて製造され得る（例えば、Ｈｗａｎｇらの“Materials and Fabrication Processes for Transient and Bioresorbable High-performance Electronics,” Advanced Materials (2013), DOI: 10.1002/adfm.201300127を参照せよ。当該文献は参照により本願に編入される。）。いくつかの実施形態において、伸縮性電子デバイスは、生体吸収性の無線周波数エレクトロニクスを備えるように製造され得る（例えば、Ｈｗａｎｇらの“Materials for Bioresorbable Radio Frequency Electronics,” Advanced Materials (2013), DOI: 10.1002/adma.201300920を参照せよ。当該文献は参照により本願に編入される。）。
【００４５】
本明細書中で使用される「ユーザ」は、伸縮性電子デバイスを表面へあてがう人物である。いくつかの実施形態において、前記伸縮性電子デバイスは、身体部分の前記表面（例えば、皮膚または上皮組織）へとあてがわれる。前記ユーザは、前記伸縮性電子デバイスをあてがう医療チームメンバを含み得る。いくつかの実施形態において、本明細書中で記載される装置および方法は、前記表面下の特徴に対してそれら自体の身体表面へ伸縮性電子デバイスをあてがうように各自によって使用されることができ、「ユーザ」は前記各自を含み得る。いくつかの実施形態において、伸縮性電子デバイスは、無生物の表面にあてがわれ、前記ユーザは、前記物体の表面下の特徴に対して前記あてがいを実行する人物である。実施形態に依存して、ユーザは、人間のユーザ、ロボットのユーザ（例えば、計算処理上の実体）、および／またはそれらの、文脈が他に要求しない限り本質的に任意の組合せ（例えば、ユーザは1つ以上のロボットエージェントによって補助されていてもよい）の代表例であり得る。
【００４６】
図２に、前記皮膚面の表面下の特徴に対して手首１３０の皮膚面にあてがわれる伸縮性電子デバイス１００の付加的な各態様を例示する。前記伸縮性電子デバイス１００は、前記伸縮性電子デバイス１００の最良の結果に応じた配向および位置において手首１３０の皮膚面へあてがわれる。前記手首１３０は、関心領域１４０であって、皮膚の下に複数の血管１４５を含む領域を含む。前記伸縮性電子デバイス１００が、前記伸縮性電子デバイス１００の操作性を最大化するために配向および配置されるように、図２に示される前記伸縮性電子デバイス１００はあてがわれている。前記伸縮性電子デバイス１００が、前記伸縮性電子デバイス１００の２つの機能ユニット２００を設置するために前記手首１３０の表面上で表面下の血管１４５に隣接する部分において配向および配置されるように、図２に示される前記伸縮性電子デバイス１００はあてがわれている。実施形態に依存して、前記２つの機能ユニット２００は、互いに同一であるか、または互いに異なる１つ以上の型であり得る。前記表面下の血管１４５へ隣接する前記皮膚面上に配置される前記伸縮性電子デバイス１００の前記２つの機能ユニット２００は、表面下の血管へ隣接する面上に配置されるとき、より効率的な、および／またはより良い結果を伴う型である。例えば、前記機能ユニットは、いくつかの実施形態において、脈拍数または血圧をモニタするように構成される血圧センサ、および／または光エミッタおよびパルスオキシメトリーのために構成されるレシーバを備え得る。前記伸縮性電子デバイス１００は、その主軸に対して配向されおよび配置されており、図２においてＸおよびＹとして識別される。前記伸縮性電子デバイス１００の第３の機能ユニット２１０は、血管１４５へ隣接する位置にはない。第３の機能ユニットは、表面下の血管へ隣接する表面上に配置されるとき、より効率的ではなく動作し、および／またはより良い結果を伴う型であり得る。例えば、第３の機能ユニットは、実施形態に依存して、アンテナ、レシーバ、トランスミッタ、エネルギー収穫デバイス、または別の機能ユニットに関する回路を含み得る。いくつかの実施形態において、伸縮性電子デバイスは、前記表面レベルのそれと同様、前記表面下の身体の特徴（例えば、はん痕、皺、色素沈着領域、新生物、等々）の組合せに基づいて配向および配置され得る。いくつかの実施形態において、伸縮性電子デバイスは、バリア層であって、固定される表面を伴う前記伸縮性電子デバイスの機能ユニットの、より高い接点およびより低い接点の領域を作り出す層を含む。いくつかの実施形態において、伸縮性電子デバイスは、前記伸縮性電子デバイスの前記バリア層、前記伸縮性電子デバイスの１つ以上の機能ユニット、および前記物体の表面下の特徴、に対して配置アプリケータデバイスによって物体の表面上に配置され配向されることができる。
【００４７】
図３に、手首１３０の皮膚面へあてがわれる伸縮性電子デバイス１００の各態様を示す。図示される前記伸縮性電子デバイス１００は、前記伸縮性電子デバイス１００の操作性を最大化するような配向および配置において手首１３０の前記皮膚面へあてがわれてはいない。図３における前記伸縮性電子デバイス１００は、前記伸縮性電子デバイス１００が、血管１４５へ隣接しない位置で手首１３０の表面上の前記伸縮性電子デバイス１００の全ての機能ユニット２００、２１０を設置するように配向され、配置されるようにあてがわれている。前記伸縮性電子デバイス１００は、その主軸に対して配向されおよび配置されており、主軸は図３においてＸおよびＹとして識別される。前記伸縮性電子デバイス１００の２つの機能ユニット２００が、前記手首の皮膚面下の血管へ隣接する皮膚面上に設置されるときに最大の効率を持って動作するような型であるとき、図３において示される前記伸縮性電子デバイス１００の配向および位置は、それらの機能ユニットに対して前記伸縮性電子デバイス１００の最大の効率を促進しない。
【００４８】
図４に、無生物４００の関心領域１４０の表面へ固定される伸縮性電子デバイス１００を伴う無生物４００を示す。前記伸縮性電子デバイス１００は、その長軸に対して前記無生物４００の関心領域１４０の表面上に配向されており、長軸は図４においてＸおよびＹとして識別される。関心領域１４０は、表面下の少なくとも１つの第１の特徴４１０と、第２の特徴４２０と、を含む。例えば、実施形態に依存して、前記特徴は、熱モニタリング、電気的接続、磁気領域、およびモータ、を要求する領域、および／または機械的故障もしくは応力による、き裂もしくは緩みの可能性を有する構造の領域を含み得る。実施形態に依存して、伸縮性電子デバイスは、複数の同一のまたは異なる型の機能ユニットを含み得る。例えば実施形態に依存して、伸縮性電子デバイスは、複数の温度センサ、加速度計、張力センサ、振動センサ、磁気センサ、電気センサ、アンテナ、トランスミッタ、レシーバ、および関連づけられる回路を含み得る。いくつかの実施形態において、関心領域は、表面における構造であって、くぼみ、突起、コネクタ、端部、接合部、関節、縫線(seams)、等々のような伸縮性電子デバイスの配向および位置に影響を与えるであろう構造もまた含み得る。前記伸縮性電子デバイスは、表面下の特徴と同様に、これら表面の特徴に対して配向されおよび配置されてもよい。
【００４９】
図４において図示される前記伸縮性電子デバイス１００は、第１の機能ユニット４４０、第２の機能ユニット４５０、および第３の機能ユニット４６０を含む。前記伸縮性電子デバイス１００は、第１の機能ユニット４４０が前記第１の特徴４１０へ隣接して配置されるような配置および配向を伴って、無生物４００の表面へあてがわれている。前記伸縮性電子デバイス１００は、第２の機能ユニット４５０が前記第２の特徴４２０へ隣接して配置されるような配置および配向を伴って、無生物４００の表面へあてがわれている。加えて、前記伸縮性電子デバイス１００は、無生物４００の構造における割れまたはき裂のような、未知の表面下の特徴を検出し得る第３の機能ユニット４６０を含む。図４において例示される実施形態において、第３の機能ユニット４６０は、未知の表面下の特徴４３０であって、無生物４００の表面下の構造における割れもしくはき裂である特徴を検出することが可能でもよい。割れやき裂のような未知の表面下の特徴は、無生物の構造において初期からは存在せず、時間経過につれて発展するものであってもよい。伸縮性電子デバイスは、いくつかの実施形態において、前記伸縮性電子デバイスの１つ以上の機能ユニットが、表面下の領域であって、例えば使用中の加熱または応力の間に割れおよびき裂に対するポテンシャルを有する領域へ隣接して配置されるように、配向されおよび配置されることができる。伸縮性電子デバイスは、いくつかの実施形態において、そのような時間経過につれて発展し、変化し、および／または拡張する表面下の特徴の可能性に対してモニターするために使用され得る。
【００５０】
図５に、手首１３０と関連づけられる人間の手１２０を示す。手首１３０は、関心領域１４０を含む。関心領域１４０は、皮膚の表面下に、例えば図示される血管１４５のような、１つ以上の関心ある特徴を含む。物体の表面へ伸縮性電子デバイスをあてがう配置アプリケータデバイス５００であって、前記物体は人体の一部であるデバイスは、関心領域１４０へ隣接する手首１３０の表面上に配置される。いくつかの実施形態において、前記配置アプリケータデバイス５００は、前記表面への前記伸縮性電子デバイスのあてがいの間、前記手首へリバーシブルに取付けるためのストラップまたは他のアクセサリを、含む。いくつかの実施形態において、前記配置アプリケータデバイス５００は、少なくとも１つのユーザインタフェース５１０を含む。例えば、配置アプリケータデバイスは、ディスプレイであるユーザインタフェース、１つ以上の光インジケータ、１つ以上の音エミッタ、または他のユーザインタフェース構造を備え得る。
【００５１】
いくつかの実施形態において、物体の表面に伸縮性電子デバイスをあてがうための配置アプリケータデバイスは、伸縮性電子デバイスのためのホルダと、放射される信号を物体の表面へ向けるように配置される信号エミッタ と、前記物体の表面からの戻り信号を検出するように配置されるレシーバと、前記信号エミッタおよび前記レシーバへ動作可能に接続される回路であって、物体の表面および表面下の特徴を識別するために前記放射される信号と前記戻り信号とを比較するように構成される回路と、前記表面および表面下の識別される特徴と、メモリに格納される前記物体の表面および表面化の特徴のマップとを比較するように構成される回路と、前記ホルダに動作可能に固定されるポジショナであって、前記比較に基づいて前記物体の表面上の位置へ前記伸縮性電子デバイスをあてがうように配置され組立てられるポジショナと、を含む。使用の間、物体の表面へ伸縮性電子デバイスをあてがうための配置アプリケータデバイスは、ユーザによって関心領域へ隣接して設置され、その後前記配置アプリケータデバイスは、前記関心領域の表面下の関心ある１つ以上の特徴を検出するように、そして前記関心ある１つ以上の特徴に対して配向および位置で少なくとも１つの伸縮性電子デバイスをあてがうように、シークする。いくつかの実施形態において、前記配置アプリケータデバイスは、前記関心領域の表面上で、および前記関心領域の表面下で１つ以上の関心ある特徴を検出するように、ならびに前記表面上でおよび前記表面下において前記１つ以上の関心ある特徴に対して配向および配置で少なくとも１つの伸縮性電子デバイスをあてがうように、シークする。いくつかの実施形態において、前記配置アプリケータデバイスは、例えば、もし前記関心領域の表面下の特徴の前記表現が、１つ以上の伸縮性電子デバイスの先行するあてがいの間に前もって生成されている場合、関心領域の表面下の特徴の前もって生成された表現に関する情報を含んでいるメモリを含む。
【００５２】
本明細書中で使用されるように、「マップ」は、１つ以上の物体の表面下のおよび／または表面の特徴に関する場所情報を言及し得る。例えば、マップは、相対的間隔、絶対的間隔、および／または物体の他の特徴に基づく場所を含み得る。いくつかの実施形態において、マップは、１つ以上のイメージを含み得る。いくつかの実施形態において、マップは、前記物体の表面からの深度距離または特徴間の距離のような、距離情報を含み得る。いくつかの実施形態において、マップは、２つ以上の前記物体の表面下のおよび／または表面の特徴の相対的配置に関する方向情報のような方向情報を含み得る。
【００５３】
いくつかの実施形態において、物体の表面に伸縮性電子デバイスをあてがうための配置アプリケータデバイスは、伸縮性電子デバイスのためのホルダと、放射される信号を物体の表面へ向けるように配置される信号エミッタと、表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される前記回路と、を含む制御装置と、前記制御装置に動作可能に取り付けられるユーザインタフェースと、前記ホルダに動作可能に固定されるポジショナであって、前記制御装置に応じて、前記物体の特徴の表現および前記伸縮性電子デバイスの特徴の表現に基づいて前記伸縮性電子デバイスを前記物体の表面上の位置へあてがうように、配置され構築されているポジショナと、前記物体の表面と接して前記伸縮性電子デバイスへ設置するための形状および寸法であるアプリケータであって、前記制御装置へ動作可能に取り付けられるスイッチを含むアプリケータと、を含む。いくつかの実施形態において、前記物体は、身体領域である。いくつかの実施形態において、前記物体は、製造されたデバイスまたは他の物体のような無生物である。いくつかの実施形態において、前記物体は、例えば葉、茎、または幹のような、植物の部分である。
【００５４】
図６に、物体の表面へ伸縮性電子デバイスをあてがうための配置アプリケータデバイスの実施形態の各態様を示す。図６に示される配置アプリケータデバイス５００は、例示のため、外側に面している前記物体の表面へ隣接して配置されることを意図される前記配置アプリケータデバイスの側面を伴って示される。前記配置アプリケータデバイス５００は、前記配置アプリケータデバイス５００へリバーシブルに固定される伸縮性電子デバイス１００を含む。前記伸縮性電子デバイス１００は、前記伸縮性電子デバイス１００の面であって前記表面（例えば、図５における手首の表面）と接触するであろう面が前記デバイス５００から離れて面するように、配向される。このように、前記配置アプリケータデバイス５００が表面（例えば、図５における手首の表面）上に設置されるとき、前記伸縮性電子デバイス１００の当該面であって前記表面と接触するであろう面は、前記表面に隣接して配置される。前記配置アプリケータデバイス５００は、前記配置アプリケータデバイス５００の側面であって前記伸縮性電子デバイス１００に面していない側面を囲むシェル６３０を含む。
【００５５】
前記伸縮性電子デバイスは、前記伸縮性電子デバイスのためのホルダによって前記配置アプリケータデバイスへリバーシブルに固定される。図６に示される実施形態において、伸縮性電子デバイス１００は、リバーシブル締結具(fastener)６６０を伴う前記ホルダ６７０へ固定される。いくつかの実施形態において、前記ホルダは、前記伸縮性電子デバイスのためのリバーシブル締結具であって、前記伸縮性電子デバイスを安定化させるように配置される締結具を含む。いくつかの実施形態において、前記ホルダは、前記伸縮性電子デバイスの１つ以上の端部を囲むように構成されるフレームを含む。前記フレームは、例えば、前記伸縮性電子デバイスのための１つ以上のリバーシブル締結具を含み得る。いくつかの実施形態において、前記ホルダは、少なくとも１つの伸縮性電子デバイスを維持するような形状および寸法であるリール、前記リールへ動作可能に取り付けられるモータを含む。例えば、いくつかの実施形態において、複数の伸縮性電子デバイスは、フレキシブルな裏打ちシートへ固定され、前記リールへ固定されるロール中へとカールさせられることができる。前記リールへ取付けられる前記モータは、前記ロールにおいて１つ以上の伸縮性電子デバイスを繰り上げるために必要とされるとき、前記フレキシブルな裏打ちシートを前進させることができる。
【００５６】
いくつかの実施形態において、前記ホルダは、前記伸縮性電子デバイスの寸法を変更するように配置されるマニピュレータを含む。例えば、マニピュレータは、前記伸縮性電子デバイスのための切断器具を含み得る。例えば、マニピュレータは、前記表面へ前記伸縮性電子デバイスのあてがいの後または前に伸縮性電子デバイスから、余剰の裏打ちシートのような、任意の所望でない余剰材料をトリミングするように配向される切断器具を含み得る。例えば、マニピュレータは、前記表面と前記伸縮性電子デバイスとをよりよく整列させるための前記伸縮性電子デバイスのトリミング端部または丸みつけ角部のような、前記伸縮性電子デバイスの形状又は寸法を変化させるように配向される切断器具を含み得る。いくつかの実施形態において、前記制御装置は、前記伸縮性電子デバイスの特徴の表現および前記物体の特徴の表現に応答して前記マニピュレータへ動作信号を発信する。いくつかの実施形態において、前記マニピュレータは、前記制御装置の制御の下にあり、そして前記伸縮性電子デバイスは、前記制御装置における情報を参照にトリミングされる。例えば、制御装置は、例えば前記領域の当該組織分布(topograpy)のような、前記物体の表面についての情報に応答して前記伸縮性電子デバイスをトリミングするように、切断器具へ信号を発信してもよい。例えば、制御装置は、腕木(bracket)、ホルダ、き裂、または関節のような無生物である物体の表面の特徴についての情報に応答して前記伸縮性電子デバイスをトリミングするように、前記切断器具へ信号を発信してもよい。例えば、制御装置は、はん痕のような、身体である物体の表面上の特徴についての情報に応答して前記伸縮性電子デバイスをトリミングするように、前記切断器具へ信号を発信してもよい。
【００５７】
いくつかの実施形態において、前記ホルダは、前記伸縮性電子デバイスの張力を制御するように寸法、形状、および配置について適合可能なテンショナを含む。例えば、適合可能なテンショナは、前記伸縮性電子デバイスの１つ以上の主軸（例えば、図２、３、および４における軸ＸおよびＹ）にそって前記伸縮性電子デバイスの張力を制御し得る。いくつかの実施形態において、前記ホルダは、前記制御装置へ動作可能に接続され、前記制御装置を用いて生じている信号に応答して前記伸縮性電子デバイスを検出するように構成される。いくつかの実施形態において、配置アプリケータデバイスは、複数の伸縮性電子デバイスを保持するような形状および寸法であるストレージ領域であって、前記ホルダへ動作可能に取り付けられるストレージ領域を含む。
【００５８】
図６に例示される実施形態において、前記伸縮性電子デバイス１００は、リバーシブル締結具６６０の１組を含むホルダによって前記配置アプリケータデバイス５００へリバーシブルに固定される。例えば、前記リバーシブル締結具は、実施形態に依存して、クリップまたは固体タブを含み得る。図６において例示される前記実施形態は４つの締結具であるリバーシブル締結具６６０の１組を含むものの、いくつかの実施形態において、４つのリバーシブル締結具より少なく、またはより多くてもよい。いくつかの実施形態は、１つのリバーシブル締結具を含む。いくつかの実施形態は、２つのリバーシブル締結具を含む。いくつかの実施形態は、３つのリバーシブル締結具を含む。いくつかの実施形態は、５つのリバーシブル締結具を含む。いくつかの実施形態は、６つのリバーシブル締結具を含む。いくつかの実施形態は、６つより多くのリバーシブル締結具を含む。図６において示される前記リバーシブル締結具６６０は、前記伸縮性電子デバイス１００の端部の当該長軸の端部近傍に配置される。前記リバーシブル締結具の間隔、配置、および数は、実施形態に依存して変動し得る。いくつかの実施形態は、伸縮性電子デバイスの異なる実施形態を用いた使用のために配置され配向される、可変数であるリバーシブル締結具を含む。
【００５９】
一実施形態において、伸縮性電子デバイスは、放射される信号を物体の表面へ向けるように適合し配置する信号エミッタを含む。いくつかの実施形態において、前記信号エミッタは、光信号エミッタである。例えば、前記信号エミッタは、光源であり得る。例えば、前記信号エミッタは、ＬＥＤおよび／またはレーザを含む光源であり得る。いくつかの実施形態において、前記信号エミッタは、近赤外線信号エミッタである。いくつかの実施形態において、前記信号エミッタは、超音波エミッタである。いくつかの実施形態において、前記信号エミッタは、高周波(RF)エミッタである。いくつかの実施形態において、前記信号エミッタは、例えば無線または有線のコネクタを用いて、前記制御装置へ動作可能に接続される。いくつかの実施形態において、前記信号エミッタは、例えば２つ以上の光源を含み得る信号エミッタのように、同一の型のサブエミッタを含む。例えば、信号エミッタは、２つ以上のサブエミッタであって、前記サブエミッタの各々は少なくとも１つのＬＥＤを含んでいるサブエミッタを含み得る。いくつかの実施形態において、前記信号エミッタは、例えば信号エミッタが光源およびＲＦエミッタを含み得るように、異なる型のサブエミッタを含む。いくつかの実施形態において、前記信号エミッタは、前記物体の表面からの所定の距離に配置される。いくつかの実施形態において、前記信号エミッタは、前記物体の表面と接触するように配置される。
【００６０】
図６において示される実施形態において、前記配置アプリケータデバイス５００は、前記配置アプリケータデバイス５００はの端部へ隣接して配置される信号エミッタ６２０を含む。いくつかの実施形態において、前記信号エミッタは、光信号エミッタである。例えば、前記信号エミッタは、光源であり得る。例えば、前記信号エミッタは、ＬＥＤおよび／またはレーザを含む光源であり得る。いくつかの実施形態において、前記信号エミッタは、超音波エミッタである。いくつかの実施形態において、前記信号エミッタは、ＲＦエミッタである。いくつかの実施形態において、前記信号エミッタは、例えば無線または有線のコネクタを用いて、前記制御装置へ動作可能に接続される。いくつかの実施形態において、前記信号エミッタは、例えば２つ以上の光源を含み得る信号エミッタのように、同一の型のサブエミッタを含む。例えば、信号エミッタは、２つ以上のサブエミッタであって、前記サブエミッタの各々は少なくとも１つのＬＥＤを含んでいるサブエミッタを含み得る。いくつかの実施形態において、前記信号エミッタは、例えば信号エミッタが光源およびＲＦエミッタを含み得るように、異なる型のサブエミッタを含む。図示される実施形態において、前記信号エミッタ６２０は、ワイヤコネクタ６２５を用いて前記制御装置６１０へ接続される。実施形態に依存して、前記制御装置は、前記信号エミッタへオンにするためおよびオフにするため制御信号を発信するように構成されるプログラムおよび／または回路を含み得る。例えば、いくつかの実施形態において、前記信号エミッタは、単一のパルス(pulse)で動作するように前記制御装置からの制御信号を受信することができ、そしていくつかの実施形態において、前記信号エミッタは、複数のパルスで動作するように前記制御装置からの信号を受信し得る。前記信号エミッタは、前記物体の表面に対する１つ以上の所定の角度へ信号を向けるように配向されおよび配置され得る。例えば、信号エミッタは、前記物体の表面に対する所定の角度であって、前記配置アプリケータデバイスの前記信号レシーバへ前記表面から反射される信号の最大レベルに帰結すると予期される当該角度に信号を向けるように、配向されおよび配置され得る。例えば、信号エミッタは、信号の多重の(multiple)バーストにおいて前記物体の表面に対する一続きの所定の各角度であって、前記配置アプリケータデバイスの前記信号レシーバへ前記表面から反射される信号全体の最大レベルに帰結すると予期される当該各角度に信号を向けるように、配向されおよび配置され得る。前記信号エミッタは、所定の強度および持続期間の１つ以上の信号を放射するように構成される型であり得る。前記信号エミッタは、所定のパターンにおいて一続きの信号を放射するように構成される型であり得る。
【００６１】
一実施形態において、配置アプリケータデバイスは、前記表面からの戻り信号であって、前記信号エミッタから向けられる当該放射される信号を用いて生じている前記戻り信号を検出するように適合され配置される信号レシーバを含む。いくつかの実施形態において、配置アプリケータデバイスは、前記表面からの戻り信号を検出するように配向される信号レシーバを含む。いくつかの実施形態において、配置アプリケータデバイスは、前記信号エミッタから生じて放射され前記物体の表面から反射される信号を検出するような型である信号レシーバを含む。例えば、もし前記配置アプリケータデバイスが光源である信号エミッタを含む場合、前記配置アプリケータデバイスは、光信号レシーバであって前記物体から反射される当該放射される光からの戻り信号を検出し得るレシーバを含む。いくつかの実施形態において、配置アプリケータデバイスは、光信号レシーバを含む。いくつかの実施形態において、配置アプリケータデバイスは、超音波レシーバを含む。いくつかの実施形態において、配置アプリケータデバイスは、ＲＦレシーバを含む。
【００６２】
図６に示される当該実施形態は、信号レシーバ６８０を含んでいる配置アプリケータデバイス５００を含む。前記配置アプリケータデバイス５００は、前記デバイス５００の端部へ隣接して配置される信号レシーバ６８０を含む。前記図示される実施形態において、前記信号レシーバ６８０は、ワイヤコネクタ６８５を用いて前記制御装置６１０へ接続される。実施形態に依存して、前記制御装置は、例えば受信される信号に関する情報を含んでいる信号のように、前記信号レシーバからの信号を受信するように構成されるプログラムおよび／または回路を含み得る。実施形態に依存して、前記制御装置は、前記信号レシーバへ、例えばオンにするためおよびオフにするための信号を発信するように構成されるプログラミングおよび／または回路を含み得る。前記信号レシーバは、前記物体の表面に対する１つ以上の所定の角度で信号を検出ように配向されおよび配置され得る。例えば、信号レシーバは、前記物体の表面に対する角度であって、前記信号エミッタから放射され、および前記表面から前記配置アプリケータデバイスの前記信号レシーバへ反射される信号の最大レベルに帰結すると予期される当該角度を検出するように、配向されおよび配置され得る。例えば、信号レシーバは、信号の多重の(multiple)バーストにおいて前記物体の表面に対する一続きの所定の各角度で放射される信号であって、前記配置アプリケータデバイスの前記信号レシーバへ前記表面から反射される信号全体の最大レベルに帰結すると予期される当該各角度に信号を検出するように、配向されおよび配置され得る。前記信号レシーバは、所定の強度および持続期間の１つ以上の信号を放射するように構成される型であり得る。前記信号レシーバは、所定のパターンにおいて一続きの信号を放射するように構成される型であり得る。前記信号レシーバは、所定の一続きおよび／または周波数において一続きの信号を放射するように構成される型であり得る。
【００６３】
配置アプリケータデバイスは、前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される前記回路と、を含んでいる制御装置を含む。いくつかの実施形態において、制御装置は、前記伸縮性電子デバイスの特徴に関する情報を含んでいる電子メモリを含む。例えば、制御装置は、伸縮性電子デバイスの１つ以上の標準モデルの特徴を含んでいる電子ファームウェアメモリを含み得る。例えば、制御装置は、伸縮性電子デバイスの１つ以上の標準モデルの特徴を含んでいるルックアップ表を電子メモリにおいて含み得る。例えば、制御装置は、伸縮性電子デバイスの１つ以上の標準モデルの特徴を含んでいる電子ソフトウェアメモリを含み得る。いくつかの実施形態において、制御装置は、前記伸縮性電子デバイスであってユーザインタフェースから受容されるデバイスの特徴に関する情報を含んでいる電子メモリを含む。例えば、制御装置は、ユーザインタフェースから受容される識別コードまたはモデル番号をメモリにおいて含み得る。いくつかの実施形態において、制御装置は、例えば光学スキャナの使用に伴って、前記伸縮性電子デバイスであって前記配置アプリケータデバイスによって生成されたデバイスの特徴に関する情報を含んでいる電子メモリを含む。いくつかの実施形態において、前記伸縮性電子デバイスの特徴に関する情報を含んでいる前記電子メモリは、前記伸縮性電子デバイスであってセンサを含むデバイスの特徴に関する情報を含む。いくつかの実施形態において、前記伸縮性電子デバイスの特徴に関する情報を含んでいる前記電子メモリは、前記伸縮性電子デバイスであって薬物経皮送達デバイスを含むデバイスの特徴に関する情報を含む。いくつかの実施形態において、前記伸縮性電子デバイスの特徴に関する情報を含んでいる前記電子メモリは、前記伸縮性電子デバイスであって神経刺激器(stimulator)を含むデバイスの特徴に関する情報を含む。いくつかの実施形態において、前記伸縮性電子デバイスの特徴に関する情報を含んでいる前記電子メモリは、前記伸縮性電子デバイスであってアンテナを含むデバイスの特徴に関する情報を含む。いくつかの実施形態において、前記伸縮性電子デバイスの特徴に関する情報を含んでいる前記電子メモリは、前記伸縮性電子デバイスであって熱電対を含むデバイスの特徴に関する情報を含む。
【００６４】
いくつかの実施形態において、制御装置は、前記物体の特徴に関する情報を含んでいる電子メモリを含む。いくつかの実施形態において、前記物体は身体である。例えば、いくつかの実施形態において、身体である前記物体の特徴に関する情報を含んでいる電子メモリは、表皮構造の少なくとも１つに関する情報を含む。前記物体が身体である場合、表皮構造の少なくとも１つに関する前記情報は、はん痕、皺、または表皮性色素沈着のような、特徴を含み得る。例えば、いくつかの実施形態において、前記物体の特徴に関する情報を含んでいる電子メモリは、身体の皮下構造の少なくとも１つに関する情報を含む。例えば、身体の皮下構造の少なくとも１つに関する前記情報は、骨の配置および組成、身体における任意の移植されたデバイスの配置及び構造、皮下性新生物の配置および構造、ならびに／または皮下はん痕組織の配置および構造、を含む。例えば、いくつかの実施形態において、身体である前記物体の特徴に関する情報を含んでいる電子メモリは、前記身体の端部構造の少なくとも１つに関する情報を含む。例えば、いくつかの実施形態において、身体である前記物体の特徴に関する情報を含んでいる電子メモリは、曲率、寸法、位置、および／または身体部分の相対的な配置についての情報を含む。例えば、いくつかの実施形態において、身体である前記物体の特徴に関する情報を含んでいる電子メモリは、先行する伸縮性電子デバイスであって前記身体の表面へ前もって固定されたデバイスの少なくとも１つに関する情報を含んでいる。
【００６５】
いくつかの実施形態において、前記物体は無生物である。いくつかの実施形態において、制御装置は、前記無生物の特徴に関する情報を含んでいる電子メモリを含む。いくつかの実施形態において、制御装置は、前記物体の端部構造の少なくとも１つを含んでいる前記物体の特徴に関する情報を含む電子メモリを含む。例えば、いくつかの実施形態において、無生物である前記物体の特徴に関する情報を含んでいる電子メモリは、配置、寸法、曲率、および／または１つ以上の前記無生物の端部領域および部分の相対的位置取りについての情報を含む。いくつかの実施形態において、前記無生物の表面へ前もって固定された先行する少なくとも１つの伸縮性電子デバイスに関する情報を含んでいる電子メモリを含んでいる前記無生物の特徴に関する情報を含んでいる電子メモリを、制御装置は含む。
【００６６】
配置アプリケータは、前記制御装置へ動作可能に取り付けられるユーザインタフェースを含み得る。ユーザインタフェースは、例えば、ディスプレイを含む。ユーザインタフェースは、例えば、インジケータライトのような光エミッタを含む。ユーザインタフェースは、例えば、音エミッタを含む。ユーザインタフェースは、例えば、ブザーを含む。ユーザインタフェースは、例えば、タッチスクリーンを含む。ユーザインタフェースは、例えば、ＯＮ／ＯＦＦスイッチを含む。
【００６７】
図６において例示される配置アプリケータデバイス５００の前記実施形態は、ディスプレイであるユーザインタフェース５１０を含む。前記ディスプレイは、ワイヤコネクタ６１５を用いて前記制御装置６１０へ動作可能に取り付けられる。前記ディスプレイは、前記ワイヤコネクタ６１５を介して前記制御装置６１０によって発信される信号に応答してアクティベートされるように構成され得る。前記例示される実施形態は、ユーザインタフェース６００であってワイヤコネクタを用いて前記制御装置６１５へ動作可能に接続されるインジケータライトであるインタフェースもまた含む。
【００６８】
配置アプリケータデバイスは、前記ホルダへ動作可能に固定されるポジショナであって、前記伸縮性電子デバイスの特徴の表現および前記物体の特徴の表現に対する前記物体の表面上の位置へ前記伸縮性電子デバイスをあてがうように、前記制御装置に応答して、構築され配置されるポジショナを含む。いくつかの実施形態において、前記ポジショナは前記ホルダへ固定される少なくとも１つの締結具、および前記締結具へ取り付けられるモータであって前記制御装置へ動作可能に取り付けられるモータを含む。いくつかの実施形態において、前記モータは、前記無生物の表面に対して前記伸縮性電子デバイスの位置の調整を可能にするように配置される。例えば、前記モータは、前記無生物の表面に対して前記伸縮性電子デバイス全体を移動させるように構成されおよび配向され得る。いくつかの実施形態において、前記モータは、前記表面に対して前記伸縮性電子デバイスの配向の調整を可能にするように配置される。例えば、前記モータは、前記表面に対して前記伸縮性電子デバイス全体の配向を変更させるように構成されおよび配向され得る。
【００６９】
図６において例示される実施形態において、前記配置アプリケータデバイス５００は、前記ホルダ６７０へ動作可能に固定されるポジショナを含む。前記ポジショナは、前記ホルダ６７０の各端部へ固定される締結具６５０を含む。前記例示される実施形態には、２つの締結具６５０が含まれ、１つが前記ホルダ６７０のいずれかの端部へ固定される。例示される前記ポジショナは、前記締結具６５０の各々へ固定されるモータ６４０を含む。モータ６４０の各々は、ワイヤコネクタを用いて前記制御装置６１０へ接続される。前記ポジショナは、２つの締結具６５０を含めて、前記ホルダ６７０の端部へ各々固定され、そして前記モータ６４０は、物体の表面上の位置へ前記伸縮性電子デバイス１００を、前記制御装置６１０から受信される信号に応答して、あてがうように構築されおよび配置される。実施形態に依存して、前記ポジショナは、１つ以上のＸおよび／またはＹ軸に沿って（例えば、図６の例示における上下および左右）前記伸縮性電子デバイスを移動させ得る。いくつかの実施形態において、前記ポジショナは、前記ＸおよびＹ軸に対して前記伸縮性電子デバイスを回転させ得る。
【００７０】
配置アプリケータデバイスは、前記物体の表面と接触して前記伸縮性電子デバイスを設置するような形状および寸法であるアプリケータであって、前記制御装置へ動作可能に取り付けられるスイッチを含んでいるアプリケータを含む。いくつかの実施形態において、アプリケータは、あてがいの間前記伸縮性電子デバイスの張力を制御するような配置、形状および寸法について適合可能なテンショナを含む。例えば、適合可能なテンショナは、表面へのあてがいに先行して伸縮性電子デバイスの伸縮および／または前記張力を制御し得る。例えば、適合可能なテンショナは、前記伸縮性電子デバイスの１つ以上の軸に沿って伸縮および／または前記張力を制御し得る。
【００７１】
いくつかの実施形態において、配置アプリケータデバイスは、前記物体の表面へ材料をあてがうように配置される噴霧器、および前記噴霧器へ動作可能に固定されるリザーバを含む。いくつかの実施形態において、前記噴霧器は、前記制御装置へ応答するスイッチを含む。例えば、リザーバは、圧縮ガスを含むことができ、そして前記噴霧器は、前記伸縮性電子デバイスのあてがいに先行して前記物体の表面を乾燥させるように使用され得る。例えば、リザーバは、液状接着剤を含むことができ、そして前記噴霧器は、前記表面の同一の領域へ前記伸縮性電子デバイスのあてがいに先行して前記物体の表面の領域へ前記接着剤の被膜をあてがうように使用され得る。いくつかの実施形態において、前記リザーバは、前記物体の表面へ前記伸縮性電子デバイスの表面を接着させるように練り上げられる(formulated)接着剤を含む。前記配置アプリケータデバイスは、例えば、前記表面上の前記伸縮性電子デバイスの設置へ先行して前記物体の表面へ前記接着剤を投与し得る。前記配置アプリケータデバイスは、例えば、前記表面上の前記伸縮性電子デバイスの設置の後に前記物体の表面へ前記接着剤を投与し得る。
【００７２】
いくつかの実施形態において、配置アプリケータデバイスは、前記物体の表面へガスを向けるように配置されるガスブロワ、前記ガスブロワへ固定されるスイッチであって前記制御装置へ応答するスイッチを含む。例えば、ガスブロワは、前記伸縮性電子デバイスのあてがいに先行して前記物体の表面に向けて環境空気を向けるように配置されおよび構成され得る。
【００７３】
いくつかの実施形態において、配置アプリケータデバイスは、前記物体の表面の一部を除去するような形状および寸法であるアブレーダ(abrader)、前記アブレーダへ固定されるホルダ、ならびに前記アブレーダへ固定されるポジショナであって前記物体の表面に対して前記アブレーダを配置するように配向されるポジショナを含む。例えば、前記アブレーダは、接着剤、先行する伸縮性電子デバイスコンポーネント、埃(dirt)、および／または前記物体の表面からのデブリを除去するように構成されおよび配置され得る。前記伸縮性電子デバイスが身体である物体へあてがわれるいくつかの実施形態において、前記アブレーダは、ある量の皮膚表面を除去するように構成され得る。前記伸縮性電子デバイスが身体である物体へあてがわれる実施形態において、前記アブレーダは、前記表面への前記伸縮性電子デバイスのあてがいに先行して前記皮膚の表面からのある量の化粧品を除去するように構成され得る。
【００７４】
いくつかの実施形態において、配置アプリケータデバイスは、前記物体の表面へ接するように配向され、および配置される１つ以上の突起物と、前記１つ以上の突起物へ固定され、前記表面の張力に応答して適合可能な１つ以上のテンショナと、を備える。例えば、前記突起物は、前記１つ以上の適合可能なテンショナの動作、および前記表面への伸縮性電子デバイスのあてがいに先行して、前記物体の表面に対して前記配置アプリケータデバイスの位置を維持するように配向されおよび配置され得る。いくつかの実施形態において、配置アプリケータデバイスは、インジケータであって、前記突起物が前記表面と接触しているとき、ユーザへ信号を発信するように構成されるインジケータを含む。いくつかの実施形態において、配置アプリケータデバイスは、インジケータであって、前記突起物が前記表面と接触しているが前記関心領域が前記配置アプリケータデバイスに対して適切な位置にないとき、ユーザへ信号を発信するように構成されるインジケータを含む。例えば、前記インジケータは、「そのデバイスを左へ１センチメートル動かして下さい」のような、前もって録音されたメッセージを用いる聴覚性インジケータを含み得る。例えば、前記インジケータは、「そのデバイスを時計回りに半回転させてください」のような前もって録音されたメッセージを用いる聴覚性インジケータを含み得る。
【００７５】
いくつかの実施形態において、配置アプリケータデバイスは、前記物体の表面へ可視パターンの光を向けるように配置される光源を備える。例えば、可視のパターンは、前記表面への前記伸縮性電子デバイスをあてがうための物体の表面に対して、前記配置アプリケータデバイスを設置し維持するべき所を、ユーザに指示してもよい。いくつかの実施形態は、前記光源へ動作可能に取り付けられるスイッチであって、制御装置へ動作可能に取り付けられるスイッチを含む。例えば、前記制御装置は、前記光源をオンにするように、そしてその後表面の領域へ特定の伸縮性電子デバイスを適切にあてがう前記配置アプリケータデバイスを配置するようにユーザを補助するための特定の状況に対して必要とされるとき、特定のディスプレイを初期化するための信号を発信するように、構成される回路を含んでもよい。光ディスプレイは、例えば、表面の領域へ特定の伸縮性電子デバイスを適切にあてがうための前記配置アプリケータデバイスの正確な配置を指示するような型であってもよい。光ディスプレイは、例えば、特定の伸縮性電子デバイスを適切にあてがうための表面の領域に対して、前記配置アプリケータデバイスをどのように移動させるかをユーザに示すような型であってもよい。
【００７６】
いくつかの実施形態において、配置アプリケータデバイスは、前記制御装置へ動作可能に取り付けられる聴覚性信号エミッタを含む。いくつかの実施形態において、配置アプリケータデバイスは、前記制御装置へ動作可能に取り付けられるユーザインタフェースを含む。いくつかの実施形態において、配置アプリケータデバイスは、前記配置アプリケータデバイスの側面の少なくとも１つへ隣接して配置されるシェルであって、前記配置アプリケータデバイスの外壁の少なくとも１つを形成するシェルを含む。図６において示される実施形態において、前記配置アプリケータデバイス５００は、前記デバイスの５つの側面を囲うシェル６３０であって、前記側面はシェル６３０における開口部として構成され前記図において前方へ配置されるシェルを含む。例えば、シェルは、１つ以上の薄い壁を含み得る。例えば、シェルは、剛体プラスチックもしくは金属材料、または複合材料から製造されることができる。いくつかの実施形態において、配置アプリケータデバイスは、前記配置アプリケータデバイスへ取り付けられるハンドルであって、前記物体の表面に対して前記配置アプリケータデバイスを配向させるようにユーザを補助するような配向、形状、および寸法であるハンドルを備える。例えば、配置アプリケータデバイスは、シェル、および前記シェルへ固定されるハンドルを含む。いくつかの実施形態において、配置アプリケータデバイスは、加速度計であって前記制御装置へ動作可能に取り付けられる加速度計を含む。例えば、制御装置は、前記配置アプリケータデバイスの動作に関する加速度計からの情報を受け付けるように、構成されることができ、前記制御装置に対しては前記配置アプリケータデバイスが安定状態でありおよび／または移動していないとき、前記表面の領域へ前記伸縮性電子デバイスのあてがいを初期化のみするように構成されることができる。
【００７７】
いくつかの実施形態において、物体の表面に伸縮性電子デバイスをあてがうための配置アプリケータデバイスは、伸縮性電子デバイスのためのホルダと、放射される信号を物体の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記物体の特徴の表現を形成するために前記信号と前記戻り信号とを比較するように構成される回路、および前記物体の特徴の表現と前記伸縮性電子デバイスの特徴の表現とを比較するように構成される回路、を含む制御装置と、前記ホルダに動作可能に固定されるポジショナであって、前記制御装置に応じて、前記物体の特徴の表現および前記伸縮性電子デバイスの特徴の表現からの情報に基づいて、前記伸縮性電子デバイスを前記物体の表面上の位置へあてがうように、配置され構築されているポジショナと、前記ポジショナに対して前記物体の表面を安定化させる形状および寸法であるスタビライザと、前記物体の表面と接して前記伸縮性電子デバイスへ設置するための形状および寸法であるアプリケータであって、前記制御装置へ動作可能に取り付けられるスイッチを含むアプリケータと、を備える。いくつかの実施形態において、前記スタビライザは、前記物体の表面とリバーシブルに係合する形状および寸法である表面を含んでいる構造を含む。いくつかの実施形態において、前記スタビライザは、前記配置アプリケータデバイスへ前記物体を固定するような形状および寸法である締結具を含む。
【００７８】
図７は、物体の関心領域１４０に対して配置される配置アプリケータデバイス５００を例示している。図７は、例示のため、断面図において、関心領域１４０および配置アプリケータデバイス５００を描写している。前記配置アプリケータデバイス５００は、各スタビライザ７１０を含む。例示される実施形態において、前記各スタビライザは、前記配置アプリケータデバイス５００のシェル６３０の端部に配置される。各スタビライザ７１０は、前記物体の表面と接触するように配向され配置される。各スタビライザ７１０の各々は、前記物体の表面とリバーシブルに係合するための形状および寸法である表面を含んでいる構造を含む。例示され例示される各スタビライザ７１０の各々は、略線形であり、関心領域１４０の表面と接触している遠心端と、配置アプリケータデバイス５００のシェル６３０へ固定される近位端と、を有する。各スタビライザ７１０は、関心領域１４０の表面から固定距離７４０で配置アプリケータデバイス５００を配置するような形状および寸法であってもよい。
【００７９】
関心領域１４０の表面への伸縮性電子デバイスのあてがいに先立って、前記配置アプリケータデバイスは、１つ以上の信号エミッタからの信号７２０を発信し、前記表面から反射される信号７２５を受信する。スタビライザ７１０を含むいくつかの実施形態において、前記（各）信号エミッタと、前記（各）信号レシーバと、表面との間は、固定距離７４０であってもよい。信号７２０、７２５は、関心領域１４０の表面下の表面下特徴７３０を検出するような型である。いくつかの実施形態において、前記物体が身体であるところでは、例えば、前記信号は、表面下の神経、血管、移植された構造および／または筋系を検出するような型であってもよい。いくつかの実施形態において、前記物体が無生物であるところでは、例えば、前記信号は、表面下のき裂、不純物、きず、複合材料の層、ワイヤ、光ファイバケーブル、およびまたは構成要素を検出するような型であってもよい。いくつかの実施形態において、前記物体が無生物であるところでは、たとえば、前記信号は、ファンまたはモータのような表面下の特徴から生成される熱および／または表面下の動作を検出するような型であってもよい。
【００８０】
図８に、配置アプリケータデバイス５００の一実施形態の各態様を例示する。配置アプリケータデバイス５００は、伸縮性電子デバイス１００であって、フレキシブルなシート８３０を含むホルダを含むデバイスを含む。伸縮性電子デバイス１００は、前記フレキシブルなシート８３０に対する前記伸縮性電子デバイス１００の面上にリバーシブルな接着剤を用いて、前記フレキシブルなシート８３０に向けて固定される。フレキシブルなシート８３０は、前記物体の表面へ隣接して配置されるであろうそれからの前記伸縮性電子デバイス１００のリバース面である前記ホルダは、その周りに前記フレキシブルなシート８３０が巻きつけられている、リール８２０を含む。いくつかの実施形態において、前記フレキシブルなシートの表面へリバーシブルに固定される複数の伸縮性電子デバイスがあり、複数の伸縮性電子デバイスのうちいくつかは、前記フレキシブルなシートの１つ以上のセクションで前記リールの周囲に巻きつけられている。モータ８００は、リール８２０へ固定される。モータ８００は、ワイヤコネクタ８０５を用いて前記制御装置６１０へ動作可能に固定される。モータ８００は、前記制御装置６１０によって発信される信号に応答してリール８２０を回転させる。例示される実施形態において、前記ポジショナの締結具６５０は、リール８２０へ固定され、モータ６４０は、前記締結具６５０へ取り付けられる。
【００８１】
図８において例示される配置アプリケータデバイス５００の実施形態は、適合可能なテンショナ８１０を含む。適合可能なテンショナ８１０は、前記表面へのあてがいの間伸縮性電子デバイス１００の張力を制御するような配置、形状、および寸法である。図８において例示される適合可能なテンショナ８１０は、伸縮性電子デバイス１００へリバーシブルに固定されるフレキシブルなシート８３０の面と反対のフレキシブルなシート８３０の面へ隣接して配置されるロッドである。ポジショナは、フレキシブルなシート８３０の後ろで前記ロッドへ固定され、前記ポジショナは、前記ロッドが、前記フレキシブルなシート８３０へ固定される伸縮性電子デバイス１００およびフレキシブルなシート８３０上に位置どる圧力を変化させるような型である。
【００８２】
いくつかの実施形態において、物体の表面へ伸縮性電子デバイスをあてがうための配置アプリケータデバイスは、伸縮性電子デバイスのためのホルダと、物体の表面からの戻り信号を検出するように配置されるレシーバと、前記レシーバへ動作可能に接続される回路であって、前記戻り信号に基づいて前記物体の表面下のおよび表面の特徴を識別するように構成される回路と、前記ホルダへ動作可能に固定されるポジショナであって、前記比較に対して前記物体の表面上の位置へ前記伸縮性電子デバイスをあてがうように配置され組み立てられるポジショナと、を含む。いくつかの実施形態において、前記物体は身体である。いくつかの実施形態において、前記物体は無生物である。いくつかの実施形態において、前記物体は植物である。
【００８３】
いくつかの実施形態において、前記レシーバは光レシーバである。例えば、前記光レシーバは、デジタルカメラのような、カメラであってよい。前記光レシーバは、可視スペクトルにおいて動作可能である型であってよい。前記光レシーバは、赤外線、近赤外線、または紫外線のような、近可視スペクトルにおいて動作可能である型であってよい。
【００８４】
いくつかの実施形態において、前記レシーバは、聴覚性信号レシーバである。例えば、前記レシーバは、前記物体からの聴覚性信号を受け取り、前記受信される信号を、情報であって前記取り付けられる回路へその後送信される情報へと加工するような型であってよい。
【００８５】
いくつかの実施形態において、物体の表面へ伸縮性電子デバイスをあてがうための配置アプリケータデバイスは、メモリを含んでいる回路と、前記メモリにおいて格納される前記物体の表面下の特徴を用いて前記識別される特徴を比較するように構成される回路と、を含む。例えば、前記メモリは、デジタルメモリであってよい。例えば、前記メモリは、電子メモリであってよい。例えば、前記メモリは、無生物におけるファンもしくはモータ、または身体における脈拍、または植物における呼吸部位のような、特定の表面下の特徴を示すような、特定の音に関する情報を含んでいるルックアップ表を、含み得る。
【００８６】
いくつかの実施形態において、物体の表面へ伸縮性電子デバイスをあてがう工程の一方法は、信号エミッタからの信号を初期化する工程であって、前記放射される信号は物体の表面へ向けられる工程と、前記放射される信号からの戻り信号をレシーバを用いて検出する工程と、前記放射される信号および前記受信される戻り信号を回路を用いて比較する工程と、前記比較に基づいて、または前記比較からの情報を用いて、前記物体の特徴の表現を形成する工程と、前記マップに関連する前記物体の表面に対して伸縮性電子デバイスを配置する工程と、を含む。いくつかの実施形態において、前記方法は、前記物体の表面へ前記伸縮性電子デバイスをあてがう工程をまた含む。
【００８７】
図９に、物体の表面へ伸縮性電子デバイスをあてがう工程の一方法の各態様を例示する。ボックス９００は、前記方法が物体の表面へ伸縮性電子デバイスをあてがう工程の一方法であることを示す。ボックス９１０は、信号エミッタからの信号であって、物体の表面へ向けられる信号を初期化する工程を描写する。ボックス９２０は、レシーバを用いて、前記放射される信号からの戻り信号を検出する工程を示す。ボックス９３０は、回路を用いて、前記受信される戻り信号および前記初期化される信号を比較する工程を例示する。ボックス９４０は、前記比較に基づいて前記物体の特徴の表現を形成する工程を示す。ボックス９５０は、前記マップに関連して前記物体の表面に対して伸縮性電子デバイスを配置する工程を描写する。任意の(optional)ボックス９６０は、前記物体の表面へ前記伸縮性電子デバイスをあてがう工程を例示する。
【００８８】
いくつかの実施形態において、物体の表面へ伸縮性電子デバイスをあてがう工程の一方法は、デバイスのホルダを用いて伸縮性電子デバイスを保持する工程と、前記デバイスの信号エミッタから放射される信号を初期化する工程であって、前記放射される信号は物体の表面へ向けられている工程と、前記デバイスの信号レシーバを用いて、前記放射される信号からの戻り信号を検出する工程と、前記デバイスの回路を用いて前記放射される信号と前記受信される戻り信号とを比較する工程と、前記デバイスの回路において、前記比較に基づいて前記物体の特徴の表現を形成する工程と、前記デバイスにおいて、前記比較に基づいて形成される前記物体の特徴の表現を前記伸縮性電子デバイスの特徴の表現と比較する工程と、前記のユーザインタフェースを用いて、前記物体の表面に対して前記伸縮性電子デバイスのための位置を示す工程と、前記物体の表面へ前記伸縮性電子デバイスをあてがう工程と、を含む。
【００８９】
いくつかの実施形態において、物体の表面へ伸縮性電子デバイスをあてがう工程の一方法は、前記物体の信号エミッタから放射される信号を初期化する工程であって前記放射される信号は物体の表面へ向けられる工程を含み、放射される信号の前記初期化工程は、前記物体の表面へ向けられる光学信号を初期化する工程を含む。いくつかの実施形態において、物体の表面へ伸縮性電子デバイスをあてがう工程の一方法は、前記デバイスの信号エミッタからの放射される信号を初期化工程であって前記放射される信号は物体の表面へ向けられる工程を含み、前記放射される信号の初期化工程は前記物体の表面へ向けられる超音波信号の初期化工程を含む。いくつかの実施形態において、物体の表面へ伸縮性電子デバイスをあてがう工程の一方法は、前記デバイスの信号エミッタからの放射される信号を初期化工程であって前記放射される信号は物体の表面へ向けられる工程を含み、前記放射される信号の初期化工程は前記物体の表面へ向けられるＲＦ信号の初期化工程を含む。いくつかの実施形態において、物体の表面へ伸縮性電子デバイスをあてがう工程の一方法は、前記デバイスの信号エミッタから放射される信号を初期化する工程であって前記放射される信号は物体の表面へ向けられる工程と、放射される信号を初期化する前記工程は、前記物体の表面からの戻り信号を作成するときにおいて信号エミッタからの戻り信号を初期化する工程であって、前記戻り信号は前記デバイスの前記信号レシーバによって受信されるように配置される工程と、を含む。いくつかの実施形態において、前記信号エミッタからの前記信号は、前記表面と前記信号エミッタとの間の距離と、前記表面への前記信号エミッタの配向と、前記物体の表面下の想定される特徴の構成物と、および／または前記表面の構成物と、の１つ以上に対して算出されるエネルギーを伴って放射されることができる。
【００９０】
いくつかの実施形態において、物体の表面へ伸縮性電子デバイスをあてがう工程の一方法は、前記放射される信号からの戻り信号を、前記デバイスの信号レシーバを用いて検出する工程であって、前記放射される信号からの戻り信号を前記デバイスの信号レシーバを用いて検出する前記工程は、前記物体の表面から向けられる光信号を検出する工程を含んでいる工程を含む。いくつかの実施形態において、物体の表面へ伸縮性電子デバイスをあてがう工程の一方法は、前記デバイスの信号レシーバを用いて前記放射される信号からの戻り信号を検出する工程であって、前記放射される信号からの戻り信号を前記デバイスの信号レシーバを用いて検出する前記工程は、前記物体の表面から向けられる超音波信号を検出する工程を含んでいる工程を含む。いくつかの実施形態において、物体の表面へ伸縮性電子デバイスをあてがう工程の一方法は、前記デバイスの信号レシーバを用いて前記放射される信号からの戻り信号を検出する工程であって、前記放射される信号からの戻り信号を前記デバイスの信号レシーバを用いて検出する前記工程は、前記物体の表面から向けられるＲＦ信号を検出する工程を含んでいる工程を含む。
【００９１】
いくつかの実施形態において、物体の表面へ伸縮性電子デバイスをあてがう工程の一方法は、前記初期化される信号と前記受信される戻り信号とを前記デバイスの回路を用いて比較する工程であって、前記物体の特徴の表現を前記デバイスの回路において形成する工程と、前記物体の特徴の表現を前記デバイスの回路において前記伸縮性電子デバイスの特徴の表現と比較する工程と、を含んでいる前記比較工程を含む。例えば、前記方法は、前記物体の表面下の特徴と整列させられるような前記伸縮性電子デバイスの特徴の配向および配置を用いて、メモリにおいてルックアップ表にアクセスする工程を含み得る。例えば、前記方法は、前記物体の表面下の特徴と整列させられるような前記伸縮性電子デバイスの一部または全てを覆うバリア層において開口部(apertures)を用いてメモリにおいてルックアップ表にアクセスする工程を含み得る。
【００９２】
いくつかの実施形態において、物体の表面へ伸縮性電子デバイスをあてがう工程の一方法は、前記比較に基づいて前記物体の特徴の表現を前記デバイスの回路において形成する工程であって、前記物体の特徴に関する情報を前記デバイスの電子メモリから提供する工程を含んでいる前記形成工程を含む。例えば、前記物体の特徴に関する情報を前記デバイスの電子メモリから提供する前記工程は、前記物体の表皮性構造の少なくとも１つに関する情報を含み得る。例えば、前記物体の特徴に関する情報を前記デバイスの電子メモリから提供する前記工程は、身体の皮下構造の少なくとも１つに関する情報を含み得る。例えば、前記物体の特徴に関する情報を前記デバイスの電子メモリから提供する前記工程は、前記物体の端部構造の少なくとも１つに関する情報を含み得る。いくつかの実施形態において、物体の表面へ伸縮性電子デバイスをあてがう工程の一方法は、前記比較に基づいて前記物体の特徴の表現を前記デバイスの回路において形成する工程であって、前記形成する工程は、先行する伸縮性電子デバイスであって前記表面へ前もって固定されたデバイスの少なくとも１つに関する情報を、前記デバイスの電子メモリから提供する工程を含む。
【００９３】
いくつかの実施形態において、物体の表面へ伸縮性電子デバイスをあてがう工程の一方法は、前記物体の特徴の前記形成される表現を、前記伸縮性電子デバイスの特徴の表現と、前記デバイスの回路において、比較する工程であって、前記比較に基づいて、前記伸縮性電子デバイスの特徴に関する情報を前記デバイスの電子メモリから提供する工程を含んでいる工程を含む。例えば、いくつかの実施形態において、前記伸縮性電子デバイスの特徴に関する情報を前記デバイスの電子メモリから提供する前記工程は、前記伸縮性電子デバイスであってセンサを含むデバイスの特徴に関する情報を提供する工程を含む。例えば、いくつかの実施形態において、前記伸縮性電子デバイスの特徴に関する情報を前記デバイスの電子メモリから提供する前記工程は、前記伸縮性電子デバイスであって薬物経皮送達デバイスを含むデバイスの特徴に関する情報を提供する工程を含む。例えば、いくつかの実施形態において、前記伸縮性電子デバイスの特徴に関する情報を前記デバイスの電子メモリから提供する前記工程は、前記伸縮性電子デバイスであって神経刺激器を含むデバイスの特徴に関する情報を提供する工程を含む。例えば、いくつかの実施形態において、前記伸縮性電子デバイスの特徴に関する情報を前記デバイスの電子メモリから提供する前記工程は、前記伸縮性電子デバイスであってアンテナを含むデバイスの特徴に関する情報を提供する工程を含む。例えば、いくつかの実施形態において、前記伸縮性電子デバイスの特徴に関する情報を前記デバイスの電子メモリから提供する前記工程は、前記伸縮性電子デバイスであって熱電対を含むデバイスの特徴に関する情報を提供する工程を含む。例えば、いくつかの実施形態において、前記伸縮性電子デバイスの特徴に関する情報を前記デバイスの電子メモリから提供する前記工程は、前記伸縮性電子デバイスの複数の特徴の空間的な配向および／または配置を含む。
【００９４】
いくつかの実施形態において、物体の表面へ伸縮性電子デバイスをあてがう工程の一方法は、前記物体の表面に対して前記伸縮性電子デバイスの配置を前記デバイスのユーザインタフェースを用いて指示する工程を含む。いくつかの実施形態において、配置を指示する工程は、ユーザが前記物体の表面に対して前記伸縮性電子デバイスの移動を停止させるべきことを指示する工程を含む。いくつかの実施形態において、配置を指示する工程は、ユーザが前記物体の表面に対して前記伸縮性電子デバイスを回転させる、または移動させるべきである量、または方向を指示する工程を含む。いくつかの実施形態において、物体の表面へ伸縮性電子デバイスをあてがう工程の一方法は、前記物体の表面に対して前記伸縮性電子デバイスの配置を前記デバイスのユーザインタフェースを用いて指示する工程であって、前記ユーザインタフェースの視覚的表現上に指示する前記工程を含む。いくつかの実施形態において、物体の表面へ伸縮性電子デバイスをあてがう工程の一方法は、前記物体の表面に対して前記伸縮性電子デバイスの配置を前記デバイスのユーザインタフェースを用いて指示する工程であって、音エミッタからの信号を初期化する工程を含む前記指示工程を含む。いくつかの実施形態において、物体の表面へ伸縮性電子デバイスをあてがう工程の一方法は、前記物体の表面に対して前記伸縮性電子デバイスの配置を前記デバイスのユーザインタフェースを用いて指示する工程であって、前記指示工程は前記デバイスの光エミッタから前記物体の表面への方向において光パターンを放射する工程であり、前記光パターンはユーザへ前記デバイスの配置を指示するような形状および寸法である工程を含む。
【００９５】
いくつかの実施形態において、物体の表面へ伸縮性電子デバイスをあてがう工程の一方法は、前記物体の表面に対して前記伸縮性電子デバイスの配置を前記デバイスのユーザインタフェースを用いて指示する工程であって、ユーザが前記物体の表面に対して前記伸縮性電子デバイスを動かすべきではないことを、前記デバイスのユーザインタフェースを用いて指示する工程を含む。例えば、物体の表面へ伸縮性電子デバイスをあてがうための配置アプリケータデバイスは、「停止」または「制止(hold)」のライトであって前記デバイスが隣接する表面へのあてがいのための適切な配置にある場合に照射され得るライトを含み得る。いくつかの実施形態において、物体の表面へ伸縮性電子デバイスをあてがう工程の一方法は、物体の表面に対して前記伸縮性電子デバイスの配置を前記デバイスのユーザインタフェースを用いて指示する工程であって、ユーザが前記物体の表面に対して前記伸縮性電子デバイスを動かすべき方向を、前記デバイスのユーザインタフェースを用いて指示する工程を含む。例えば、物体の表面へ伸縮性電子デバイスをあてがうための配置アプリケータデバイスは、「左」または「右」のライトであって前記デバイスが隣接する表面へのあてがいのための適切な配置にない場合に照射され得るライトを含み得る。いくつかの実施形態において、物体の表面へ伸縮性電子デバイスをあてがう工程の一方法は、物体の表面に対して前記伸縮性電子デバイスの配置を前記デバイスのユーザインタフェースを用いて指示する工程であって、ユーザが前記物体の表面に対して前記伸縮性電子デバイスを動かすべき距離を、前記デバイスのユーザインタフェースを用いて指示する工程を含む。例えば、物体の表面へ伸縮性電子デバイスをあてがうための配置アプリケータデバイスは、ユーザインタフェースであって、隣接する表面へ伸縮性電子デバイスのあてがいのための適切な配置に前記デバイスを配置することが必要とされる場合、「２センチメートル」または「０．５センチメートル」のような距離を表示することができるユーザインタフェースを含み得る。いくつかの実施形態において、物体の表面へ伸縮性電子デバイスをあてがう工程の一方法は、物体の表面に対して前記伸縮性電子デバイスの配置を前記デバイスのユーザインタフェースを用いて指示する工程であって、ユーザが前記物体の表面に対して前記伸縮性電子デバイスを動かすべき回転方向を、前記デバイスのユーザインタフェースを用いて指示する工程を含む。いくつかの実施形態において、物体の表面へ伸縮性電子デバイスをあてがう工程の一方法は、物体の表面に対して前記伸縮性電子デバイスの配置を前記デバイスのユーザインタフェースを用いて指示する工程であって、ユーザが前記物体の表面に対して前記伸縮性電子デバイスを動かすべき回転量を、前記デバイスのユーザインタフェースを用いて指示する工程を含む。
【００９６】
いくつかの実施形態において、物体の表面へ伸縮性電子デバイスをあてがう工程の一方法は、前記物体の表面へ前記伸縮性電子デバイスをあてがう工程であって、前記制御装置に応答して適合可能なテンショナから前記伸縮性電子デバイスへの張力を印加する前記あてがう工程を含む。いくつかの実施形態において、物体の表面へ伸縮性電子デバイスをあてがう工程の一方法は、前記物体の表面へ前記伸縮性電子デバイスをあてがう工程であって、前記物体の表面に向けて前記伸縮性電子デバイスの表面を配置する工程を含んでいる前記あてがう工程を含む。例えば、伸縮性電子デバイスをあてがうための配置アプリケータデバイスは、前記物体の特徴表面および表面下の特徴に対して前記伸縮性電子デバイスを配置するような１つ以上のモータを含み得る。例えば、伸縮性電子デバイスをあてがうための配置アプリケータデバイスは、前記物体の特徴表面および表面下の特徴に対して前記伸縮性電子デバイスをどこに配置するべきかをユーザに示すような１つ以上のインジケータを含み得る。
【００９７】
いくつかの実施形態において、物体の表面へ伸縮性電子デバイスをあてがう工程の一方法は、前記検出される信号からのデータを、電子メモリに格納する工程をも含む。いくつかの実施形態において、物体の表面へ伸縮性電子デバイスをあてがう工程の一方法は、前記物体の特徴に関する情報を、電子メモリに格納する工程をも含む。いくつかの実施形態において、物体の表面へ伸縮性電子デバイスをあてがう工程の一方法は、前記物体の表面下の特徴に関する情報を、電子メモリに格納する工程をも含む。いくつかの実施形態において、物体の表面へ伸縮性電子デバイスをあてがう工程の一方法は、前記デバイスの動作を前記デバイスの加速度計を用いて検出する工程と、前記デバイスの前記動作に応答して前記デバイスのユーザインタフェースを用いて指示する工程と、をも含む。いくつかの実施形態において、物体の表面へ伸縮性電子デバイスをあてがう工程の一方法は、前記物体の表面へ前記伸縮性電子デバイスの表面を接着させるように練り上げられる接着剤を用いて前記物体の表面を噴霧する工程をも含む。いくつかの実施形態において、物体の表面へ伸縮性電子デバイスをあてがう工程の一方法は、前記物体の特徴の表現に応答して前記物体の表面の一部を選択する工程と、前記デバイスのアブレーダを用いて前記物体の表面の前記一部を除去する工程と、をも含む。いくつかの実施形態において、物体の表面へ伸縮性電子デバイスをあてがう工程の一方法は、前記デバイスの配置に対して前記物体の表面上に投射する光パターンを決定する工程と、前記物体の表面上に前記光パターンを投射する工程と、をも含む。いくつかの実施形態において、物体の表面へ伸縮性電子デバイスをあてがう工程の一方法は、前記制御装置に応答して言語的信号を放射する工程をも含む。
【００９８】
図１０は、配置アプリケータデバイスを用いて物体の表面へ伸縮性電子デバイスをあてがう工程の一方法の各態様を示す。ボックス１０００は、前記方法が、物体の表面へ伸縮性電子デバイスをあてがう工程の一方法であることを描写する。ボックス１０１０は、前記方法が、デバイスのホルダを用いて伸縮性電子デバイスを保持する工程を含むことを例示する。ボックス１０２０は、前記デバイスの信号エミッタからの信号を初期化する工程であって、前記信号は物体の表面へ向けられる工程を示す。ボックス１０３０は、前記放射される信号からの戻り信号を前記デバイスの信号レシーバを用いて検出する工程を描写する。ボックス１０４０は、前記初期化される信号および前記受信される戻り信号を、前記デバイスの回路を用いて比較する工程を例示する。ボックス１０５０は、前記比較に基づいて前記物体の特徴の表現を、前記デバイスの回路において形成する工程を示す。ボックス１０６０は、前記比較に基づいて形成される前記物体の特徴の表現を用いて前記伸縮性電子デバイスの特徴の表現を、前記デバイスの回路において、比較する工程を例示する。ボックス１０７０は、前記物体の表面に対して前記伸縮性電子デバイスの配置を、前記デバイスのユーザインタフェースを用いて指示する工程を描写する。ボックス１０８０は、前記物体の表面へ前記伸縮性電子デバイスをあてがう工程を例示する。
【００９９】
図１１は、図１０において示される前記方法の任意の各態様を例示する。任意のボックス１１００は、いくつかの実施形態において、ボックス１０２０が前記物体の表面へ向けられる光信号を初期化する工程を含むことを示す。任意のボックス１１１０は、いくつかの実施形態において、ボックス１０２０が前記物体の表面へ向けられる超音波信号を初期化する工程を含むことを示す。
【０１００】
図１２は、図１０において示される前記方法の任意の各態様を示す。任意のボックス１２００は、いくつかの実施形態において、ボックス１０２０が前記物体の表面へ向けられるＲＦ信号を初期化する工程を含むことを示す。任意のボックス１２１０は、いくつかの実施形態において、前記物体の表面からの戻り信号を作成するときにおいて信号エミッタからの信号を初期化する工程であって、前記戻り信号は前記デバイスの前記信号レシーバによって受信されるように配置される工程、をボックス１０２０が含むことを例示する。
【０１０１】
図１３は、図１０において示される前記方法の任意の各態様を描写する。任意のボックス１３００は、いくつかの実施形態において、ボックス１０３０が前記物体の表面から向けられる光信号を検出する工程を含むことを示す。任意のボックス１３１０は、いくつかの実施形態において、ボックス１０３０が前記物体の表面から向けられる超音波信号を検出する工程を含むことを描写する。任意のボックス１３２０は、いくつかの実施形態において、ボックス１０３０が前記物体の表面から向けられるＲＦ信号を検出する工程を含むことを例示する。
【０１０２】
図１４は、図１０において示される前記方法の任意の各態様を例示する。ボックス１４００は、いくつかの実施形態において、前記物体の特徴の表現を前記配置アプリケータデバイスの回路において形成する工程と、前記伸縮性電子デバイスの特徴の表現と前記物体の特徴の表現とを前記配置アプリケータデバイスの回路において比較する工程と、をボックス１０４０が含むことを描写する。
【０１０３】
図１５は、図１０において例示される前記方法の任意の各態様を描写する。任意のボックス１５００は、いくつかの実施形態において前記物体の特徴に関する情報を、前記配置アプリケータデバイスの電子メモリから提供する工程を、ボックス１０５０が含むことを示す。任意のボックス１５１０は、いくつかの実施形態において前記表面へ前もって固定された先行する少なくとも１つの伸縮性電子デバイスに関する情報を、前記配置アプリケータデバイスの電子メモリから提供する工程を、ボックス１０５０が含むことを例示する。例えば、前記提供される情報は、配置、形状、および寸法や、前記先行するあてがいにおいて使用される接着剤や、および／または前記先行するあてがいからの継続時間のような、１つ以上の識別モデルまたは識別コードを含み得る。
【０１０４】
図１６は、図１０において例示される前記方法の任意の各態様を示す。任意のボックス１６００は、いくつかの実施形態において前記伸縮性電子デバイスの特徴に関する情報を、前記配置アプリケータデバイスの電子メモリから提供する工程を、ボックス１０６０が含むことを示す。例えば、前記伸縮性電子デバイスの特徴に関する情報は、特徴の型、配置、寸法、および数や、識別コードもしくはモデル、および／または前記伸縮性電子デバイスの使用のために提案される接着剤、のうち１つ以上を含み得る。
【０１０５】
図１７は、図１０において示される前記方法の任意の各態様を例示する。ボックス１７００は、いくつかの実施形態において、ボックス１０７０がユーザインタフェースの視覚的表現を指示する工程を含むことを描写する。図１７は、いくつかの実施形態において、ボックス１０７０が音エミッタからの信号を初期化する工程であるボックス１７１０を含むことを描写する。また同時に示されるのは、いくつかの実施形態において前記配置アプリケータデバイスの光エミッタから前記物体の表面への方向において光パターンを放射する工程であって、前記光パターンはユーザへ前記配置アプリケータデバイスの配置を示すような形状および寸法である、ボックス１７２０を、ボックス１０７０が、含むことである。
【０１０６】
図１８は、図１０において示される方法の任意の各態様を描写する。いくつかの実施形態において、ボックス１０７０は、ユーザが前記物体の表面に対して前記伸縮性電子デバイスを動かすべきではないことを指示する工程であるボックス１８００を含む。図１８は、いくつかの実施形態において、前記物体の表面に対して前記伸縮性電子デバイスをユーザは動かすべきであることを指示する工程であるボックス１８１０を、ボックス１０７０が含むことを描写する。図１８は、いくつかの実施形態において、前記物体の表面に対して前記伸縮性電子デバイスをユーザが動かすべきである距離を指示する工程であるボックス１８２０を、ボックス１０７０が含むことを示す。
【０１０７】
図１９は、図１０において示される前記方法の任意の各態様を例示する。ボックス１９００は、いくつかの実施形態において、前記物体の表面に対して前記伸縮性電子デバイスをユーザが動かすべきである回転方向を指示する工程を、ボックス１０７０が含むことを描写する。ボックス１９１０は、いくつかの実施形態において、前記物体の表面に対して前記伸縮性電子デバイスをユーザが動かすべきである回転量を指示する工程を、ボックス１０７０が含むことを示す。
【０１０８】
図２０は、図１０において示される前記方法の任意の各態様を示す。ボックス２０００は、いくつかの実施形態において、前記制御装置へ応答して適合可能なテンショナから前記伸縮性電子デバイスへ張力を印加する工程をボックス１０８０が含む事を描写する。例えば、配置アプリケータデバイスの制御装置は、前記デバイスの適合可能なテンショナへ制御信号を発信するように構成され得る。図２０にはまた、いくつかの実施形態において、前記物体の表面に向けて前記伸縮性電子デバイスの表面を配置する工程であるボックス２０１０を、ボックス１０８０が含むことが示される。例えば、いくつかの実施形態において、配置アプリケータデバイスは、隣接する物体の表面へ固定される伸縮性電子デバイスおよびホルダを動かすように配向されるモータを含み得る。
【０１０９】
図２１は、図１０において示される前記方法の任意の各態様を描写する。ボックス２１００は、いくつかの実施形態において、前記検出される信号からのデータを電子メモリにおいて格納する工程を、前記方法が含むことを描写する。ボックス２１１０は、前記物体の特徴に関する情報を電子メモリにおいて格納する工程を、例示する。ボックス２１２０は、前記配置アプリケータデバイスの動作を、前記デバイスの加速度計を用いて検出する工程と、前記配置アプリケータデバイスの前記動作に応答して、前記配置アプリケータデバイスのユーザインタフェースを用いて指示する工程と、を示す。
【０１１０】
図２２は、図１０において示される前記方法の任意の各態様を例示する。ボックス２２００は、いくつかの実施形態において、配置アプリケータから、前記物体の表面へ前記伸縮性電子デバイスの表面を接着するように練り上げられる接着剤を用いて前記物体の表面を噴霧する工程を、前記方法が、含むことを示す。ボックス２２１０は、前記物体の特徴の表現に応答して前記物体の表面の一部を選択する工程と、前記配置アプリケータデバイスのアブレーダを用いて前記物体の表面の前記一部を除去する工程と、の前記各方法ステップを、描写する。
【０１１１】
図２３は、図１０において示される前記方法の任意の各態様を示す。ボックス２３００は、いくつかの実施形態において、前記配置アプリケータデバイスの配置に対して前記物体の表面上に光パターンを投射するように決定する工程と、前記物体の表面上に前記光パターンを投射する工程と、を前記各方法ステップが、含むことを描写する。ボックス２３１０は、いくつかの実施形態において、前記制御装置に応答して言語信号を放出する工程を、前記各方法ステップが、含むことを示す。例えば、いくつかの実施形態において、配置アプリケータデバイスの制御装置は、前記配置アプリケータデバイスの言語信号エミッタへ制御信号を発信するように構成され得る。
【０１１２】
図２４は、配置アプリケータデバイスを用いて身体領域の表面へ伸縮性電子デバイスをあてがう工程の一方法の各態様を描写する。ボックス２４００は、それが身体領域の表面へ伸縮性電子デバイスをあてがう工程の一方法であることを示す。ボックス２４１０は、配置アプリケータデバイスのホルダを用いて伸縮性電子デバイスを保持する工程を描写する。ボックス２４２０は、前記配置アプリケータデバイスの信号エミッタからの信号であって、身体領域の表面へ向けられる信号を初期化する工程を例示する。ボックス２４３０は、前記放射される信号からの戻り信号を、前記配置アプリケータデバイスの信号レシーバを用いて検出する工程を示す。ボックス２４４０は、前記初期化される信号と、前記受信される戻り信号とを、前記デバイスの回路を用いて比較する工程を例示する。ボックス２４５０は、前記比較に基づいて前記身体領域の特徴の表現を、前記配置アプリケータデバイスの回路において形成する工程を示す。ボックス２４６０は、前記身体領域の表面に対して前記伸縮性電子デバイスの配置を、前記配置アプリケータデバイスのユーザインタフェースを用いて、指示する工程を描写する。ボックス２４７０は、前記身体領域の表面へ前記伸縮性電子デバイスをあてがう工程を例示する。
【０１１３】
図２５は、配置アプリケータデバイスを用いて無生物の表面へ伸縮性電子デバイスをあてがう工程の一方法の各態様を描写する。ボックス２５００は、それが無生物の表面へ伸縮性電子デバイスをあてがう工程の一方法であることを示す。ボックス２５１０は、配置アプリケータデバイスのホルダを用いて伸縮性電子デバイスを保持する工程を描写する。ボックス２５２０は、前記配置アプリケータデバイスの信号エミッタからの信号であって、無生物の表面へ向けられる信号を初期化する工程を示す。ボックス２５３０は、前記放射される信号からの戻り信号を、前記配置アプリケータデバイスの信号レシーバを用いて検出する工程を例示する。ボックス２５４０は、前記初期化される信号と、前記受信される戻り信号と、を前記配置アプリケータデバイスの回路を用いて比較する工程を示す。ボックス２５５０は、前記比較に基づいて前記無生物の特徴の表現を、前記配置アプリケータデバイスの回路において形成する工程を描写する。ボックス２５６０は、前記無生物の表面に対して前記伸縮性電子デバイスの配置を、前記配置アプリケータデバイスのユーザインタフェースを用いて、指示する工程を示す。ボックス２５７０は、前記無生物の表面へ前記伸縮性電子デバイスをあてがう工程を例示する。
【０１１４】
最先端の技術は、システムの各態様の各実装ハードウェア、ソフトウェア（例えば、ハードウェア仕様として働く高レベルコンピュータプログラム）、および／またはファームウェアとの間で、殆ど区別が残らない程度まで進歩している。ハードウェア、ソフトウェア、および／またはファームウェアの使用は、一般的に（しかし、ある文脈においてハードウェアとソフトウェアとの間の選択は重要になり得るという点では必ずしも当たらないが）、コスト対効率のトレードオフを表現する設計事項である。それによって本明細書中に記載されるプロセス、および／またはシステム、および／または技術の一部が達成され得る、様々な媒体(vehicles)があり（例えば、ハードウェア、ソフトウェア（例えば、ハードウェア仕様として働く高レベルコンピュータプログラム）、および／またはファームウェア）、前記プロセス、および／またはシステム、および／または技術が展開されるところの文脈によって、前記好まれる媒体は変動する。例えば、もし実装者が速度および精度が最重要であると決定したならば、前記実装者は、主にハードウェア、および／またはファームウェア媒体を選んでもよい。代替として、もし柔軟性が最重要であれば、前記実装者は、主にソフトウェア（例えば、ハードウェア仕様として働く高レベルコンピュータプログラム）実装を選んでもよい。または、さらに再度の代替として、前記実装者は、１つ以上の機械、物質の構成、および製造の項目におけるハードウェア、ソフトウェア（例えば、ハードウェア仕様として働く高レベルコンピュータプログラム）、および／またはファームウェアのうちいくつかの組み合わせを選択してもよいそれゆえ、それによって本明細書中に記載される前記プロセス、および／または装置、および／または他の技術が達成され得る、いくつかの可能な媒体があり、利用されるいかなる媒体もが、前記文脈であって前記媒体が展開され、前記実装者の特定の関心（例えば、速度、柔軟性、または予測可能性）の任意のいずれか、が変動し得る文脈に依存する選択であるという点で、そのいずれもが本来的に他に優越しない実装の光学的な各態様は、光学指向のハードウェア、ソフトウェア（例えば、ハードウェア仕様として働く高レベルコンピュータプログラム）、および／またはファームウェアを典型的に採用するであろう。
【０１１５】
本明細書中に記載されるいくつかの実装において、ロジックおよび同様の実装は、コンピュータプログラムまたは他の制御構造を含み得る。例えば、電子回路は、本明細書中に記載されるような様々な機能を実装するように配置され組み立てられる１つ以上の電流の経路を有し得る。いくつかの実装において、１つ以上の媒体は、そのような媒体が、本明細書中に記載されるように機能することが動作可能であるデバイス検出可能な命令を維持または転送する場合、デバイス検出可能な実装を帯びるように構成され得る。例えば、いくつかの変形例において各実装は、既存のソフトウェア（例えば、ハードウェア仕様として働く高レベルコンピュータプログラム）もしくはファームウェアの、またはゲートアレイもしくはプログラマブルハードウェアの、本明細書中に記載される１つ以上の動作に関する１つ以上の命令の送信または受信を実行することによるような、修正またはアップデートを含み得る。代替としてまたは付加的に、いくつかの変形例において、実装は、専用ハードウェア、ソフトウェア（例えば、ハードウェア仕様として働く高レベルコンピュータプログラム）、ファームウェアコンポーネント、および／または専用コンポーネントを実行するかまたは呼び出す汎用コンポーネントを含み得る。仕様(specifications)または他の実装は、本明細書中に記載されるような有形送信媒体の１つ以上の実例(instances)によって、任意にはパケット送信によってまたは様々な回数で分散型媒体を通過することによって、送信され得る。
【０１１６】
代替としてまたは付加的には、実装は、イネーブリング(enabling)、トリガリング、調整、要求、もしくは本明細書中に記載される実質的に任意の機能的動作の１つ以上の発生を引き起こすための、専用命令シーケンスの実行、または回路の呼び出し、を含み得る。いくつかの変形例において、動作的または他の論理的な本明細書中の記載は、ソースコードとして、およびコンパイルされるかまたは実行可能な命令シーケンスとして呼び出されるように表現され得る。例えば、いくつかの文脈において、実装は、例えばＣ＋＋または他のコードシーケンスのような、ソースコードによって、全体的にまたは部分的に、提供され得る。他の実装において、商業的に利用可能なおよび／または当業種における技術を使用するソースまたは他のコード実装は、高レベル記述子言語へとコンパイルされ／実装され／翻訳され／変換されてもよい（例えば、初期はＣまたはＣ＋＋プログラミング言語において記載される技術の実装であり、その後論理合成可能な言語実装、ハードウェア記述言語実装、ハードウェア設計シミュレーション実装、および／または他のそのような同種の表現のモードへと前記プログラミング言語実装を変換する）。例えば、論理表現（例えば、コンピュータプログラミング言語実装）のうちいくつかまたは全ては、Ｖｅｒｉｌｏｇ型ハードウェア記述（例えば、ハードウェア記述言語（ＨＤＬ）および／または超高速集積回路ハードウェア記述子言語（ＶＨＤＬ））、またはハードウェア（例えば、特定用途向け集積回路）を有している物理的実装を作成するように使用され得る他の回路モデルとして明らかにされ(manifested)得る。
【０１１７】
一般的な意味では、本明細書中に記載される様々な実施形態は、例えばハードウェア、ソフトウェア（例えば、ハードウェア仕様として機能する高レベルコンピュータプログラム）、ファームウェア、および／または本質的に任意のそれらの組合せのような幅広い電気的コンポーネントを有している電子−機械システムの様々な型によって、ならびに幅広いコンポーネントであって剛体、バネもしくはトーション体、流体、電磁気的作動デバイス、および／または本質的に任意のそれらの組合せのような機械的力または動作を伝えるコンポーネントによって、個々におよび／または集合的に、実装され得る。結論として、本明細書中で使用されるような「電子−機械システム」は、トランスデューサ（例えば、アクチュエータ、モータ、圧電結晶、微小電子機械システム（ＭＥＭＳ）、等々）と動作可能に結合される電子回路、少なくとも１つの個別の集積回路を有する電子回路、少なくとも１つの集積回路を有する電子回路、少なくとも１つの特定用途向け集積回路を有する電子回路、コンピュータプログラム（例えば、コンピュータプログラムであって、少なくとも部分的に本明細書中に記載のプロセスおよび／またはデバイスを実行するプログラムによって構成される汎用コンピュータ、またはコンピュータプログラムであって少なくとも部分的に本明細書中に記載のプロセスおよび／またはデバイスを実行するコンピュータプログラムによって構成されるマイクロプロセッサ）によって構成される汎用コンピューティングデバイスを形成する電子回路、メモリデバイス（例えば、メモリの各形態（例えば、ランダムアクセス、フラッシュ、リードオンリー、等々））を形成する電子回路、通信デバイス（例えば、モデム、通信スイッチ、光学−電気装備、等々）を形成する電子回路、および／または光学的または他の類似物（例えば、グラフェンベース回路）のようなそれらへの任意の非電気的類似物を含み、しかしそれに限定されない。電子−機械システムの例は、コンシューマ電子システム、医療デバイス、ならびに自動車化輸送システム、工場オートメーションシステム、保安システム、および／または通信／コンピューティングシステムのような同様の他の様々なシステムを含み、しかしそれに限定されない。本明細書中で使用される電子−機械は、文脈が他に規定し得るときを除き、機械的および電気的作動の両方を有するシステムに、必ずしも限定されない。
【０１１８】
一般的な意味で、本明細書中に記載の様々な各態様は、幅広いハードウェア、ソフトウェア（例えば、ハードウェア仕様として機能する高レベルコンピュータプログラム）、ファームウェア、および／または任意のそれらの組合せによって、個々におよび／または全体的に実装されることができ、ならびに「電気回路」の様々な型からなるように見られることができる。結論として、本明細書中で使用されるような「電気回路」は、少なくとも１つの個別の集積回路を有する電子回路、少なくとも１つの集積回路を有する電子回路、少なくとも１つの特定用途向け集積回路を有する電子回路、コンピュータプログラム（例えば、コンピュータプログラムであって、少なくとも部分的に本明細書中に記載のプロセスおよび／またはデバイスを実行するプログラムによって構成される汎用コンピュータ、またはコンピュータプログラムであって少なくとも部分的に本明細書中に記載のプロセスおよび／またはデバイスを実行するコンピュータプログラムによって構成されるマイクロプロセッサ）によって構成される汎用コンピューティングデバイスを形成する電子回路、メモリデバイス（例えば、メモリの各形態（例えば、ランダムアクセス、フラッシュ、リードオンリー、等々））を形成する電子回路、および／または通信デバイス（例えば、モデム、通信スイッチ、光学−電気装備、等々）を形成する電子回路、を含み、しかしそれに限定されない。本明細書中に記載の発明特定事項は、アナログもしくはデジタルの方法またはそれらのいくつかの組合せにおいて実装され得る。
【０１１９】
一実施形態において、前記システムは、物体の表面へ伸縮性電子デバイスをあてがうための前記配置アプリケータデバイスの機能向けに特に構成される固有のシステムとして前記システムが動作するような方法において、ならびに、前記クレームされるシステムの目的のための特定使用向けコンピュータとして前記システムの任意の関連づけられるコンピューティングデバイスが、汎用コンピュータではなく、統合され得る。一実施形態において、前記システムの関連づけられるコンピューティングデバイスの少なくとも１つは、前記クレームされるシステムの目的のための特定使用向けコンピュータとして動作し、汎用コンピュータではない。一実施形態において、前記システムの関連付けられるコンピューティングデバイスの少なくとも１つは、前記コンピューティングの少なくとも1つに命令する(instruct)ように特定のＲＯＭを用いて組み込まれる。一実施形態において、システムおよび物体の表面へ伸縮性電子デバイスをあてがう前記配置アプリケータデバイスが、少なくとも伸縮性電子デバイスの当該技術分野において改善を達成することを、当業者の１人は認める。
【０１２０】
本明細書中に記載の前記デバイスおよび／またはプロセスの少なくとも一部は、データ処理システムへと統合され得る。一般的に、１つ以上のシステムユニットハウジング、ビデオ表示デバイス、揮発性または不揮発性メモリのようなメモリ、マイクロプロセッサまたはデジタル信号プロセッサのようなプロセッサ、ＯＳもしくはドライバもしくはＧＵＩのような計算処理上の実体、ならびにアプリケーションプログラム、であってフィードバックループおよび制御モータ（例えば、配置および速度を検知するためのフィードバック、コンポーネントおよび／または数量を調節および／または移動させる制御モータ）を含んでいる１つ以上の相互作用デバイス（例えば、タッチパッド、タッチスクリーン、アンテナ等々）および／または制御システムを、データ処理システムは含む。データ処理システムは、データコンピューティング／データ通信、および／またはネットワークコンピューティング／ネットワーク通信において典型的に見出されるそれらのような、商業的に利用可能な好適なコンポーネントを活用して実装され得る。
【０１２１】
本明細書中に記載される当該発明特定事項は、時には、他の異なるコンポーネントの内部に含まれる、またはそれらと接続される、異なるコンポーネントを例示する。そのような描写されるアーキテクチャは、殆ど例示のみであり、実際、同一の機能を達成する多くの他のアーキテクチャが実装され得ることが理解されよう。概念的意味において、同一の機能を達成するようなコンポーネントの任意の配置は、前記所望される機能が達成されるように効果的に「関連付けられる」。それゆえ、特定の機能を達成するように本明細書中に記載される任意の２つのコンポーネントは、アーキテクチャまたは中間コンポーネントと無関係に、前記所望される機能が達成されるように互いに「〜と関連付けられる」とみなされ得る。同様、そのように関連付けられる任意の２つのコンポーネントは、前記所望される機能を達成するように互いに「動作可能に接続され」、もしくは「動作可能に結合され」ているとも見なされることができ、そのように関連付けられ得る任意の２つのコンポーネントは、前記所望される機能を達成するように互いに「動作可能に結合可能」であるとも見なされることができる。動作可能に結合可能な特定の例は、物理的に係合可能および／または物理的に相互作用可能なコンポーネント、および／または無線で相互作用可能な、および／または無線で相互作用するコンポーネント、および／または論理的に相互作用可能するおよび／または論理的に相互作用可能なコンポーネントを含み、しかしそれに限定されない。
【０１２２】
当該先述する仕様は、様々な実施形態を参照して記載されている。しかしながら、通常のスキルを有する当業者の１人は、様々な変更および修正が本開示の範囲から出ることなしになされ得ることを認めるであろう。従って、この開示は、限定的な意味というよりもむしろ例示と見なされるべきであり、そのような修正の全ては、それらの前記範囲内に含まれることを意図される。同様、利益、他の利点、および各課題への解決策は、様々な実施形態に関して上述されている。しかしながら、任意の利益、利点、もしくは生起する解決策を引き起こし得るかまたはより顕著になる利益、利点、各課題への解決策、ならびに任意の（各）要素は、クリティカルな、必要な、または必須の特徴もしくは要素として解釈されるべきではない。本明細中で使用されるとき、用語「備える」「備えている」およびそれらの任意の他の変形例は、要素のリストを備えるプロセス、方法、項目、もしくは器具がそれらの要素のみを含まないように、しかしそのようなプロセス、方法、項目、または器具に明示的にリストされないかもしくは固有の他の要素を含み得るように、非包括的包含物をカバーするように意図される。
【０１２３】
上述の米国特許、米国特許出願公報、米国特許出願、外国特許、外国特許出願、ならびにこの明細書において言及されるおよび／または任意の出願データシートにおいてリストされる非特許公報の全ては、矛盾しない程度まで、参照により本明細書に編入される。
【０１２４】
本明細書中に記載される当該発明特定事項の各態様は、番号づけられる下記の各クローズにおいて、発表される。
【０１２５】
１．物体の表面に伸縮性電子デバイスをあてがうための配置アプリケータデバイスであって、伸縮性電子デバイスのためのホルダと、放射される信号を物体の表面へ向けるように配置される信号エミッタ と、前記物体の表面からの戻り信号を検出するように配置されるレシーバと、前記信号エミッタおよび前記レシーバへ動作可能に接続される回路であって、物体の表面および表面下の特徴を識別するために前記放射される信号と前記戻り信号とを比較するように構成される回路と、前記表面および表面下の識別される特徴と、メモリに格納される前記物体の表面および表面化の特徴のマップとを比較するように構成される回路と、前記ホルダに動作可能に固定されるポジショナであって、前記比較に基づいて前記物体の表面上の位置へ前記伸縮性電子デバイスをあてがうように配置され組立てられるポジショナと、を備える配置アプリケータデバイス。
【０１２６】
２．物体の表面に伸縮性電子デバイスをあてがうための配置アプリケータデバイスであって、伸縮性電子デバイスのためのホルダと、放射される信号を物体の表面へ向けるように配置される信号エミッタと、前記物体の表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される前記回路と、を含む制御装置と、前記制御装置に動作可能に取り付けられるユーザインタフェースと、前記ホルダに動作可能に固定されるポジショナであって、前記制御装置に応じて、前記物体の特徴の表現および前記伸縮性電子デバイスの特徴の表現に対して前記伸縮性電子デバイスを前記物体の表面上の位置へあてがうように、配置され構築されているポジショナと、前記物体の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【０１２７】
３．前記ホルダは、前記伸縮性電子デバイスのためのリバーシブル締結具であって、前記締結具は前記伸縮性電子デバイスを安定化させるように配置されるリバーシブル締結具を備える、クローズ２に記載の配置アプリケータデバイス。
【０１２８】
４．前記ホルダは、前記伸縮性電子デバイスの１つ以上の端部を囲むように構成されるフレームを備える、クローズ２に記載の配置アプリケータデバイス。
【０１２９】
５．前記ホルダは、少なくとも１つの伸縮性電子デバイスを維持する形状および寸法であるリールと、前記リールへ動作可能に取り付けられるモータと、を備えるクローズ２に記載の配置アプリケータデバイス。
【０１３０】
６．前記ホルダは、前記伸縮性電子デバイスの寸法を変更するように配置されるマニピュレータを備える、クローズ２に記載の配置アプリケータデバイス。
【０１３１】
７．前記マニピュレータは、前記伸縮性電子デバイスのための切断器具を備える、クローズ６に記載の配置アプリケータデバイス。
【０１３２】
８．前記ホルダは、前記伸縮性電子デバイスの張力(tension)を制御するように、寸法、形状、および配置について適合可能なテンショナを備える、クローズ２に記載の配置アプリケータデバイス。
【０１３３】
９．前記信号エミッタは、光信号エミッタを備える、クローズ２に記載の配置アプリケータデバイス。
【０１３４】
１０．前記信号エミッタは、超音波エミッタを備える、クローズ２に記載の配置アプリケータデバイス。
【０１３５】
１１．前記信号エミッタは、ＲＦエミッタを備える、クローズ２に記載の配置アプリケータデバイス。
【０１３６】
１２．前記信号レシーバは、光信号レシーバを備える、クローズ２に記載の配置アプリケータデバイス。
【０１３７】
１３．前記信号レシーバは、超音波レシーバを備える、クローズ２に記載の配置アプリケータデバイス。
【０１３８】
１４．前記信号レシーバは、ＲＦレシーバを備える、クローズ２に記載の配置アプリケータデバイス。
【０１３９】
１５．前記信号レシーバは、前記表面からの戻り信号を検出するように配向されている、クローズ２に記載の配置アプリケータデバイス。
【０１４０】
１６．前記信号レシーバは、前記信号エミッタから生じて放射され、前記物体の表面から反射される信号を検出するような型である、クローズ２に記載の配置アプリケータデバイス。
【０１４１】
１７．前記制御装置は、前記物体の特徴に関する情報を含む電子メモリを備える、クローズ２に記載の配置アプリケータデバイス。
【０１４２】
１８．前記物体の特徴に関する情報を含む前記電子メモリは、少なくとも１つの表皮構造に関する情報を含んでいる電子メモリを含む、クローズ２に記載の配置アプリケータデバイス。
【０１４３】
１９．前記物体の特徴に関する情報を含む前記電子メモリは、身体の皮下構造の少なくとも１つに関する情報を含む電子メモリを含む、クローズ１７に記載の配置アプリケータデバイス。
【０１４４】
２０．前記物体の特徴に関する情報を含む前記電子メモリは、前記物体の端部の構造の少なくとも１つに関する情報を含んでいる電子メモリを含む、クローズ１７に記載の配置アプリケータデバイス。
【０１４５】
２１．前記制御装置は、前記伸縮性電子デバイスの特徴に関する情報を含む電子メモリを備える、クローズ２に記載の配置アプリケータデバイス。
【０１４６】
２２．前記伸縮性電子デバイスの特徴に関する情報を含む前記電子メモリは、センサを備える前記伸縮性電子デバイスの特徴に関する情報を含んでいる電子メモリを含む、クローズ２１に記載の配置アプリケータデバイス。
【０１４７】
２３．前記伸縮性電子デバイスの特徴に関する情報を含む前記電子メモリは、前記伸縮性電子デバイスであって薬物経皮送達デバイスを備えるデバイスの特徴に関する情報を含んでいる電子メモリを含む、クローズ２１に記載の配置アプリケータデバイス。
【０１４８】
２４．前記伸縮性電子デバイスの特徴に関する情報を含む前記電子メモリは、前記伸縮性電子デバイスであって神経刺激器を備えるデバイスの特徴に関する情報を含んでいる電子メモリを含む、クローズ２１に記載の配置アプリケータデバイス。
【０１４９】
２５．前記伸縮性電子デバイスの特徴に関する情報を含む前記電子メモリは、前記伸縮性電子デバイスであってアンテナを備えるデバイスの特徴に関する情報を含んでいる電子メモリを含む、クローズ２１に記載の配置アプリケータデバイス。
【０１５０】
２６．前記伸縮性電子デバイスの特徴に関する情報を含む前記電子メモリは、前記伸縮性電子デバイスであって熱電対を備えるデバイスの特徴に関する情報を含んでいる電子メモリを含む、クローズ２１に記載の配置アプリケータデバイス。
【０１５１】
２７．前記制御装置は、前記表面へ前もって固定される先行する少なくとも１つの伸縮性電子デバイスに関する情報を含んでいる電子メモリを含む、クローズ２に記載の配置アプリケータデバイス。
【０１５２】
２８．前記ポジショナは、前記ホルダへ固定された少なくとも１つの締結具と、前記締結具へ取り付けられるモータであって前記制御装置へ動作可能に取り付けられる前記モータと、を備える、クローズ２に記載の配置アプリケータデバイス。
【０１５３】
２９．前記モータは、前記表面に対して前記伸縮性電子デバイスの位置を調整可能にするように配置される、クローズ２８に記載の配置アプリケータデバイス。
【０１５４】
３０．前記モータは、前記表面に対して前記伸縮性電子デバイスの配向を調整可能にするように配置される、クローズ２８に記載の配置アプリケータデバイス。
【０１５５】
３１．前記アプリケータは、あてがいの間、前記伸縮性電子デバイスの張力を制御するように、位置、形状、および寸法について適合可能なテンショナを備える、クローズ２に記載の配置アプリケータデバイス。 
【０１５６】
３２．前記アプリケータは、前記ホルダへ動作可能に取り付けられる、クローズ２に記載の配置アプリケータデバイス。 
【０１５７】
３３．前記物体は身体である、クローズ２に記載の配置アプリケータデバイス。
【０１５８】
３４．前記物体は非生物(non-living)物体である、クローズ２に記載の配置アプリケータデバイス。
【０１５９】
３５．前記物体の表面へ材料をあてがうように配置される噴霧器と、前記噴霧器へ動作可能に取り付けられるリザーバと、をさらに備えるクローズ２に記載の配置アプリケータデバイス。
【０１６０】
３６．前記噴霧器は、前記制御装置へ応答するスイッチを備える、クローズ３５に記載の配置アプリケータデバイス。
【０１６１】
３７．前記リザーバは、前記物体の表面へ前記伸縮性電子デバイスの表面を接着するように練り上げられる接着剤を含む、クローズ３５に記載の配置アプリケータデバイス。
【０１６２】
３８．前記物体の表面へ気体を向けるように配置されるガスブロワと、前記ガスブロワへ固定されるスイッチであって、前記制御装置へ応答する前記スイッチと、をさらに備えるクローズ２に記載の配置アプリケータデバイス。
【０１６３】
３９．前記物体の表面の一部を除去するための形状および寸法のアブレーダと、前記アブレーダへ固定されるホルダと、前記アブレーダへ固定されるポジショナであって、前記物体の表面に対して前記アブレーダを配置するように配向されているポジショナと、をさらに備えるクローズ２に記載の配置アプリケータデバイス。
【０１６４】
４０．前記物体の表面へ接するように配向され、および配置される、１つ以上の突起物と、前記１つ以上の突起物へ固定され、前記表面の張力に応答して適合可能な１つ以上のテンショナと、をさらに備えるクローズ２に記載の配置アプリケータデバイス。
【０１６５】
４１．前記物体の表面へ可視パターンの光を向けるように配置される光源、をさらに備えるクローズ２に記載の配置アプリケータデバイス。
【０１６６】
４２．前記光源へ動作可能に取り付けられるスイッチであって、前記制御装置へ動作可能に取り付けられる前記スイッチをさらに備える、クローズ４１に記載の配置アプリケータデバイス。
【０１６７】
４３．前記制御装置へ動作可能に取り付けられる聴覚性信号エミッタをさらに備える、クローズ２に記載の配置アプリケータデバイス。
【０１６８】
４４．前記制御装置へ動作可能に取り付けられるユーザインタフェースをさらに備える、クローズ２に記載の配置アプリケータデバイス。
【０１６９】
４５．前記配置アプリケータデバイスの側面の少なくとも１つへ隣接して配置されるシェルであって、前記配置アプリケータデバイスの外部壁の少なくとも１つを形成している前記シェルをさらに備える、クローズ２に記載の配置アプリケータデバイス。
【０１７０】
４６．前記配置アプリケータデバイスへ取り付けられるハンドルであって、前記物体の表面に対して前記配置アプリケータデバイスを配向させるようにユーザを補助する寸法、形状および配向である前記ハンドルをさらに備える、クローズ２に記載の配置アプリケータデバイス。
【０１７１】
４７．前記制御装置へ動作可能に取り付けられる加速度計をさらに備える、クローズ２に記載の配置アプリケータデバイス。
【０１７２】
４８．複数の伸縮性電子デバイスを保持するための形状および寸法であるストレージ領域であって、前記ホルダへ動作可能に取り付けられる前記ストレージ領域をさらに備える、クローズ２に記載の配置アプリケータデバイス。
【０１７３】
４９．身体領域の表面に伸縮性電子デバイスをあてがうための配置アプリケータデバイスであって、伸縮性電子デバイスのためのホルダと、放射される信号を身体領域の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記身体領域の特徴の表現を形成するために前記放射される信号と前記戻り信号とを比較するように構成される回路、および前記身体領域の特徴の表現と前記伸縮性電子デバイスの特徴の表現とを比較するように構成される回路、を含む制御装置と、前記制御装置に動作可能に取り付けられるユーザインタフェースと、前記ホルダに動作可能に固定されるポジショナであって、前記制御装置に応じて、前記身体領域の特徴の表現および前記伸縮性電子デバイスの特徴の表現から得られる情報に基づいて前記伸縮性電子デバイスを前記身体領域の表面上の位置へあてがうように、配置され構築されているポジショナと、前記身体領域の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【０１７４】
５０．前記ホルダは、前記伸縮性電子デバイスのためのリバーシブル締結具であって、前記身体の前記領域に対して前記伸縮性電子デバイスを安定化させるように配置される前記締結具を備える、クローズ４９に記載の配置アプリケータデバイス。
【０１７５】
５１．前記ホルダは、前記伸縮性電子デバイスの１つ以上の端部を囲うように構成されるフレームを備える、クローズ４９に記載の配置アプリケータデバイス。
【０１７６】
５２．前記ホルダは、少なくとも１つの伸縮性電子デバイスを維持する形状および寸法であるリールと、前記リールへ動作可能に取り付けられるモータと、を備えるクローズ４９に記載の配置アプリケータデバイス。
【０１７７】
５３．前記ホルダは、前記伸縮性電子デバイスの寸法を変更するように配置されるマニュピレータを備える、クローズ４９に記載の配置アプリケータデバイス。
【０１７８】
５４．前記マニュピレータは、前記伸縮性電子デバイスのための切断器具を備える、クローズ５３に記載の配置アプリケータデバイス。
【０１７９】
５５．前記ホルダは、前記伸縮性電子デバイスの張力を制御するように位置、形状、および寸法について適合可能なテンショナを備える、クローズ４９に記載の配置アプリケータデバイス。
【０１８０】
５６．前記信号エミッタは、光信号エミッタを備える、クローズ４９に記載の配置アプリケータデバイス。
【０１８１】
５７．前記信号エミッタは、超音波エミッタを備える、クローズ４９に記載の配置アプリケータデバイス。
【０１８２】
５８．前記信号エミッタは、RFエミッタを備える、クローズ４９に記載の配置アプリケータデバイス。
【０１８３】
５９．前記信号レシーバは、光信号レシーバを備える、クローズ４９に記載の配置アプリケータデバイス。
【０１８４】
６０．前記信号レシーバは、超音波レシーバを備える、クローズ４９に記載の配置アプリケータデバイス。
【０１８５】
６１．前記信号レシーバは、RFレシーバを備える、クローズ４９に記載の配置アプリケータデバイス。
【０１８６】
６２．前記信号レシーバは、前記身体領域の表面からの戻り信号を検出するように配向されている、クローズ４９に記載の配置アプリケータデバイス。
【０１８７】
６３．前記信号レシーバは、前記信号エミッタから生じて放射され、前記身体領域の表面から反射される戻り信号を検出するような型である、クローズ４９に記載の配置アプリケータデバイス。
【０１８８】
６４．前記制御装置は、前記身体領域の特徴に関する情報を含んでいる電子メモリを含む、クローズ４９に記載の配置アプリケータデバイス。
【０１８９】
６５．前記身体領域の特徴に関する情報を含んでいる前記電子メモリは、前記身体領域の表皮構造の少なくとも１つに関する情報を含んでいる電子メモリを含む、クローズ６４に記載の配置アプリケータデバイス。
【０１９０】
６６．前記身体領域の特徴に関する情報を含んでいる前記電子メモリは、前記身体領域の皮下構造の少なくとも１つに関する情報を含んでいる電子メモリを含む、クローズ６４に記載の配置アプリケータデバイス。
【０１９１】
６７．前記制御装置は、前記伸縮性電子デバイスの特徴に関する情報を含んでいる電子メモリを含む、クローズ４９に記載の配置アプリケータデバイス。
【０１９２】
６８．前記伸縮性電子デバイスの特徴に関する情報を含んでいる前記電子メモリは、前記伸縮性電子デバイスであってセンサを備えるデバイスの特徴に関する情報を含んでいる電子メモリを含む、クローズ６７に記載の配置アプリケータデバイス。
【０１９３】
６９．前記伸縮性電子デバイスの特徴に関する情報を含んでいる前記電子メモリは、前記伸縮性電子デバイスであって薬物経皮送達デバイスを備えるデバイスの特徴に関する情報を含んでいる電子メモリを含む、クローズ６７に記載の配置アプリケータデバイス。
【０１９４】
７０．前記伸縮性電子デバイスの特徴に関する情報を含んでいる前記電子メモリは、前記伸縮性電子デバイスであって神経刺激器を備えるデバイスの特徴に関する情報を含んでいる電子メモリを含む、クローズ６７に記載の配置アプリケータデバイス。
【０１９５】
７１．前記伸縮性電子デバイスの特徴に関する情報を含んでいる前記電子メモリは、前記伸縮性電子デバイスであってアンテナを備えるデバイスの特徴に関する情報を含んでいる電子メモリを含む、クローズ６７に記載の配置アプリケータデバイス。
【０１９６】
７２．前記伸縮性電子デバイスの特徴に関する情報を含んでいる前記電子メモリは、前記伸縮性電子デバイスであって熱電対を備えるデバイスの特徴に関する情報を含んでいる電子メモリを含む、クローズ６７に記載の配置アプリケータデバイス。
【０１９７】
７３．前記制御装置は、前記身体領域の表面へ前もって固定された先行する少なくとも１つの伸縮性電子デバイスに関する情報を含んでいる電子メモリを含む、クローズ４９に記載の配置アプリケータデバイス。
【０１９８】
７４．前記ポジショナは、前記ホルダへ固定される少なくとも１つの締結具と、前記締結具へ固定されるモータであって前記制御装置へ動作可能に取り付けられる前記モータと、を備えるクローズ４９に記載の配置アプリケータデバイス。
【０１９９】
７５．前記モータは、前記身体領域の表面に対して前記伸縮性電子デバイスの位置を調整可能にするように配置される、クローズ４９に記載の配置アプリケータデバイス。
【０２００】
７６．前記モータは、前記身体領域の表面に対して前記伸縮性電子デバイスの配向を調整可能にするように配置される、クローズ４９に記載の配置アプリケータデバイス。
【０２０１】
７７．前記アプリケータは、前記身体領域の表面へのあてがいの間、前記伸縮性電子デバイスの張力を制御するように、位置、形状、および寸法について適合可能なテンショナを備える、クローズ４９に記載の配置アプリケータデバイス。
【０２０２】
７８．前記アプリケータは、前記ホルダへ動作可能に取り付けられる、クローズ４９に記載の配置アプリケータデバイス。
【０２０３】
７９．前記身体領域の表面へ材料をあてがうように配置される噴霧器と、前記噴霧器へ動作可能に取り付けられるリザーバと、をさらに備える、クローズ４９に記載の配置アプリケータデバイス。
【０２０４】
８０．前記噴霧器は、前記制御装置へ応答するスイッチを備える、クローズ７９に記載の配置アプリケータデバイス。
【０２０５】
８１．前記リザーバは、前記身体領域の表面へ前記伸縮性電子デバイスの表面を接着させるように練り上げられる接着剤を備える、クローズ７９に記載の配置アプリケータデバイス。
【０２０６】
８２．前記身体領域の表面へ気体を向けるように配置されるガスブロワと、前記ガスブロワへ固定されるスイッチであって前記制御装置へ応答する前記スイッチと、をさらに備えるクローズ４９に記載の配置アプリケータデバイス。
【０２０７】
８３．前記身体領域の表面の一部を除去するための形状および寸法のアブレーダと、前記アブレーダへ固定されるホルダと、前記アブレーダへ固定されるポジショナであって、前記身体領域の表面に対して前記アブレーダを配置するように配向されている前記ポジショナと、をさらに備えるクローズ４９に記載の配置アプリケータデバイス。
【０２０８】
８４．前記身体領域の表面へ接するように配向され、および配置される、１つ以上の突起物と、前記１つ以上の突起物へ固定され、および前記身体領域の前記表面の張力に応答して、適合可能な、１つ以上のテンショナと、
をさらに備えるクローズ４９に記載の配置アプリケータデバイス。
【０２０９】
８５．前記身体領域の表面へ可視パターンの光を向けるように配置される光源、をさらに備えるクローズ４９に記載の配置アプリケータデバイス。
【０２１０】
８６．前記光源へ動作可能に取り付けられるスイッチであって、前記制御装置へ動作可能に取り付けられる前記スイッチをさらに備える、クローズ８５に記載の配置アプリケータデバイス。
【０２１１】
８７．前記制御装置へ動作可能に取り付けられる聴覚性信号エミッタをさらに備える、クローズ４９に記載の配置アプリケータデバイス。
【０２１２】
８８．前記制御装置へ動作可能に取り付けられるユーザインタフェースをさらに備える、クローズ４９に記載の配置アプリケータデバイス。
【０２１３】
８９．前記配置アプリケータデバイスの側面の少なくとも１つへ隣接して配置されるシェルであって、前記配置アプリケータデバイスの外部壁の少なくとも１つを形成している前記シェルをさらに備える、クローズ４９に記載の配置アプリケータデバイス。
【０２１４】
９０．前記配置アプリケータデバイスへ取り付けられるハンドルであって、前記身体領域の表面に対して前記配置アプリケータデバイスを配向させるようにユーザを補助する寸法、形状および配向である前記ハンドルをさらに備える、クローズ４９に記載の配置アプリケータデバイス。
【０２１５】
９１．前記制御装置へ動作可能に取り付けられる加速度計をさらに備える、クローズ４９に記載の配置アプリケータデバイス。
【０２１６】
９２．複数の伸縮性電子デバイスを保持するための形状および寸法であるストレージ領域であって、前記ホルダへ動作可能に取り付けられる前記ストレージ領域をさらに備える、クローズ４９に記載の配置アプリケータデバイス。
【０２１７】
９３．無生物の表面に伸縮性電子デバイスをあてがうための配置アプリケータデバイスであって、伸縮性電子デバイスのためのホルダと、放射される信号を無生物の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記無生物の特徴の表現を形成するために前記放射される信号と前記戻り信号とを比較するように構成される回路、および前記無生物の特徴の表現と前記伸縮性電子デバイスの特徴の表現とを比較するように構成される回路、を含む制御装置と、前記制御装置に動作可能に取り付けられるユーザインタフェースと、前記ホルダに動作可能に固定されるポジショナであって、前記制御装置に応じて、前記無生物の特徴の表現から得られる情報、および前記伸縮性電子デバイスの特徴の表現に基づいて前記伸縮性電子デバイスを前記無生物の表面上の位置へあてがうように、配置され構築されているポジショナと、前記無生物の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【０２１８】
９４．前記ホルダは、前記伸縮性電子デバイスのためのリバーシブル締結具であって、前記締結具は前記無生物の表面に対して前記伸縮性電子デバイスを安定化させるように配置されるリバーシブル締結具を備える、クローズ２に記載の配置アプリケータデバイス。
【０２１９】
９５．前記ホルダは、前記伸縮性電子デバイスの１つ以上の端部を囲むように構成されるフレームを備える、クローズ９３に記載の配置アプリケータデバイス。
【０２２０】
９６．前記ホルダは、少なくとも１つの伸縮性電子デバイスを維持する形状および寸法であるリールと、前記リールへ動作可能に取り付けられるモータと、を備えるクローズ９３に記載の配置アプリケータデバイス。
【０２２１】
９７．前記ホルダは、前記伸縮性電子デバイスの寸法を変更するように配置されるマニピュレータを備える、クローズ９３に記載の配置アプリケータデバイス。
【０２２２】
９８．前記マニピュレータは、前記伸縮性電子デバイスのための切断器具を備える、クローズ９７に記載の配置アプリケータデバイス。
【０２２３】
９９．前記ホルダは、前記伸縮性電子デバイスの張力を制御するように、寸法、形状、および配置について適合可能なテンショナを備える、クローズ９３に記載の配置アプリケータデバイス。
【０２２４】
１００．前記信号エミッタは、光信号エミッタを備える、クローズ９３に記載の配置アプリケータデバイス。
【０２２５】
１０１．前記信号エミッタは、超音波エミッタを備える、クローズ９３に記載の配置アプリケータデバイス。
【０２２６】
１０２．前記信号エミッタは、ＲＦエミッタを備える、クローズ９３に記載の配置アプリケータデバイス。
【０２２７】
１０３．前記信号レシーバは、光信号レシーバを備える、クローズ９３に記載の配置アプリケータデバイス。
【０２２８】
１０４．前記信号レシーバは、超音波レシーバを備える、クローズ９３に記載の配置アプリケータデバイス。
【０２２９】
１０５．前記信号レシーバは、ＲＦレシーバを備える、クローズ９３に記載の配置アプリケータデバイス。
【０２３０】
１０６．前記信号レシーバは、前記無生物の表面からの戻り信号を検出するように配向されている、クローズ９３に記載の配置アプリケータデバイス。
【０２３１】
１０７．前記信号レシーバは、前記信号エミッタから生じて放射され、前記無生物の表面から反射される戻り信号を検出するような型である、クローズ９３に記載の配置アプリケータデバイス。
【０２３２】
１０８．前記制御装置は、前記無生物の特徴に関する情報を含んでいる電子メモリを含む、クローズ９３に記載の配置アプリケータデバイス。
【０２３３】
１０９．前記物体の特徴に関する情報を含んでいる前記電子メモリは、前記無生物の端部構造の少なくとも１つに関する情報を含んでいる電子メモリを含む、クローズ１０８に記載の配置アプリケータデバイス。
【０２３４】
１１０．前記制御装置は、前記伸縮性電子デバイスの特徴に関する情報を含んでいる電子メモリを含む、クローズ９３に記載の配置アプリケータデバイス。 
【０２３５】
１１１．前記伸縮性電子デバイスの特徴に関する情報を含んでいる前記電子メモリは、前記伸縮性電子デバイスであってセンサを備えるデバイスの特徴に関する情報を含んでいる電子メモリを含む、クローズ１１０に記載の配置アプリケータデバイス。
【０２３６】
１１２．前記伸縮性電子デバイスの特徴に関する情報を含んでいる前記電子メモリは、前記伸縮性電子デバイスであってアンテナを備えるデバイスの特徴に関する情報を含んでいる電子メモリを含む、クローズ１１０に記載の配置アプリケータデバイス。
【０２３７】
１１３．前記伸縮性電子デバイスの特徴に関する情報を含んでいる前記電子メモリは、前記伸縮性電子デバイスであって神経刺激器を備えるデバイスの特徴に関する情報を含んでいる電子メモリを備える、クローズ１１０に記載の配置アプリケータデバイス。
【０２３８】
１１４．前記制御装置は、前記無生物の表面へ前もって固定された先行する少なくとも１つの伸縮性電子デバイスに関する情報を含んでいる電子メモリを含む、クローズ９３に記載の配置アプリケータデバイス。
【０２３９】
１１５．前記ポジショナは、前記ホルダへ固定される少なくとも１つの締結具と、前記締結具へ取り付けられるモータであって前記制御装置へ動作可能に取り付けられる前記モータと、を備える、クローズ９３に記載の配置アプリケータデバイス。
【０２４０】
１１６．前記モータは、前記無生物の表面に対して前記伸縮性電子デバイスの位置を調整可能にするように配置される、クローズ１１５に記載の配置アプリケータデバイス。
【０２４１】
１１７．前記モータは、前記無生物の表面に対して前記伸縮性電子デバイスの配向を調整可能にするように配置される、クローズ１１５に記載の配置アプリケータデバイス。
【０２４２】
１１８．前記アプリケータは、あてがいの間、前記伸縮性電子デバイスの張力を制御するように、位置、形状、および寸法について適合可能なテンショナを備える、クローズ９３に記載の配置アプリケータデバイス。
【０２４３】
１１９．前記アプリケータは、前記ホルダへ動作可能に取り付けられる、クローズ９３に記載の配置アプリケータデバイス。
【０２４４】
１２０．前記無生物は非生物物体である、クローズ９３に記載の配置アプリケータデバイス。
【０２４５】
１２１．前記無生物の表面へ材料をあてがうように配置される噴霧器と、前記噴霧器へ動作可能に取り付けられるリザーバと、をさらに備えるクローズ９３に記載の配置アプリケータデバイス。
【０２４６】
１２２．前記噴霧器は、前記制御装置へ応答するスイッチを備える、クローズ１２１に記載の配置アプリケータデバイス。
【０２４７】
１２３．前記リザーバは、前記無生物の表面へ前記伸縮性電子デバイスの表面を接着するように練り上げられる接着剤を含む、クローズ１２１に記載の配置アプリケータデバイス。
【０２４８】
１２４．前記無生物の表面へ気体を向けるように配置されるガスブロワと、前記ガスブロワへ固定されるスイッチであって、前記制御装置へ応答する前記スイッチと、をさらに備えるクローズ９３に記載の配置アプリケータデバイス。
【０２４９】
１２５．前記無生物の表面の一部を除去するための形状および寸法のアブレーダと、前記アブレーダへ固定されるホルダと、前記アブレーダへ固定されるポジショナであって、前記無生物の表面に対して前記アブレーダを配置するように配向されている前記ポジショナと、をさらに備えるクローズ９３に記載の配置アプリケータデバイス。
【０２５０】
１２６．前記無生物の表面へ接するように配向され、および配置される、１つ以上の突起物と、前記１つ以上の突起物へ固定され、および前記無生物の表面の張力に応答して、適合可能な、１つ以上のテンショナと、をさらに備えるクローズ９３に記載の配置アプリケータデバイス。
【０２５１】
１２７．前記無生物の表面へ可視パターンの光を向けるように配置される光源、をさらに備えるクローズ９３に記載の配置アプリケータデバイス。
【０２５２】
１２８．前記光源へ動作可能に取り付けられるスイッチであって、前記制御装置へ動作可能に取り付けられる前記スイッチをさらに備える、クローズ１２７に記載の配置アプリケータデバイス。
【０２５３】
１２９．前記制御装置へ動作可能に取り付けられる聴覚性信号エミッタをさらに備える、クローズ９３に記載の配置アプリケータデバイス。
【０２５４】
１３０．前記制御装置へ動作可能に取り付けられるユーザインタフェースをさらに備える、クローズ９３に記載の配置アプリケータデバイス。
【０２５５】
１３１．前記配置アプリケータデバイスの側面の少なくとも１つへ隣接して配置されるシェルであって、前記配置アプリケータデバイスの外部壁の少なくとも１つを形成している前記シェルをさらに備える、クローズ９３に記載の配置アプリケータデバイス。
【０２５６】
１３２．前記配置アプリケータデバイスへ取り付けられるハンドルであって、前記無生物の表面に対して前記配置アプリケータデバイスを配向させるようにユーザを補助する寸法、形状および配向である前記ハンドルをさらに備える、クローズ９３に記載の配置アプリケータデバイス。
【０２５７】
１３３．前記制御装置へ動作可能に取り付けられる加速度計をさらに備える、クローズ９３に記載の配置アプリケータデバイス。
【０２５８】
１３４．複数の伸縮性電子デバイスを保持するための形状および寸法であるストレージ領域であって、前記ホルダへ動作可能に取り付けられる前記ストレージ領域をさらに備える、クローズ９３に記載の配置アプリケータデバイス。
【０２５９】
１３５．物体の表面に伸縮性電子デバイスをあてがうための配置アプリケータデバイスであって、伸縮性電子デバイスのためのホルダと、放射される信号を物体の表面へ向けるように配置される信号エミッタと、前記物体の表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記物体の特徴の表現を形成するために前記放射される信号と前記戻り信号とを比較するように構成される回路、および前記物体の特徴の表現と前記伸縮性電子デバイスの特徴の表現とを比較するように構成される回路、を含む制御装置と、前記ホルダに動作可能に固定されるポジショナであって、前記制御装置に応じて、前記物体の特徴の表現および前記伸縮性電子デバイスの特徴の表現から得られる情報に基づいて前記伸縮性電子デバイスを前記物体の表面上の位置へあてがうように、配置され構築されているポジショナと、前記ポジショナに対して前記物体の表面を安定化させる形状および寸法であるスタビライザと、前記物体の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【０２６０】
１３６．前記ホルダは、前記伸縮性電子デバイスのためのリバーシブル締結具であって、前記伸縮性電子デバイスを安定化させるように配置される前記締結具を備える、クローズ１３５に記載の配置アプリケータデバイス。
【０２６１】
１３７．前記ホルダは、前記伸縮性電子デバイスの１つ以上の端部を囲うように構成されるフレームを備える、クローズ１３５に記載の配置アプリケータデバイス。
【０２６２】
１３８．前記ホルダは、少なくとも１つの伸縮性電子デバイスを維持する形状および寸法であるリールと、前記リールへ動作可能に取り付けられるモータと、を備えるクローズ１３５に記載の配置アプリケータデバイス。
【０２６３】
１３９．前記ホルダは、前記伸縮性電子デバイスの寸法を変更するように配置されるマニュピレータを備える、クローズ１３５に記載の配置アプリケータデバイス。
【０２６４】
１４０．前記マニュピレータは、前記伸縮性電子デバイスのための切断器具を備える、クローズ１３９に記載の配置アプリケータデバイス。
【０２６５】
１４１．前記ホルダは、前記伸縮性電子デバイスの張力を制御するように位置、形状、および寸法について適合可能なテンショナを備える、クローズ１３５に記載の配置アプリケータデバイス。
【０２６６】
１４２．前記信号エミッタは、光信号エミッタを備える、クローズ１３５に記載の配置アプリケータデバイス。
【０２６７】
１４３．前記信号エミッタは、超音波エミッタを備える、クローズ１３５に記載の配置アプリケータデバイス。
【０２６８】
１４４．前記信号エミッタは、RFエミッタを備える、クローズ１３５に記載の配置アプリケータデバイス。
【０２６９】
１４５．前記信号レシーバは、光信号レシーバを備える、クローズ１３５に記載の配置アプリケータデバイス。
【０２７０】
１４６．前記信号レシーバは、超音波レシーバを備える、クローズ１３５に記載の配置アプリケータデバイス。
【０２７１】
１４７．前記信号レシーバは、RFレシーバを備える、クローズ１３５に記載の配置アプリケータデバイス。
【０２７２】
１４８．前記信号レシーバは、前記表面からの戻り信号を検出するように配向されている、クローズ１３５に記載の配置アプリケータデバイス。
【０２７３】
１４９．前記信号レシーバは、前記信号エミッタから生じて放射され、前記物体の表面から反射される戻り信号を検出するような型である、クローズ１３５に記載の配置アプリケータデバイス。
【０２７４】
１５０．前記制御装置は、前記物体の特徴に関する情報を含んでいる電子メモリを含む、クローズ１３５に記載の配置アプリケータデバイス。
【０２７５】
１５１．前記物体の特徴に関する情報を含んでいる前記電子メモリは、表皮構造の少なくとも１つを含む、クローズ１５０に記載の配置アプリケータデバイス。
【０２７６】
１５２．前記物体の特徴に関する情報を含んでいる前記電子メモリは、前記身体の表皮構造の少なくとも１つを含む、クローズ１５０に記載の配置アプリケータデバイス。
【０２７７】
１５３．前記物体の特徴に関する情報を含んでいる前記電子メモリは、前記物体の端部構造の少なくとも１つを含む、クローズ１５０に記載の配置アプリケータデバイス。
【０２７８】
１５４．前記制御装置は、前記伸縮性電子デバイスの特徴に関する情報を含んでいる電子メモリを含む、クローズ１３５に記載の配置アプリケータデバイス。
【０２７９】
１５５．前記伸縮性電子デバイスの特徴に関する情報を含んでいる前記電子メモリは、前記伸縮性電子デバイスであってセンサを備えるデバイスの特徴を含む、クローズ１５４に記載の配置アプリケータデバイス。
【０２８０】
１５６．前記伸縮性電子デバイスの特徴に関する情報を含んでいる前記電子メモリは、前記伸縮性電子デバイスであって薬物経皮送達デバイスを備えるデバイスの特徴を含む、クローズ１５４に記載の配置アプリケータデバイス。
【０２８１】
１５７．前記伸縮性電子デバイスの特徴に関する情報を含んでいる前記電子メモリは、前記伸縮性電子デバイスであって神経刺激器を備えるデバイスの特徴を含む、クローズ１５４に記載の配置アプリケータデバイス。
【０２８２】
１５８．前記伸縮性電子デバイスの特徴に関する情報を含んでいる前記電子メモリは、前記伸縮性電子デバイスであってアンテナを備えるデバイスの特徴を含む、クローズ１５４に記載の配置アプリケータデバイス。
【０２８３】
１５８．前記伸縮性電子デバイスの特徴に関する情報を含んでいる前記電子メモリは、前記伸縮性電子デバイスであって熱電対を備えるデバイスの特徴を含む、クローズ１５４に記載の配置アプリケータデバイス。
【０２８４】
１６０．前記制御装置は、前記表面へ前もって固定された先行する少なくとも１つの伸縮性電子デバイスに関する情報を含んでいる電子メモリを含む、クローズ１３５に記載の配置アプリケータデバイス。
【０２８５】
１６１．前記ポジショナは、前記ホルダへ固定される少なくとも１つの締結具と、前記締結具へ固定されるモータであって前記制御装置へ動作可能に取り付けられる前記モータと、を備えるクローズ１３５に記載の配置アプリケータデバイス。
【０２８６】
１６２．前記モータは、前記表面に対して前記伸縮性電子デバイスの位置を調整可能にするように配置される、クローズ１６１に記載の配置アプリケータデバイス。
【０２８７】
１６３．前記モータは、前記表面に対して前記伸縮性電子デバイスの配向を調整可能にするように配置される、クローズ１６１に記載の配置アプリケータデバイス。
【０２８８】
１６４．前記スタビライザは、前記物体の表面とリバーシブルに係合する形状および寸法である表面を含んでいる構造を備える、クローズ１３５に記載の配置アプリケータデバイス。
【０２８９】
１６５．前記スタビライザは、前記配置アプリケータデバイスへ前記物体を固定するような形状および寸法である締結具を備える、クローズ１３５に記載の配置アプリケータデバイス。
【０２９０】
１６６．前記アプリケータは、あてがいの間、前記伸縮性電子デバイスの張力を制御するように、位置、形状、および寸法について適合可能なテンショナを備える、クローズ１３５に記載の配置アプリケータデバイス。
【０２９１】
１６７．前記アプリケータは、前記ホルダへ動作可能に取り付けられる、クローズ１３５に記載の配置アプリケータデバイス。
【０２９２】
１６８．前記物体は、身体である、クローズ１３５に記載の配置アプリケータデバイス。
【０２９３】
１６９.前記物体は、非生物物体である、クローズ１３５に記載の配置アプリケータデバイス。
【０２９４】
１７０．前記物体の表面へ材料をあてがうように配置される噴霧器と、前記噴霧器へ動作可能に取り付けられるリザーバと、をさらに備える、クローズ１３５に記載の配置アプリケータデバイス。 
【０２９５】
１７１．前記噴霧器は、前記制御装置へ応答するスイッチを備える、クローズ１７０に記載の配置アプリケータデバイス。
【０２９６】
１７２．前記リザーバは、前記物体の表面へ前記伸縮性電子デバイスの表面を接着させるように練り上げられる接着剤を備える、クローズ１７０に記載の配置アプリケータデバイス。
【０２９７】
１７３．前記物体の表面へ気体を向けるように配置されるガスブロワと、前記ガスブロワへ固定されるスイッチであって、前記制御装置へ応答する前記スイッチと、をさらに備えるクローズ１３５に記載の配置アプリケータデバイス。
【０２９８】
１７４．前記物体の表面をこすり取るまたはこするための形状および寸法のアブレーダと、前記アブレーダへ固定されるホルダと、前記アブレーダへ固定されるポジショナであって、前記物体の表面に対して前記アブレーダを配置するように配向されているポジショナと、をさらに備えるクローズ１３５に記載の配置アプリケータデバイス。
【０２９９】
１７５．前記物体の表面へ接するように配向され、および配置される、１つ以上の突起物と、前記１つ以上の突起物へ固定され、前記表面の張力に応答して適合可能な１つ以上のテンショナと、をさらに備えるクローズ１３５に記載の配置アプリケータデバイス。
【０３００】
１７６．前記物体の表面へ可視パターンの光を向けるように配置される光源、をさらに備えるクローズ１３５に記載の配置アプリケータデバイス。
【０３０１】
１７７．前記光源へ動作可能に取り付けられるスイッチであって、前記制御装置へ動作可能に取り付けられる前記スイッチをさらに備える、クローズ１７６に記載の配置アプリケータデバイス。
【０３０２】
１７８．前記制御装置へ動作可能に取り付けられる聴覚性信号エミッタをさらに備える、クローズ１３５に記載の配置アプリケータデバイス。
【０３０３】
１７９．ユーザインタフェースであって、前記制御装置へ動作可能に取り付けられるユーザインタフェースをさらに備える、クローズ１３５に記載の配置アプリケータデバイス。
【０３０４】
１８０．前記配置アプリケータデバイスの側面の少なくとも１つへ隣接して配置されるシェルであって、前記配置アプリケータデバイスの外部壁の少なくとも１つを形成している前記シェルをさらに備える、クローズ１３５に記載の配置アプリケータデバイス。
【０３０５】
１８１．前記配置アプリケータデバイスへ取り付けられるハンドルであって、前記物体の表面に対して前記配置アプリケータデバイスを配向させるようにユーザを補助する寸法、形状および配向である前記ハンドルをさらに備える、クローズ１３５に記載の配置アプリケータデバイス。
【０３０６】
１８２．前記制御装置へ動作可能に取り付けられる加速度計をさらに備える、クローズ１３５に記載の配置アプリケータデバイス。
【０３０７】
１８３．複数の伸縮性電子デバイスを保持するための形状および寸法であるストレージ領域であって、前記ホルダへ動作可能に取り付けられる前記ストレージ領域をさらに備える、クローズ１３５に記載の配置アプリケータデバイス。
【０３０８】
１８４．身体領域の表面に伸縮性電子デバイスをあてがうための配置アプリケータデバイスであって、伸縮性電子デバイスのためのホルダと、放射される信号を身体領域の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記身体領域の特徴の表現を形成するために前記信号と前記戻り信号とを比較するように構成される回路、および前記身体領域の特徴の表現と前記伸縮性電子デバイスの特徴の表現とを比較するように構成される回路、を含む制御装置と、前記ホルダに動作可能に固定されるポジショナであって、前記制御装置に応じて、前記身体領域の特徴の表現および前記伸縮性電子デバイスの特徴の表現から得られる情報に基づいて前記伸縮性電子デバイスを前記身体領域の表面上の位置へあてがうように、配置され構築されているポジショナと、前記ポジショナに対して前記身体領域の表面を安定化させる形状および寸法であるスタビライザと、前記身体領域の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【０３０９】
１８５．前記ホルダは、前記伸縮性電子デバイスのためのリバーシブル締結具であって、前記伸縮性電子デバイスを安定化させるように配置される前記締結具を備える、クローズ１８４に記載の配置アプリケータデバイス。
【０３１０】
１８６．前記ホルダは、前記伸縮性電子デバイスの１つ以上の端部を囲うように構成されるフレームを備える、クローズ１８４に記載の配置アプリケータデバイス。
【０３１１】
１８７．前記ホルダは、少なくとも１つの伸縮性電子デバイスを維持する形状および寸法であるリールと、前記リールへ動作可能に取り付けられるモータと、を備えるクローズ１８４に記載の配置アプリケータデバイス。
【０３１２】
１８８．前記ホルダは、前記伸縮性電子デバイスの寸法を変更するように配置されるマニュピレータを備える、クローズ１８４に記載の配置アプリケータデバイス。
【０３１３】
１８９．前記マニュピレータは、前記伸縮性電子デバイスのための切断器具を備える、クローズ１８８に記載の配置アプリケータデバイス。
【０３１４】
１９０．前記ホルダは、前記伸縮性電子デバイスの張力を制御するように位置、形状、および寸法について適合可能なテンショナを備える、クローズ１８４に記載の配置アプリケータデバイス。
【０３１５】
１９１．前記信号エミッタは、光信号エミッタを備える、クローズ１８４に記載の配置アプリケータデバイス。
【０３１６】
１９２．前記信号エミッタは、超音波エミッタを備える、クローズ１８４に記載の配置アプリケータデバイス。
【０３１７】
１９３．前記信号エミッタは、RFエミッタを備える、クローズ１８４に記載の配置アプリケータデバイス。
【０３１８】
１９４．前記信号レシーバは、光信号レシーバを備える、クローズ１８４に記載の配置アプリケータデバイス。
【０３１９】
１９５．前記信号レシーバは、超音波レシーバを備える、クローズ１８４に記載の配置アプリケータデバイス。
【０３２０】
１９６．前記信号レシーバは、RFレシーバを備える、クローズ１８４に記載の配置アプリケータデバイス。
【０３２１】
１９７．前記信号レシーバは、前記表面からの戻り信号を検出するように配向されている、クローズ１８４に記載の配置アプリケータデバイス。
【０３２２】
１９８．前記信号レシーバは、前記信号エミッタから生じて放射され、前記身体領域の表面から反射される戻り信号を検出するような型である、クローズ１８４に記載の配置アプリケータデバイス。
【０３２３】
１９９．前記制御装置は、前記身体領域の特徴に関する情報を含んでいる電子メモリを含む、クローズ１８４に記載の配置アプリケータデバイス。
【０３２４】
２００．前記身体領域の特徴に関する情報を含んでいる前記電子メモリは、前記身体領域の表皮構造の少なくとも１つを含む、クローズ１９９に記載の配置アプリケータデバイス。
【０３２５】
２０１．前記身体領域の特徴に関する情報を含んでいる前記電子メモリは、前記身体の皮下構造の少なくとも１つを含む、クローズ１９９に記載の配置アプリケータデバイス。
【０３２６】
２０２．前記制御装置は、前記伸縮性電子デバイスの特徴に関する情報を含んでいる電子メモリを含む、クローズ１８４に記載の配置アプリケータデバイス。
【０３２７】
２０３．前記伸縮性電子デバイスの特徴に関する情報を含んでいる前記電子メモリは、前記伸縮性電子デバイスであってセンサを備えるデバイスの特徴を含む、クローズ２０２に記載の配置アプリケータデバイス。
【０３２８】
２０４．前記伸縮性電子デバイスの特徴に関する情報を含んでいる前記電子メモリは、前記伸縮性電子デバイスであって薬物経皮送達デバイスを備えるデバイスの特徴を含む、クローズ２０２に記載の配置アプリケータデバイス。
【０３２９】
２０５．前記伸縮性電子デバイスの特徴に関する情報を含んでいる前記電子メモリは、前記伸縮性電子デバイスであって神経刺激器を備えるデバイスの特徴を含む、クローズ２０２に記載の配置アプリケータデバイス。
【０３３０】
２０６．前記伸縮性電子デバイスの特徴に関する情報を含んでいる前記電子メモリは、前記伸縮性電子デバイスであってアンテナを備えるデバイスの特徴を含む、クローズ２０２に記載の配置アプリケータデバイス。
【０３３１】
２０７．前記伸縮性電子デバイスの特徴に関する情報を含んでいる前記電子メモリは、前記伸縮性電子デバイスであって熱電対を備えるデバイスの特徴を含む、クローズ２０２に記載の配置アプリケータデバイス。
【０３３２】
２０８．前記制御装置は、前記身体領域の表面へ前もって固定された先行する少なくとも１つの伸縮性電子デバイスに関する情報を含んでいる電子メモリを含む、クローズ１８４に記載の配置アプリケータデバイス。
【０３３３】
２０９．前記ポジショナは、前記ホルダへ固定される少なくとも１つの締結具と、前記締結具へ固定されるモータであって前記制御装置へ動作可能に取り付けられる前記モータと、を備えるクローズ１８４に記載の配置アプリケータデバイス。
【０３３４】
２１０．前記モータは、前記身体領域の表面に対して前記伸縮性電子デバイスの位置を調整可能にするように配置される、クローズ２０９に記載の配置アプリケータデバイス。
【０３３５】
２１１．前記モータは、前記身体領域の表面に対して前記伸縮性電子デバイスの配向を調整可能にするように配置される、クローズ２０９に記載の配置アプリケータデバイス。
【０３３６】
２１２．前記スタビライザは、前記身体領域の表面とリバーシブルに係合する形状および寸法である表面を含む構造を備える、クローズ１８４に記載の配置アプリケータデバイス。
【０３３７】
２１３．前記スタビライザは、前記配置アプリケータデバイスへ前記身体領域を固定するような形状および寸法である締結具を備える、クローズ１８４に記載の配置アプリケータデバイス。
【０３３８】
２１４．前記アプリケータは、あてがいの間、前記伸縮性電子デバイスの張力を制御するように、位置、形状、および寸法について適合可能なテンショナを備える、クローズ１８４に記載の配置アプリケータデバイス。
【０３３９】
２１５．前記アプリケータは、前記ホルダへ動作可能に取り付けられる、クローズ１８４に記載の配置アプリケータデバイス。
【０３４０】
２１６．前記身体領域の表面へ材料をあてがうように配置される噴霧器と、前記噴霧器へ動作可能に取り付けられるリザーバと、をさらに備える、クローズ１８４に記載の配置アプリケータデバイス。
【０３４１】
２１７．前記噴霧器は、前記制御装置へ応答するスイッチを備える、クローズ２１６に記載の配置アプリケータデバイス。
【０３４２】
２１８．前記リザーバは、前記身体領域の表面へ前記伸縮性電子デバイスの表面を接着させるように練り上げられる接着剤を備える、クローズ２１６に記載の配置アプリケータデバイス。
【０３４３】
２１９．前記身体領域の表面へ気体を向けるように配置されるガスブロワと、前記ガスブロワへ固定されるスイッチであって前記制御装置へ応答する前記スイッチと、をさらに備えるクローズ１８４に記載の配置アプリケータデバイス。
【０３４４】
２２０．前記身体領域の表面をこすり取るまたはこするための形状および寸法のアブレーダと、前記アブレーダへ固定されるホルダと、前記アブレーダへ固定されるポジショナであって、前記身体領域の表面に対して前記アブレーダを配置するように配向されている前記ポジショナと、をさらに備えるクローズ１８４に記載の配置アプリケータデバイス。
【０３４５】
２２１．前記物体の表面へ接するように配向され、および配置される、１つ以上の突起物と、前記１つ以上の突起物へ固定され、前記表面の張力に応答して適合可能な１つ以上のテンショナと、
をさらに備えるクローズ１８４に記載の配置アプリケータデバイス。
【０３４６】
２２２．前記身体領域の表面へ可視パターンの光を向けるように配置される光源、をさらに備えるクローズ１８４に記載の配置アプリケータデバイス。
【０３４７】
２２３．前記光源へ動作可能に取り付けられるスイッチであって、前記制御装置へ動作可能に取り付けられる前記スイッチをさらに備える、クローズ２２２に記載の配置アプリケータデバイス。
【０３４８】
２２４．前記制御装置へ動作可能に取り付けられる聴覚性信号エミッタをさらに備える、クローズ１８４に記載の配置アプリケータデバイス。
【０３４９】
２２５．ユーザインタフェースであって、前記制御装置へ動作可能に取り付けられるユーザインタフェースをさらに備える、クローズ１８４に記載の配置アプリケータデバイス。
【０３５０】
２２６．前記配置アプリケータデバイスの側面の少なくとも１つへ隣接して配置されるシェルであって、前記配置アプリケータデバイスの外部壁の少なくとも１つを形成している前記シェルをさらに備える、クローズ１８４に記載の配置アプリケータデバイス。
【０３５１】
２２７．前記配置アプリケータデバイスへ取り付けられるハンドルであって、前記身体領域の表面に対して前記配置アプリケータデバイスを配向させるようにユーザを補助する寸法、形状および配向である前記ハンドルをさらに備える、クローズ１８４に記載の配置アプリケータデバイス。
【０３５２】
２２８．前記制御装置へ動作可能に取り付けられる加速度計をさらに備える、クローズ１８４に記載の配置アプリケータデバイス。
【０３５３】
２２９．複数の伸縮性電子デバイスを保持するための形状および寸法であるストレージ領域であって、前記ホルダへ動作可能に取り付けられる前記ストレージ領域をさらに備える、クローズ１８４に記載の配置アプリケータデバイス。
【０３５４】
２３０．無生物の表面に伸縮性電子デバイスをあてがうための配置アプリケータデバイスであって、伸縮性電子デバイスのためのホルダと、放射される信号を無生物の表面へ向けるように配置される信号エミッタと、前記表面からの戻り信号であって、前記信号エミッタから向けられる前記放射される信号を用いて生じている前記戻り信号を検出するように配置される信号レシーバと、前記信号エミッタおよび前記レシーバへ動作可能に接続される回路であって、前記無生物の特徴の表現を形成するために前記放射される信号と前記戻り信号とを比較するように構成される回路、および前記無生物の特徴の表現と前記伸縮性電子デバイスの特徴の表現とを比較するように構成される回路、を含む制御装置と、前記ホルダに動作可能に固定されるポジショナであって、前記制御装置に応じて、前記物体の特徴の表現から得られる情報、および前記伸縮性電子デバイスの特徴の表現に基づいて前記伸縮性電子デバイスを前記無生物の表面上の位置へあてがうように、配置され構築されているポジショナと、前記ポジショナに足して前記無生物の表面を安定化させる形状および寸法であるスタビライザと、前記無生物の表面と接して前記伸縮性電子デバイスへ設置するための形状および寸法であるアプリケータであって、前記制御装置へ動作可能に取り付けられるスイッチを含むアプリケータと、を備える配置アプリケータデバイス。
【０３５５】
２３１．前記ホルダは、前記伸縮性電子デバイスのためのリバーシブル締結具であって、前記締結具は前記伸縮性電子デバイスを安定化させるように配置されるリバーシブル締結具を備える、クローズ２３０に記載の配置アプリケータデバイス。
【０３５６】
２３２．前記ホルダは、前記伸縮性電子デバイスの１つ以上の端部を囲むように構成されるフレームを備える、クローズ２３０に記載の配置アプリケータデバイス。
【０３５７】
２３３．前記ホルダは、少なくとも１つの伸縮性電子デバイスを維持する形状および寸法であるリールと、前記リールへ動作可能に取り付けられるモータと、を備えるクローズ２３０に記載の配置アプリケータデバイス。
【０３５８】
２３４．前記ホルダは、前記伸縮性電子デバイスの寸法を変更するように配置されるマニピュレータを備える、クローズ２３０に記載の配置アプリケータデバイス。
【０３５９】
２３５．前記マニピュレータは、前記伸縮性電子デバイスのための切断器具を備える、クローズ２３４に記載の配置アプリケータデバイス。
【０３６０】
２３６．前記ホルダは、前記伸縮性電子デバイスの張力を制御するように、寸法、形状、および配置について適合可能なテンショナを備える、クローズ２３０に記載の配置アプリケータデバイス。
【０３６１】
２３７．前記信号エミッタは、光信号エミッタを備える、クローズ２３０に記載の配置アプリケータデバイス。
【０３６２】
２３８．前記信号エミッタは、超音波エミッタを備える、クローズ２３０に記載の配置アプリケータデバイス。
【０３６３】
２３９．前記信号エミッタは、ＲＦエミッタを備える、クローズ２３０に記載の配置アプリケータデバイス。
【０３６４】
２４０．前記信号レシーバは、光信号レシーバを備える、クローズ２３０に記載の配置アプリケータデバイス。
【０３６５】
２４１．前記信号レシーバは、超音波レシーバを備える、クローズ２３０に記載の配置アプリケータデバイス。
【０３６６】
２４２．前記信号レシーバは、ＲＦレシーバを備える、クローズ２３０に記載の配置アプリケータデバイス。
【０３６７】
２４３．前記信号レシーバは、前記無生物の表面からの戻り信号を検出するように配向されている、クローズ２３０に記載の配置アプリケータデバイス。
【０３６８】
２４４．前記信号レシーバは、前記信号エミッタから生じて放射され、前記無生物の表面から反射される戻り信号を検出するような型である、クローズ２３０に記載の配置アプリケータデバイス。
２４５．前記制御装置は、前記無生物の特徴に関する情報を含んでいる電子メモリを含む、クローズ２３０に記載の配置アプリケータデバイス。
【０３６９】
２４６．前記無生物の特徴に関する情報を含んでいる前記電子メモリは、前記物体の端部構造の少なくとも１つに関する情報を含んでいる電子メモリを含む、クローズ２４５に記載の配置アプリケータデバイス。
【０３７０】
２４７．前記制御装置は、前記伸縮性電子デバイスの特徴に関する情報を含んでいる電子メモリを含む、クローズ２３０に記載の配置アプリケータデバイス。
【０３７１】
２４８．前記伸縮性電子デバイスの特徴に関する情報を含んでいる前記電子メモリは、前記伸縮性電子デバイスであってセンサを備えるデバイスの特徴に関する情報を含んでいる電子メモリを含む、クローズ２４７に記載の配置アプリケータデバイス。
【０３７２】
２４９．前記伸縮性電子デバイスの特徴に関する情報を含んでいる前記電子メモリは、前記伸縮性電子デバイスであってアンテナを備えるデバイスの特徴に関する情報を含んでいる電子メモリを含む、クローズ２４７に記載の配置アプリケータデバイス。
【０３７３】
２５０．前記伸縮性電子デバイスの特徴に関する情報を含んでいる前記電子メモリは、前記伸縮性電子デバイスであって神経刺激器を備えるデバイスの特徴に関する情報を含んでいる電子メモリを備える、クローズ２４７に記載の配置アプリケータデバイス。
【０３７４】
２５１．前記制御装置は、前記無生物の表面へ前もって固定された先行する少なくとも１つの伸縮性電子デバイスに関する情報を含んでいる電子メモリを含む、クローズ２３０に記載の配置アプリケータデバイス。
【０３７５】
２５２．前記ポジショナは、前記ホルダへ固定される少なくとも１つの締結具と、前記締結具へ取り付けられるモータであって前記制御装置へ動作可能に取り付けられる前記モータと、を備える、クローズ２３０に記載の配置アプリケータデバイス。
【０３７６】
２５３．前記モータは、前記表面に対して前記伸縮性電子デバイスの位置を調整可能にするように配置される、クローズ２５２に記載の配置アプリケータデバイス。
【０３７７】
２５４．前記モータは、前記表面に対して前記伸縮性電子デバイスの配向を調整可能にするように配置される、クローズ２５２に記載の配置アプリケータデバイス。
【０３７８】
２５５．前記スタビライザは、前記無生物の表面とリバーシブルに係合する形状および寸法である表面を含む構造を備える、クローズ２３０に記載の配置アプリケータデバイス。
【０３７９】
２５６．前記スタビライザは、前記配置アプリケータデバイスへ前記無生物を固定する形状および寸法である締結具を備える、クローズ２３０に記載の配置アプリケータデバイス。
【０３８０】
２５７．前記アプリケータは、あてがいの間、前記伸縮性電子デバイスの張力を制御するように、位置、形状、および寸法について適合可能なテンショナを備える、クローズ２３０に記載の配置アプリケータデバイス。
【０３８１】
２５８．前記無生物は非生物物体である、クローズ２３０に記載の配置アプリケータデバイス。
【０３８２】
２５９．前記無生物の表面へ材料をあてがうように配置される噴霧器と、前記噴霧器へ動作可能に取り付けられるリザーバと、をさらに備えるクローズ２３０に記載の配置アプリケータデバイス。
【０３８３】
２６０．前記噴霧器は、前記制御装置へ応答するスイッチを備える、クローズ２５９に記載の配置アプリケータデバイス。
【０３８４】
２６１．前記リザーバは、前記無生物の表面へ前記伸縮性電子デバイスの表面を接着するように練り上げられる接着剤を含む、クローズ２５９に記載の配置アプリケータデバイス。
【０３８５】
２６２．前記無生物の表面へ気体を向けるように配置されるガスブロワと、前記ガスブロワへ固定されるスイッチであって、前記制御装置へ応答する前記スイッチと、をさらに備えるクローズ２３０に記載の配置アプリケータデバイス。
【０３８６】
２６３．前記無生物の表面をこすりとる、またはこするための形状および寸法のアブレーダと、前記アブレーダへ固定されるホルダと、前記アブレーダへ固定されるポジショナであって、前記無生物の表面に対して前記アブレーダを配置するように配向されている前記ポジショナと、をさらに備えるクローズ２３０に記載の配置アプリケータデバイス。
【０３８７】
２６４．前記表面へ接するように配向され、および配置される、１つ以上の突起物と、前記１つ以上の突起物へ固定され、および前記無生物の表面の張力に応答して、適合可能な、１つ以上のテンショナと、をさらに備えるクローズ２３０に記載の配置アプリケータデバイス。
【０３８８】
２６５．前記無生物の表面へ可視パターンの光を向けるように配置される光源、をさらに備えるクローズ２３０に記載の配置アプリケータデバイス。
【０３８９】
２６６．前記光源へ動作可能に取り付けられるスイッチであって、前記制御装置へ動作可能に取り付けられる前記スイッチをさらに備える、クローズ２６５に記載の配置アプリケータデバイス。
【０３９０】
２６７．前記制御装置へ動作可能に取り付けられる聴覚性信号エミッタをさらに備える、クローズ２３０に記載の配置アプリケータデバイス。
【０３９１】
２６８．ユーザインタフェースであって、前記制御装置へ動作可能に取り付けられるユーザインタフェースをさらに備える、クローズ２３０に記載の配置アプリケータデバイス。
【０３９２】
２６９．前記配置アプリケータデバイスの側面の少なくとも１つへ隣接して配置されるシェルであって、前記配置アプリケータデバイスの外部壁の少なくとも１つを形成している前記シェルをさらに備える、クローズ２３０に記載の配置アプリケータデバイス。
【０３９３】
２７０．前記配置アプリケータデバイスへ取り付けられるハンドルであって、前記無生物の表面に対して前記配置アプリケータデバイスを配向させるようにユーザを補助する寸法、形状および配向である前記ハンドルをさらに備える、クローズ２３０に記載の配置アプリケータデバイス。
【０３９４】
２７１．前記制御装置へ動作可能に取り付けられる加速度計をさらに備える、クローズ２３０に記載の配置アプリケータデバイス。
【０３９５】
２７２．複数の伸縮性電子デバイスを保持するための形状および寸法であるストレージ領域であって、前記ホルダへ動作可能に取り付けられる前記ストレージ領域をさらに備える、クローズ２３０に記載の配置アプリケータデバイス。
【０３９６】
２７３．物体の表面に伸縮性電子デバイスをあてがうための配置アプリケータデバイスであって、伸縮性電子デバイスのためのホルダと、物体の表面からの戻り信号を検出するように配置されるレシーバと、前記レシーバへ動作可能に接続される回路であって、前記戻り信号に基づく前記物体の表面および表面下の特徴を識別するように構成される前記回路と、前記ホルダへ動作可能に固定されるポジショナであって、前記比較に対して前記物体の表面上の位置へ前記伸縮性電子デバイスをあてがうように配置され組み立てられる前記ポジショナと、を備える配置アプリケータデバイス。
【０３９７】
２７４．前記レシーバは、光受信機を備える、クローズ２７３に記載の配置アプリケータデバイス。
【０３９８】
２７５．前記レシーバは、聴覚性信号レシーバを備える、クローズ２７３に記載の配置アプリケータデバイス。
【０３９９】
２７６．メモリを含む電子回路と、前記メモリにおいて格納される前記物体の表面化の特徴を、前記識別される特徴と比較するように構成される電子回路と、をさらに備える、クローズ２７３に記載の配置アプリケータデバイス。
【０４００】
２７７．物体の表面へ伸縮性電子デバイスをあてがう工程の一方法であって、信号エミッタからの放射される信号であって物体の表面へ向けられる信号を初期化する工程と、前記放射される信号からの戻り信号をレシーバを用いて検出する工程と、前記放射される信号および前記受信される戻り信号を回路を用いて比較する工程と、前記比較に基づいて、または前記比較からの情報を用いて、前記物体の特徴の表現を形成する工程と、前記表現のマップから得られる情報に基づいて前記物体の表面に対して伸縮性電子デバイスを配置する工程と、を含む方法。２７８．前記物体の表面へ前記伸縮性電子デバイスをあてがう工程を含む、クローズ２７７に記載の方法。
【０４０１】
２７９．物体の表面へ伸縮性電子デバイスをあてがう工程の一方法であって、配置アプリケータデバイスのホルダを用いて伸縮性電子デバイスを保持する工程と、前記配置アプリケータデバイスの信号エミッタから放射される信号を初期化する工程であって、前記放射される信号は物体の表面へ向けられている工程と、前記配置アプリケータデバイスの信号レシーバを用いて、前記放射される信号からの戻り信号を検出する工程と、前記配置アプリケータデバイスの回路を用いて前記放射される信号と前記受信される戻り信号とを比較する工程と、前記配置アプリケータデバイスの回路において、前記比較に基づいて前記物体の特徴の表現を形成する工程と、前記配置アプリケータデバイスにおいて、前記比較に基づいて形成される前記物体の特徴の表現を前記伸縮性電子デバイスの特徴の表現と比較する工程と、前記配置アプリケータのユーザインタフェースを用いて、前記物体の表面に対して前記伸縮性電子デバイスのための位置を示す工程と、前記物体の表面へ前記伸縮性電子デバイスをあてがう工程と、を含む方法。
【０４０２】
２８０．信号エミッタから放射される信号を初期化する工程は、前記物体の表面へ向けられる光信号を初期化する工程を含む、クローズ２７９に記載の方法。
【０４０３】
２８１．信号エミッタから放射される信号を初期化する工程は、前記物体の表面へ向けられる超音波信号を初期化する工程を含む、クローズ２７９に記載の方法。
【０４０４】
２８２．信号エミッタから放射される信号を初期化する工程は、前記物体の表面へ向けられるＲＦ信号を初期化する工程を含む、クローズ２７９に記載の方法。
【０４０５】
２８３．信号エミッタから放射される信号を初期化する工程は、前記物体の表面からの戻り信号を作成するときにおいて信号エミッタからの信号を初期化する工程であって、前記戻り信号は前記デバイスの前記信号レシーバによって受信されるように配置される工程を含む、クローズ２７９に記載の方法。
【０４０６】
２８４．前記放射される信号からの戻り信号を、前記デバイスの信号レシーバを用いて、検出する工程は、前記物体の表面から向けられる光信号を検出する工程を含む、クローズ２７９に記載の方法。
【０４０７】
２８５．前記放射される信号からの戻り信号を、前記デバイスの信号レシーバを用いて、検出する工程は、前記物体の表面から向けられる超音波信号を検出する工程を含む、クローズ２７９に記載の方法。
【０４０８】
２８６．前記放射される信号からの戻り信号を、前記デバイスの信号レシーバを用いて、検出する工程は、前記物体の表面から向けられるＲＦ信号を検出する工程を含む、クローズ２７９に記載の方法。
【０４０９】
２８７．前記放射される信号および前記受信される戻り信号を、前記デバイスの回路を用いて、比較する工程は、前記デバイスの回路において、前記物体の特徴の表現を形成する工程と、前記デバイスの回路において、前記伸縮性電子デバイスの特徴の表現と前記物体の特徴の前記表現とを比較する工程と、を含むクローズ２７９に記載の方法。
【０４１０】
２８８．前記比較に基づいて前記物体の特徴の表現を、前記デバイスの回路において、形成する工程は、前記デバイスの電子メモリから、前記物体の特徴に関する情報を提供する工程、を含むクローズ２７９に記載の方法。
【０４１１】
２８９．前記デバイスの電子メモリから、前記物体の特徴に関する情報を提供する工程は、前記物体の表皮構造の少なくとも１つに関する情報を含む、クローズ２８８に記載の方法。
【０４１２】
２９０．前記デバイスの電子メモリから、前記物体の特徴に関する情報を提供する工程は、身体の皮下構造の少なくとも１つに関する情報を含む、クローズ２８８に記載の方法。
【０４１３】
２９１．前記デバイスの電子メモリから、前記物体の特徴に関する情報を提供する工程は、前記物体の端部構造の少なくとも１つに関する情報を含む、クローズ２８８に記載の方法。
【０４１４】
２９２．前記デバイスの回路において、前記比較に基づいて前記物体の特徴の表現を形成する工程は、前記デバイスの電子メモリから、前記表面へ前もって固定された先行する少なくとも１つの伸縮性電子デバイスに関する情報を提供する工程を含む、クローズ２７９に記載の方法。
【０４１５】
２９３．前記デバイスの回路において、前記比較に基づいて前記形成される前記物体の特徴の表現と、前記伸縮性電子デバイスの特徴の表現と、を比較する工程は、前記デバイスの電子メモリから、前記伸縮性電子デバイスの特徴に関する情報を提供する工程を含む、クローズ２７９に記載の方法。
【０４１６】
２９４．前記デバイスの電子メモリから、前記伸縮性電子デバイスの特徴に関する情報を提供する前記工程は、前記伸縮性電子デバイスであってセンサを備えるデバイスの特徴に関する情報を提供する工程を含む、クローズ２９３に記載の方法。
【０４１７】
２９５．前記デバイスの電子メモリから、前記伸縮性電子デバイスの特徴に関する情報を提供する前記工程は、前記伸縮性電子デバイスであって薬物経皮送達デバイスを備えるデバイスの特徴に関する情報を提供する工程を含む、クローズ２９３に記載の方法。
【０４１８】
２９６．前記デバイスの電子メモリから、前記伸縮性電子デバイスの特徴に関する情報を提供する前記工程は、前記伸縮性電子デバイスであって神経刺激器を備えるデバイスの特徴に関する情報を提供する工程を含む、クローズ２９３に記載の方法。
【０４１９】
２９７．前記デバイスの電子メモリから、前記伸縮性電子デバイスの特徴に関する情報を提供する前記工程は、前記伸縮性電子デバイスであってアンテナを備えるデバイスの特徴に関する情報を提供する工程を含む、クローズ２９３に記載の方法。
【０４２０】
２９８．前記デバイスの電子メモリから、前記伸縮性電子デバイスの特徴に関する情報を提供する前記工程は、前記伸縮性電子デバイスであって熱電対を備えるデバイスの特徴に関する情報を提供する工程を含む、クローズ２９３に記載の方法。
【０４２１】
２９９．前記デバイスのユーザインタフェースを用いて、前記物体の表面に対して前記伸縮性電子デバイスのための位置を示す工程は、前記ユーザインタフェースの視覚的表現上で示す工程を含む、クローズ２７９に記載の方法。
【０４２２】
３００．前記デバイスのユーザインタフェースを用いて、前記物体の表面に対して前記伸縮性電子デバイスのための位置を示す工程は、音エミッタから放射される信号を示す工程を含む、クローズ２７９に記載の方法。
【０４２３】
３０１．前記デバイスのユーザインタフェースを用いて、前記物体の表面に対して前記伸縮性電子デバイスのための位置を示す工程は、前記デバイスの光エミッタから前記物体の表面への方向において光パターンを放射する工程であって、前記光パターンはユーザへ前記デバイスの配置を示すような形状および寸法である工程を含む、クローズ２７９に記載の方法。
【０４２４】
３０２．前記デバイスのユーザインタフェースを用いて、前記物体の表面に対して前記伸縮性電子デバイスのための位置を示す工程は、前記デバイスのユーザインタフェースを用いて、ユーザは前記物体の表面に対して前記伸縮性電子デバイスを動かすべきでないことを示す工程を含む、クローズ２７９に記載の方法。
【０４２５】
３０３．前記デバイスのユーザインタフェースを用いて、前記物体の表面に対して前記伸縮性電子デバイスのための位置を示す工程は、前記デバイスのユーザインタフェースを用いて、ユーザは前記物体の表面に対して前記伸縮性電子デバイスを動かすべき方向を示す工程を含む、クローズ２７９に記載の方法。
【０４２６】
３０４．前記デバイスのユーザインタフェースを用いて、前記物体の表面に対して前記伸縮性電子デバイスのための位置を示す工程は、前記デバイスのユーザインタフェースを用いて、ユーザは前記物体の表面に対して前記伸縮性電子デバイスを動かすべき距離を示す工程を含む、クローズ２７９に記載の方法。
【０４２７】
３０５．前記デバイスのユーザインタフェースを用いて、前記物体の表面に対して前記伸縮性電子デバイスのための位置を示す工程は、前記デバイスのユーザインタフェースを用いて、ユーザは前記物体の表面に向けて前記伸縮性電子デバイスを動かすべき回転方向を示す工程を含む、クローズ２７９に記載の方法。
【０４２８】
３０６．前記デバイスのユーザインタフェースを用いて、前記物体の表面に対して前記伸縮性電子デバイスのための位置を示す工程は、前記デバイスのユーザインタフェースを用いて、ユーザは前記物体の表面に対して前記伸縮性電子デバイスを動かすべき回転量を示す工程を含む、クローズ２７９に記載の方法。
【０４２９】
３０７．前記物体の表面へ前記伸縮性電子デバイスをあてがう工程は、適合可能なテンショナから前記伸縮性電子デバイスへ前記制御装置に応答して張力をかける工程を含む、クローズ２７９に記載の方法。
【０４３０】
３０８．前記物体の表面へ前記伸縮性電子デバイスをあてがう工程は、前記物体の表面に対して前記伸縮性電子デバイスの表面を配置する工程を含む、クローズ２７９に記載の方法。
【０４３１】
３０９．電子メモリにおいて、前記受信される戻り信号からのデータを格納する工程を含む、クローズ２７９に記載の方法。
【０４３２】
３１０．電子メモリにおいて、前記物体の特徴に関する情報を格納する工程を含む、クローズ２７９に記載の方法。
【０４３３】
３１１．前記デバイスの加速度計を用いて、前記デバイスの動きを検出する工程と、前記デバイスのユーザインタフェースを用いて、前記デバイスの動きに応答して示す工程と、を含むクローズ２７９に記載の方法。
【０４３４】
３１２．前記物体の表面へ前記伸縮性電子デバイスの表面を接着させるように練り上げられる接着剤を用いて前記物体の表面を噴霧する工程を含む、クローズ２７９に記載の方法。
【０４３５】
３１３．前記物体の特徴の前記表現に応答して前記物体の表面の一部を選択する工程と、前記デバイスのアブレーダを用いて前記物体の表面の前記一部を除去する工程と、を含むクローズ２７９に記載の方法。
【０４３６】
３１４．前記デバイスの前記位置に対して前記物体の表面上に投射する光パターンを決定する工程と、前記物体の表面上に前記光パターンを投射する工程と、を含むクローズ２７９に記載の方法。
【０４３７】
３１５．前記制御装置に応答して言語信号を放射することを含む、クローズ２７９に記載の方法。
【０４３８】
３１６．身体領域の表面へ伸縮性電子デバイスをあてがう工程の一方法であって、配置アプリケータデバイスのホルダを用いて伸縮性電子デバイスを保持する工程と、前記配置アプリケータデバイスの信号エミッタから放射される信号を初期化する工程であって、前記放射される信号は身体領域の表面へ向けられている工程と、前記配置アプリケータデバイスの信号レシーバを用いて、前記放射される信号からの戻り信号を検出する工程と、前記配置アプリケータデバイスの回路を用いて前記放射される信号と前記受信される戻り信号とを比較する工程と、前記配置アプリケータデバイスの回路において、前記比較に基づいて前記身体領域の特徴の表現を形成する工程と、前記配置アプリケータのユーザインタフェースを用いて、前記身体領域の表面に対して前記伸縮性電子デバイスのための位置を示す工程と、前記身体領域の表面へ前記伸縮性電子デバイスをあてがう工程と、を含む方法。
【０４３９】
３１７．信号エミッタから放射される信号を初期化する工程は、前記身体領域の表面へ向けられる光信号を初期化する工程を含む、クローズ３１６に記載の方法。
【０４４０】
３１８．信号エミッタから放射される信号を初期化する工程は、前記身体領域の表面へ向けられる超音波信号を初期化する工程を含む、クローズ３１６に記載の方法。
【０４４１】
３１９．信号エミッタから放射される信号を初期化する工程は、前記身体領域の表面へ向けられるＲＦ信号を初期化する工程を含む、クローズ３１６に記載の方法。
【０４４２】
３２０．信号エミッタから放射される信号を初期化する工程は、前記身体領域の表面からの戻り信号を作成するときにおいて信号エミッタからの放射される信号を初期化する工程であって、前記戻り信号は前記デバイスの前記信号レシーバによって受信されるように配置される工程を含む、クローズ３１６に記載の方法。
【０４４３】
３２１．前記放射される信号からの戻り信号を、前記デバイスの信号レシーバを用いて、検出する工程は、前記身体領域の表面から向けられる光信号を検出する工程を含む、クローズ３１６に記載の方法。
【０４４４】
３２２．前記放射される信号からの戻り信号を、前記デバイスの信号レシーバを用いて、検出する工程は、前記身体領域の表面から向けられる超音波信号を検出する工程を含む、クローズ３１６に記載の方法。
【０４４５】
３２３．前記放射される信号からの戻り信号を、前記デバイスの信号レシーバを用いて、検出する工程は、前記身体領域の表面から向けられるＲＦ信号を検出する工程を含む、クローズ３１６に記載の方法。
【０４４６】
３２４．前記放射される信号および前記受信される戻り信号を、前記デバイスの回路を用いて、比較する工程は、前記デバイスの回路において、前記身体領域の特徴の表現を形成する工程と、前記デバイスの回路において、前記伸縮性電子デバイスの特徴の表現と前記身体領域の特徴の前記表現とを比較する工程と、を含むクローズ３１６に記載の方法。
【０４４７】
３２５．前記比較に基づいて前記身体領域の特徴の表現を、前記デバイスの回路において、形成する工程は、前記デバイスの電子メモリから、前記身体領域の特徴に関する情報を提供する工程、を含むクローズ３１６に記載の方法。
【０４４８】
３２６．前記デバイスの電子メモリから、前記身体領域の特徴に関する情報を提供する工程は、前記身体領域の表皮構造の少なくとも１つに関する情報を含む、クローズ３２５に記載の方法。
【０４４９】
３２７．前記デバイスの電子メモリから、前記身体領域の特徴に関する情報を提供する工程は、前記身体領域の皮下構造の少なくとも１つに関する情報を含む、クローズ３２５に記載の方法。
【０４５０】
３２８．前記デバイスの回路において、前記比較に基づいて前記身体領域の特徴の表現を形成する工程は、前記デバイスの電子メモリから、前記身体領域の表面へ前もって固定された先行する少なくとも１つの伸縮性電子デバイスに関する情報を提供する工程を含む、クローズ３１６に記載の方法。
【０４５１】
３２９．前記デバイスの回路において、前記比較に基づいて前記形成される前記物体の特徴の表現と、前記伸縮性電子デバイスの特徴の表現と、を比較する工程は、前記デバイスの電子メモリから、前記伸縮性電子デバイスの特徴に関する情報を提供する工程を含む、クローズ３１６に記載の方法。
【０４５２】
３３０．前記デバイスの電子メモリから、前記伸縮性電子デバイスの特徴に関する情報を提供する前記工程は、前記伸縮性電子デバイスであってセンサを備えるデバイスの特徴に関する情報を提供する工程を含む、クローズ３２９に記載の方法。
【０４５３】
３３１．前記デバイスの電子メモリから、前記伸縮性電子デバイスの特徴に関する情報を提供する前記工程は、前記伸縮性電子デバイスであって薬物経皮送達デバイスを備えるデバイスの特徴に関する情報を提供する工程を含む、クローズ３２９に記載の方法。
【０４５４】
３３２．前記デバイスの電子メモリから、前記伸縮性電子デバイスの特徴に関する情報を提供する前記工程は、前記伸縮性電子デバイスであって神経刺激器を備えるデバイスの特徴に関する情報を提供する工程を含む、クローズ３２９に記載の方法。
【０４５５】
３３３．前記デバイスの電子メモリから、前記伸縮性電子デバイスの特徴に関する情報を提供する前記工程は、前記伸縮性電子デバイスであってアンテナを備えるデバイスの特徴に関する情報を提供する工程を含む、クローズ３２９に記載の方法。
【０４５６】
３３４．前記デバイスの電子メモリから、前記伸縮性電子デバイスの特徴に関する情報を提供する前記工程は、前記伸縮性電子デバイスであって熱電対を備えるデバイスの特徴に関する情報を提供する工程を含む、クローズ３２９に記載の方法。
【０４５７】
３３５．前記デバイスのユーザインタフェースを用いて、前記物体の表面に対して前記伸縮性電子デバイスのための位置を示す工程は、前記ユーザインタフェースの視覚的表現上で示す工程を含む、クローズ３１６に記載の方法。
【０４５８】
３３６．前記デバイスのユーザインタフェースを用いて、前記身体領域の表面に対して前記伸縮性電子デバイスのための位置を示す工程は、音エミッタからの信号を示す工程を含む、クローズ３１６に記載の方法。
【０４５９】
３３７．前記デバイスのユーザインタフェースを用いて、前記身体領域の表面に対して前記伸縮性電子デバイスのための位置を示す工程は、前記デバイスの光エミッタから前記身体領域の表面への方向において光パターンを放射する工程であって、前記光パターンはユーザへ前記デバイスの配置を示すような形状および寸法である工程を含む、クローズ３１６に記載の方法。
【０４６０】
３３８．前記デバイスのユーザインタフェースを用いて、前記身体領域の表面に対して前記伸縮性電子デバイスのための位置を示す工程は、前記デバイスのユーザインタフェースを用いて、ユーザは前記身体領域の表面に対して前記伸縮性電子デバイスを動かすべきでないことを示す工程を含む、クローズ３１６に記載の方法。
【０４６１】
３３９．前記デバイスのユーザインタフェースを用いて、前記身体領域の表面に対して前記伸縮性電子デバイスのための位置を示す工程は、前記デバイスのユーザインタフェースを用いて、ユーザは前記身体領域の表面に対して前記伸縮性電子デバイスを動かすべき方向を示す工程を含む、クローズ３１６に記載の方法。
【０４６２】
３４０．前記デバイスのユーザインタフェースを用いて、前記身体領域の表面に対して前記伸縮性電子デバイスのための位置を示す工程は、前記デバイスのユーザインタフェースを用いて、ユーザは前記身体領域の表面に対して前記伸縮性電子デバイスを動かすべき距離を示す工程を含む、クローズ３１６に記載の方法。
【０４６３】
３４１．前記デバイスのユーザインタフェースを用いて、前記身体領域の表面に対して前記伸縮性電子デバイスのための位置を示す工程は、前記デバイスのユーザインタフェースを用いて、ユーザは前記身体領域の表面に対して前記伸縮性電子デバイスを動かすべき回転方向を示す工程を含む、クローズ３１６に記載の方法。
【０４６４】
３４２．前記デバイスのユーザインタフェースを用いて、前記身体領域の表面に対して前記伸縮性電子デバイスのための位置を示す工程は、前記デバイスのユーザインタフェースを用いて、ユーザは前記身体領域の表面に対して前記伸縮性電子デバイスを動かすべき回転量を示す工程を含む、クローズ３１６に記載の方法。
【０４６５】
３４３．前記身体領域の表面へ前記伸縮性電子デバイスをあてがう工程は、適合可能なテンショナから前記伸縮性電子デバイスへ前記制御装置に応答して張力をかける工程を含む、クローズ３１６に記載の方法。
【０４６６】
３４４．前記身体領域の表面へ前記伸縮性電子デバイスをあてがう工程は、前記身体領域の表面に向けて前記伸縮性電子デバイスの表面を配置する工程を含む、クローズ３１６に記載の方法。
【０４６７】
３４５．電子メモリにおいて、前記受信される信号からのデータを格納する工程を含む、クローズ３１６に記載の方法。
【０４６８】
３４６．電子メモリにおいて、前記身体領域の特徴に関する情報を格納する工程を含む、クローズ３１６に記載の方法。
【０４６９】
３４７．前記デバイスの加速度計を用いて、前記デバイスの動きを検出する工程と、前記デバイスのユーザインタフェースを用いて、前記デバイスの動きに応答して示す工程と、を含むクローズ３１６に記載の方法。
【０４７０】
３４８．前記身体領域の表面へ前記伸縮性電子デバイスの表面を接着させるように練り上げられる接着剤を用いて前記身体領域の表面を噴霧する工程を含む、クローズ３１６に記載の方法。
【０４７１】
３４９．前記身体領域の特徴の前記表現に応答して前記身体領域の表面の一部を選択する工程と、前記デバイスのアブレーダを用いて前記身体領域の表面の前記一部を除去する工程と、を含むクローズ３１６に記載の方法。
【０４７２】
３５０．前記デバイスの前記位置に対して前記身体領域の表面上に投射する光パターンを決定する工程と、前記身体領域の表面上に前記光パターンを投射する工程と、を含むクローズ３１６に記載の方法。
【０４７３】
３５１．前記制御装置に応答して言語信号を放射することを含む、クローズ３１６に記載の方法。
【０４７４】
３５２．無生物の表面へ伸縮性電子デバイスをあてがう工程の一方法であって、配置アプリケータデバイスのホルダを用いて伸縮性電子デバイスを保持する工程と、前記配置アプリケータデバイスの信号エミッタから放射される信号を初期化する工程であって、前記放射される信号は無生物の表面へ向けられている工程と、前記配置アプリケータデバイスの信号レシーバを用いて、前記放射される信号からの戻り信号を検出する工程と、前記配置アプリケータデバイスの回路を用いて前記放射される信号と前記受信される戻り信号とを比較する工程と、前記配置アプリケータデバイスの回路において、前記比較に基づいて前記無生物の特徴の表現を形成する工程と、前記配置アプリケータのユーザインタフェースを用いて、前記無生物の表面に対して前記伸縮性電子デバイスのための位置を示す工程と、前記無生物の表面へ前記伸縮性電子デバイスをあてがう工程と、を含む方法。
【０４７５】
３５３．信号エミッタから放射される信号を初期化する工程は、前記無生物の表面へ向けられる光信号を初期化する工程を含む、クローズ３５２に記載の方法。
【０４７６】
３５４．信号エミッタから放射される信号を初期化する工程は、前記無生物の表面へ向けられる超音波信号を初期化する工程を含む、クローズ３５２に記載の方法。
【０４７７】
３５５．信号エミッタから放射される信号を初期化する工程は、前記無生物の表面へ向けられるＲＦ信号を初期化する工程を含む、クローズ３５２に記載の方法。
【０４７８】
３５６．信号エミッタから放射される信号を初期化する工程は、前記無生物の表面からの戻り信号を作成するときにおいて信号エミッタからの放射される信号を初期化する工程であって、前記戻り信号は前記デバイスの前記信号レシーバによって受信されるように配置される工程を含む、クローズ３５２に記載の方法。
【０４７９】
３５７．前記放射される信号からの戻り信号を、前記デバイスの信号レシーバを用いて、検出する工程は、前記無生物の表面から向けられる光信号を検出する工程を含む、クローズ３５２に記載の方法。
【０４８０】
３５８．前記放射される信号からの戻り信号を、前記デバイスの信号レシーバを用いて、検出する工程は、前記無生物の表面から向けられる超音波信号を検出する工程を含む、クローズ３５２に記載の方法。
【０４８１】
３５９．前記放射される信号からの戻り信号を、前記デバイスの信号レシーバを用いて、検出する工程は、前記無生物の表面から向けられるＲＦ信号を検出する工程を含む、クローズ３５２に記載の方法。
【０４８２】
３６０．前記放射される信号および前記受信される戻り信号を、前記デバイスの回路を用いて、比較する工程は、前記デバイスの回路において、前記無生物の特徴の表現を形成する工程と、前記デバイスの回路において、前記伸縮性電子デバイスの特徴の表現と前記無生物の特徴の前記表現とを比較する工程と、を含むクローズ３５２に記載の方法。
【０４８３】
３６１．前記比較に基づいて前記無生物の特徴の表現を、前記デバイスの回路において、形成する工程は、前記デバイスの電子メモリから、前記無生物の特徴に関する情報を提供する工程、を含むクローズ３５２に記載の方法。
【０４８４】
３６２．前記デバイスの電子メモリから、前記無生物の特徴に関する情報を提供する工程は、前記無生物の端部構造の少なくとも１つに関する情報を含む、クローズ３６１に記載の方法。
【０４８５】
３６３.前記デバイスの回路において、前記比較に基づいて前記無生物の特徴の表現を形成する工程は、前記デバイスの電子メモリから、先行する伸縮性電子デバイスであって、前記無生物の表面へ前もって固定されたデバイスの少なくとも１つに関する情報を提供する工程を含む、クローズ３５２に記載の方法。
【０４８６】
３６４．前記デバイスの回路において、前記比較に基づいて前記無生物の特徴の形成される表現と、前記伸縮性電子デバイスの特徴の表現と、を比較する工程は、前記デバイスの電子メモリから、前記伸縮性電子デバイスの特徴に関する情報を提供する工程を含む、クローズ３５２に記載の方法。
【０４８７】
３６５．前記デバイスの電子メモリから、前記伸縮性電子デバイスの特徴に関する情報を提供する前記工程は、前記伸縮性電子デバイスであってセンサを備えるデバイスの特徴に関する情報を提供する工程を含む、クローズ３６４に記載の方法。
【０４８８】
３６６．前記デバイスの電子メモリから、前記伸縮性電子デバイスの特徴に関する情報を提供する前記工程は、前記伸縮性電子デバイスであってアンテナを備えるデバイスの特徴に関する情報を提供する工程を含む、クローズ３２９に記載の方法。
【０４８９】
３６７．前記デバイスの電子メモリから、前記伸縮性電子デバイスの特徴に関する情報を提供する前記工程は、前記伸縮性電子デバイスであって熱電対を備えるデバイスの特徴に関する情報を提供する工程を含む、クローズ３６４に記載の方法。
【０４９０】
３６８．前記デバイスのユーザインタフェースを用いて、前記無生物の表面に対して前記伸縮性電子デバイスのための位置を示す工程は、前記ユーザインタフェースの視覚的表現上で示す工程を含む、クローズ３５２に記載の方法。
【０４９１】
３６９．前記デバイスのユーザインタフェースを用いて、前記無生物の表面に対して前記伸縮性電子デバイスのための位置を示す工程は、音エミッタからの信号を示す工程を含む、クローズ３５２に記載の方法。
【０４９２】
３７０．前記デバイスのユーザインタフェースを用いて、前記無生物の表面に対して前記伸縮性電子デバイスのための位置を示す工程は、前記デバイスの光エミッタから前記無生物の表面への方向において光パターンを放射する工程であって、前記光パターンはユーザへ前記デバイスの配置を示すような形状および寸法である工程を含む、クローズ３５２に記載の方法。
【０４９３】
３７１．前記デバイスのユーザインタフェースを用いて、前記無生物の表面に対して前記伸縮性電子デバイスのための位置を示す工程は、前記デバイスのユーザインタフェースを用いて、ユーザは前記無生物の表面に対して前記伸縮性電子デバイスを動かすべきでないことを示す工程を含む、クローズ３５２に記載の方法。
【０４９４】
３７２．前記デバイスのユーザインタフェースを用いて、前記無生物の表面に対して前記伸縮性電子デバイスのための位置を示す工程は、前記デバイスのユーザインタフェースを用いて、ユーザは前記無生物の表面に対して前記伸縮性電子デバイスを動かすべき方向を示す工程を含む、クローズ３５２に記載の方法。
【０４９５】
３７３．前記デバイスのユーザインタフェースを用いて、前記無生物の表面に対して前記伸縮性電子デバイスのための位置を示す工程は、前記デバイスのユーザインタフェースを用いて、ユーザは前記無生物の表面に対して前記伸縮性電子デバイスを動かすべき距離を示す工程を含む、クローズ３５２に記載の方法。
【０４９６】
３７４．前記デバイスのユーザインタフェースを用いて、前記無生物の表面に対して前記伸縮性電子デバイスのための位置を示す工程は、前記デバイスのユーザインタフェースを用いて、ユーザは前記無生物の表面に対して前記伸縮性電子デバイスを動かすべき回転方向を示す工程を含む、クローズ３５２に記載の方法。
【０４９７】
３７５．前記デバイスのユーザインタフェースを用いて、前記無生物の表面に対して前記伸縮性電子デバイスのための位置を示す工程は、前記デバイスのユーザインタフェースを用いて、ユーザは前記無生物の表面に対して前記伸縮性電子デバイスを動かすべき回転量を示す工程を含む、クローズ３５２に記載の方法。
【０４９８】
３７６．前記無生物の表面へ前記伸縮性電子デバイスをあてがう工程は、適合可能なテンショナから前記伸縮性電子デバイスへ前記制御装置に応答して張力をかける工程を含む、クローズ３５２に記載の方法。
【０４９９】
３７７．前記無生物の表面へ前記伸縮性電子デバイスをあてがう工程は、前記無生物の表面に向けて前記伸縮性電子デバイスの表面を配置する工程を含む、クローズ３５２に記載の方法。
【０５００】
３７８．電子メモリにおいて、前記受信される戻り信号からのデータを格納する工程を含む、クローズ３５２に記載の方法。
【０５０１】
３７９．電子メモリにおいて、前記無生物の特徴に関する情報を格納する工程を含む、クローズ３５２に記載の方法。
【０５０２】
３８０．前記デバイスの加速度計を用いて、前記デバイスの動きを検出する工程と、前記デバイスのユーザインタフェースを用いて、前記デバイスの動きに応答して示す工程と、を含むクローズ３５２に記載の方法。
【０５０３】
３８１．前記物体の表面へ前記伸縮性電子デバイスの表面を接着させるように練り上げられる接着剤を用いて前記無生物の表面を噴霧する工程を含む、クローズ３５２に記載の方法。
【０５０４】
３８２．前記無生物の特徴の前記表現に応答して前記無生物の表面の一部を選択する工程と、前記デバイスのアブレーダを用いて前記無生物の表面の前記一部を除去する工程と、を含むクローズ３５２に記載の方法。
【０５０５】
３８３．前記デバイスの前記位置に対して前記無生物の表面上に投射する光パターンを決定する工程と、前記無生物の表面上に前記光パターンを投射する工程と、を含むクローズ３５２に記載の方法。
【０５０６】
３８４．前記制御装置に応答して言語信号を放射することを含む、クローズ３５２に記載の方法。
【０５０７】
本開示中には様々な各態様および実施形態が開示されているが、技能を有する当業者らにとっては他の態様および実施形態が明らかであろう。
本開示中に開示される前記様々な各態様および実施形態は、説明のためのものにすぎず、限定することを意図されていない。真の範囲および思想は、以下の特許請求の範囲に示される。
【図面の簡単な説明】
【０５０８】
【図１】図１は、固定される伸縮性電子デバイスを付けた身体部分の概要を示す図である。
【図２】図２は、固定される伸縮性電子デバイスを付けた身体部分の概要を示す図である。
【図３】図３は、固定される伸縮性電子デバイスを付けた身体部分の概要を示す図である。
【図４】図４は、関心領域(region of interest)の表面へ固定される伸縮性電子デバイスを付けた無生物の概要を示す図である。
【図５】図５は、伸縮性電子デバイスのための配置アプリケータデバイス、および身体部分の概要を示す図である。
【図６】図６は、伸縮性電子デバイスのための配置アプリケータデバイスの概要を示す図である。
【図７】図７は、物体の表面に対して所定の位置にある(in position)伸縮性電子デバイスのための、配置アプリケータデバイスの概要を示す図である。
【図８】図８は、伸縮性電子デバイスのための配置アプリケータデバイスの概要を示す図である。
【図９】図９は、本発明に係る方法のフローチャートである。
【図１０】図１０は、本発明に係る方法のフローチャートである。
【図１１】図１１は、図１０に記載の方法の各態様を示すフローチャートである。
【図１２】図１２は、図１０に記載の方法の各態様を示すフローチャートである。
【図１３】図１３は、図１０に記載の方法の各態様を示すフローチャートである。
【図１４】図１４は、図１０に記載の方法の各態様を示すフローチャートである。
【図１５】図１５は、図１０に記載の方法の各態様を示すフローチャートである。
【図１６】図１６は、図１０に記載の方法の各態様を示すフローチャートである。
【図１７】図１７は、図１０に記載の方法の各態様を示すフローチャートである。
【図１８】図１８は、図１０に記載の方法の各態様を示すフローチャートである。
【図１９】図１９は、図１０に記載の方法の各態様を示すフローチャートである。
【図２０】図２０は、図１０に記載の方法の各態様を示すフローチャートである。
【図２１】図２１は、図１０に記載の方法の各態様を示すフローチャートである。
【図２２】図２２は、図１０に記載の方法の各態様を示すフローチャートである。
【図２３】図２３は、図１０に記載の方法の各態様を示すフローチャートである。
【図２４】図２４は、本発明に係る方法のフローチャート図である。
【図２５】図２５は、本発明に係る方法のフローチャート図である。
【図１】
2019518537.tif 000003
【図２】
2019518537.tif 000004
【図３】
2019518537.tif 000005
【図４】
2019518537.tif 000006
【図５】
2019518537.tif 000007
【図６】
2019518537.tif 000008
【図７】
2019518537.tif 000009
【図８】
2019518537.tif 000010
【図９】
2019518537.tif 000011
【図１０】
2019518537.tif 000012
【図１１】
2019518537.tif 000013
【図１２】
2019518537.tif 000014
【図１３】
2019518537.tif 000015
【図１４】
2019518537.tif 000016
【図１５】
2019518537.tif 000017
【図１６】
2019518537.tif 000018
【図１７】
2019518537.tif 000019
【図１８】
2019518537.tif 000020
【図１９】
2019518537.tif 000021
【図２０】
2019518537.tif 000022
【図２１】
2019518537.tif 000023
【図２２】
2019518537.tif 000024
【図２３】
2019518537.tif 000025
【図２４】
2019518537.tif 000026
【図２５】
2019518537.tif 000027
【国際調査報告】
2019518537.tif 000028
2019518537.tif 000029